(57)【要約】  いくつかの例においては、動物をモニタリングするための方法は、動物の皮膚内に注入されたインテリジェントインクを含む入れ墨に基づいて動物の生理的状況を決定することを含むことができる。この方法はまた、動物の生理的状況を記録することを含むことができる。方法はまた、生理的事象または状態を示す生理的状況に応じて、生理的事象または状態に対処するための警告をトリガすることを含むことができる。
2017517254.tif 000002
【特許請求の範囲】
【請求項１】
動物をモニタリングするための方法であって、
前記動物の皮膚内に注入されたインテリジェントインクを含む入れ墨に基づいて前記動物の生理的状況を決定することと、
前記動物の前記生理的状況を記録することと、
生理的事象または状態を示す前記生理的状況に応じて、前記生理的事象または状態に対処するための警告をトリガすることと
を含む方法。
【請求項２】
前記動物の前記皮膚内に注入された前記インテリジェントインクを含む前記入れ墨に基づいて前記動物の前記生理的状況を決定することが、
前記インテリジェントインクを透過し、前記インテリジェントインクによって放射され、かつ／または前記インテリジェントインクに反射する光を受け取ることと、
前記受け取った光に基づいて前記インテリジェントインクの光学特性の現在値を決定することと、
前記光学特性の前記現在値をベースライン値と比較することと
を含む、請求項１に記載の方法。
【請求項３】
前記動物の前記皮膚内に注入された前記インテリジェントインクを含む前記入れ墨に基づいて前記動物の前記生理的状況を決定することが、
前記光学特性の前記現在値が前記ベースライン値の特定の範囲内にあることに応じて、前記インテリジェントインクが応答するように構成されている特定の生理学的標的に関する前記動物の前記生理的状況が正常である、と決定すること、または
前記光学特性の前記現在値が前記ベースライン値の前記特定の範囲外にあることに応じて、前記特定の標的に関する前記動物の前記生理的状況が異常である、と決定すること
をさらに含む、請求項２に記載の方法。
【請求項４】
前記動物の前記皮膚内に注入された前記インテリジェントインクを含む前記入れ墨に基づいて前記動物の前記生理的状況を決定することが、紫外線光が前記インテリジェントインクを照らすことをさらに含み、
前記受け取った光に基づいて前記インテリジェントインクの前記光学特性の前記現在値を決定することが、前記紫外線光の少なくとも一部の前記インテリジェントインクによる吸収に応じて、前記インテリジェントインクによって放射される蛍光と関連付けられる光学特性を決定することを含む、
請求項２に記載の方法。
【請求項５】
前記生理的事象または状態に対処するための警告をトリガすることが、前記動物および前記生理的事象または状態を識別する電子メッセージを生成することを含む、請求項１に記載の方法。
【請求項６】
前記入れ墨を形成するために、前記動物の前記皮膚内に前記インテリジェントインクを注入することをさらに含む、請求項１に記載の方法。
【請求項７】
前記入れ墨を形成するために、前記動物の前記皮膚内に前記インテリジェントインクを注入することが、前記動物の皮膚の真皮内に前記インテリジェントインクを注入することを含む、請求項６に記載の方法。
【請求項８】
前記インテリジェントインクの光学特性が、前記動物の特定の生理学的標的に依存しており、
前記動物の前記皮膚内に注入された前記インテリジェントインクを含む前記入れ墨に基づいて前記動物の前記生理的状況を決定することが、前記インテリジェントインクの前記光学特性の値を決定することを含む、
請求項１に記載の方法。
【請求項９】
前記動物の前記特定の生理学的標的が、前記動物のグルコースレベル、前記動物の水和レベル、前記動物の体温、前記動物のｐＨレベル、前記動物の中の特定のホルモンのレベル、または前記動物の中の特定の病原菌を含む、請求項８に記載の方法。
【請求項１０】
前記入れ墨が、前記動物の前記皮膚内に注入された複数のインテリジェントインクを含み、
前記複数のインテリジェントインクのそれぞれが、前記動物の複数の生理学的標的のうちの異なった生理学的標的に依存しており、
前記動物の前記皮膚内に注入された前記インテリジェントインクを含む前記入れ墨に基づいて前記動物の前記生理的状況を決定することが、前記動物の前記複数の生理学的標的のそれぞれに関して、前記動物の前記生理的状況を決定することを含む、
請求項１に記載の方法。
【請求項１１】
前記動物に前記入れ墨を適用することをさらに含み、前記動物に前記入れ墨を適用することが、
前記動物の注入部位において複数の針を備えた可撓性基板を位置付けることであって、前記複数の針のそれぞれが、自己溶解式かつ経皮吸収性の針を含み、前記複数の針のうちの少なくとも一部が、前記複数の針のうちの前記少なくとも一部のそれぞれの先端に染み込ませた前記インテリジェントインクを含む、位置付けることと、
前記注入部位において、前記皮膚内に前記複数の針を注入することと、
前記複数の針が前記皮膚内に打ち込まれたまま、前記複数の針から前記基板を取り外すことと、
前記複数の針のうちの前記少なくとも一部のそれぞれの前記先端に染み込ませた前記インテリジェントインクを放出するために、前記複数の針のうちの前記少なくとも一部を溶解することと
を含む、請求項１に記載の方法。
【請求項１２】
前記複数の針のうちの別の少なくとも一部が、前記複数の針のうちの前記別の少なくとも一部のそれぞれの先端に染み込ませた脱毛剤または脱色素剤のうちの少なくとも１つを含み、それにより、前記動物に前記入れ墨を適用することが、前記注入部位において、前記皮膚内に前記脱毛剤または前記脱色素剤のうちの少なくとも１つを注入することをさらに含む、請求項１２に記載の方法。
【請求項１３】
動物をモニタリングするためのシステムであって、
入れ墨として前記動物の皮膚内に注入されたインテリジェントインクの光学特性を測定するように、および前記測定された光学特性の現在値を生成するように構成された入れ墨リーダと、
前記入れ墨リーダに通信可能なように連結されたプロセッサと、
前記プロセッサに通信可能なように連結されたコンピュータ可読媒体と、
動作を行うための前記プロセッサによって実行可能なコンピュータ命令を含む健康モニタアプリケーションであって、前記動作が、
前記測定された光学特性の前記現在値に基づいて前記動物の生理的状況を決定すること、
前記動物の前記生理的状況を記録すること、および
生理的事象または状態を示す前記生理的状況に応じて、前記生理的事象または状態に対処するための警告をトリガすること
を含む、健康モニタアプリケーションと
を備える、システム。
【請求項１４】
前記健康モニタアプリケーションが、前記コンピュータ可読媒体上に記憶され、前記入れ墨リーダ、前記プロセッサ、および前記コンピュータ可読媒体が、ハンドヘルドコンピューティングデバイスを集合的に形成する、請求項１３に記載のシステム。
【請求項１５】
前記ハンドヘルドコンピューティングデバイスが、スマートフォンを含む、請求項１４に記載のシステム。
【請求項１６】
前記入れ墨リーダが、前記光学特性を測定するように、および前記インテリジェントインクを透過する、前記インテリジェントインクによって放射される、かつ／または前記インテリジェントインクに反射する光を受け取り、前記光学特性を表す電気信号を生成することによって、前記現在値を生成するように構成された光学イメージャを含む、請求項１３に記載のシステム。
【請求項１７】
前記入れ墨リーダが、放射線を放射するように構成された放射線源をさらに含み、
前記受け取った光が、前記インテリジェントインクに反射後の前記放射の少なくとも一部を含む、および
前記受け取った光が、前記放射の少なくとも一部の前記インテリジェントインクによる吸収に応じて、前記インテリジェントインクによって放射される蛍光を含む
のうちの少なくとも一方である、
請求項１６に記載のシステム。
【請求項１８】
前記入れ墨を形成するために、前記動物の前記皮膚内に前記インテリジェントインクを注入するように構成された入れ墨アプリケータをさらに備える、請求項１３に記載のシステム。
【請求項１９】
前記インテリジェントインクの前記光学特性が、少なくとも一度、特定の基準を満たす前記動物の特定の生理学的標的に応じて不可逆的変化を受けるように構成され、前記不可逆的変化は、前記特定の基準が測定時に満たされているか否かにかかわらず、測定可能である、請求項１３に記載のシステム。
【請求項２０】
前記インテリジェントインクの前記光学特性が、特定の基準を満たす前記動物の特定の生理学的標的に応じて可逆的変化を受けるように構成され、前記可逆的変化は、前記特定の基準が測定時に満たされていない限り、測定不能である、請求項１３に記載のシステム。
【請求項２１】
前記コンピュータ可読媒体に記憶された複数の動物レコードをさらに備え、前記複数の動物レコードのそれぞれが、複数の動物のうちの異なった動物に対応し、前記複数の動物レコードのそれぞれが、前記複数の動物のうちの対応する動物について経時的に記録された複数の生理的状況エントリーを含む、請求項１３に記載のシステム。
【請求項２２】
その上に記憶されるコンピュータ可読命令を含むコンピュータ可読媒体であって、前記コンピュータ可読命令が、プロセッサによる実行に応じて、動作を前記プロセッサに行わせ、または前記プロセッサに動作の実行を制御させ、前記動作が、
動物の皮膚内に注入されたインテリジェントインクを含む入れ墨に基づいて前記動物の生理的状況を決定することと、
前記動物の前記生理的状況を記録することと、
生理的事象または状態を示す前記生理的状況に応じて、前記生理的事象または状態に対処するための警告をトリガすることと
を含む、
コンピュータ可読媒体。
【請求項２３】
前記動物の前記皮膚内に注入された前記インテリジェントインクを含む前記入れ墨に基づいて前記動物の生理的状況を決定することが、
前記インテリジェントインクを透過し、前記インテリジェントインクによって放射され、かつ／または前記インテリジェントインクに反射する光を受け取ることと、
前記受け取った光に基づいて前記インテリジェントインクの光学特性の現在値を決定することと、
前記光学特性の前記現在値をベースライン値と比較することと
を含む、請求項２２に記載のコンピュータ可読媒体。
【請求項２４】
前記動物の前記皮膚内に注入された前記インテリジェントインクを含む前記入れ墨に基づいて前記動物の前記生理的状況を決定することが、
前記光学特性の前記現在値が前記ベースライン値の特定の範囲内にあることに応じて、前記インテリジェントインクが応答するように構成されている特定の生理学的標的に関する前記動物の前記生理的状況が正常である、と決定すること、または
前記光学特性の前記現在値が前記ベースライン値の前記特定の範囲外にあることに応じて、前記特定の標的に関する前記動物の前記生理的状況が異常である、と決定すること
をさらに含む、請求項２３に記載のコンピュータ可読媒体。
【請求項２５】
前記動物の前記皮膚内に注入された前記インテリジェントインクを含む前記入れ墨に基づいて前記動物の前記生理的状況を決定することが、紫外線光で前記インテリジェントインクを照らすことをさらに含み、
前記受け取った光に基づいて前記インテリジェントインクの前記光学特性の前記現在値を決定することが、前記紫外線光の少なくとも一部の前記インテリジェントインクによる吸収に応じて、前記インテリジェントインクによって放射される蛍光と関連付けられる光学特性を決定することを含む、
請求項２３に記載のコンピュータ可読媒体。
【請求項２６】
前記生理的事象または状態に対処するための警告をトリガすることが、前記動物および前記生理的事象または状態を識別する電子メッセージを生成することを含む、請求項２２に記載のコンピュータ可読媒体。
【請求項２７】
前記動作が、前記入れ墨を形成するために、前記動物の前記皮膚内に前記インテリジェントインクを注入することをさらに含む、請求項２２に記載のコンピュータ可読媒体。
【請求項２８】
前記入れ墨を形成するために、前記動物の前記皮膚内に前記インテリジェントインクを注入することが、前記動物の皮膚の真皮内に前記インテリジェントインクを注入することを含む、請求項２７に記載のコンピュータ可読媒体。
【請求項２９】
前記インテリジェントインクの光学特性が、前記動物の特定の生理学的標的に依存しており、
前記動物の前記皮膚内に注入された前記インテリジェントインクを含む前記入れ墨に基づいて前記動物の前記生理的状況を決定することが、前記インテリジェントインクの前記光学特性の値を決定することを含む、
請求項２２に記載のコンピュータ可読媒体。
【請求項３０】
前記動物の前記特定の生理学的標的が、前記動物のグルコースレベル、前記動物の水和レベル、前記動物の体温、前記動物のｐＨレベル、前記動物の中の特定のホルモンのレベル、または前記動物の中の特定の病原菌を含む、請求項２９に記載のコンピュータ可読媒体。
【請求項３１】
前記入れ墨が、前記動物の前記皮膚内に注入された複数のインテリジェントインクを含み、
前記複数のインテリジェントインクのそれぞれが、前記動物の複数の生理学的標的のうちの異なった生理学的標的に依存しており、
前記動物の前記皮膚内に注入された前記インテリジェントインクを含む前記入れ墨に基づいて前記動物の前記生理的状況を決定することが、前記動物の前記複数の生理学的標的のそれぞれに関して、前記動物の前記生理的状況を決定することを含む、
請求項２２に記載のコンピュータ可読媒体。
【発明の詳細な説明】
【背景技術】
【０００１】
本明細書に別段示されない限り、本明細書に説明される論拠は、本出願における特許請求の範囲に対する先行技術でもなければ、本項に含まれることによって先行技術であると認められるものでもない。
【０００２】
食肉または酪農業界において、あるいは繁殖向けに使用される家畜の健康は、最終製品の品質および価値を決定付ける可能性がありながら、家畜の健康に関する情報は、容易に入手できない場合がある。たとえば、食肉処理用に飼育される動物の健康およびストレスの状態は、食肉処理後まで知ることができない。動物によっては、食肉処理に先立つストレスに起因して、黒ずんだ切り口になることがあり、そのストレスは、移送、乱暴な扱い、寒冷前線などの天候の変化、または食肉処理前に動物がそのグリコーゲン貯蔵に頼ることになる他の要因から起こり得る。黒ずんだ切り口の動物においては、動物食肉処理後に乳酸に変えられるべく利用可能なグリコーゲンが相対的に少ない場合があり、そのため、その食肉の色は、通常よりも黒ずんでいることがある。そのような黒ずんだ切り口の食肉は、黒ずんでいない切り口の食肉よりも等級が低く、それほど値打ちが高くないものと見なされる場合がある。
【発明の概要】
【０００３】
本明細書に記載の技術は、概して、動物生活環モニタリングのための入れ墨に関する。
【０００４】
いくつかの例においては、動物をモニタリングするための方法は、動物の皮膚内に注入されたインテリジェントインクを含む入れ墨に基づいて動物の生理的状況を決定することを含むことができる。この方法はまた、動物の生理的状況を記録することを含むことができる。方法はまた、生理的事象または状態を示す生理的状況に応じて、生理的事象または状態に対処するための警告をトリガすることを含むことができる。
【０００５】
いくつかの例においては、動物をモニタリングするためのシステムは、入れ墨リーダ、プロセッサ、コンピュータ可読媒体、および健康モニタアプリケーションを含むことができる。入れ墨リーダは、入れ墨として動物の皮膚内に注入されたインテリジェントインクの光学特性を測定するように、および測定された光学特性の現在値を生成するように構成され得る。プロセッサは、入れ墨リーダに通信可能なように連結され得る。コンピュータ可読媒体は、プロセッサに通信可能なように連結され得る。健康モニタアプリケーションは、動作を行うためにプロセッサによって実行可能なコンピュータ命令を含むことができる。動作は、測定された光学特性の現在値に基づいて動物の生理的状況を決定することを含むことができる。動作はまた、動物の生理的状況を記録することを含むことができる。動作はまた、生理的事象または状態を示す生理的状況に応じて、生理的事象または状態に対処するための警告をトリガすることを含むことができる。
【０００６】
いくつかの例においては、その上に記憶されるコンピュータ可読命令を含むコンピュータ可読媒体が説明される。プロセッサによる実行に応じて、コンピュータ可読命令は、動作をプロセッサに行わせることができ、またはプロセッサに動作の実行を制御させることができ、その動作は、動物の皮膚内に注入されたインテリジェントインクを含む入れ墨に基づいて動物の生理的状況を決定することを含む。動作はまた、動物の生理的状況を記録することを含むことができる。動作はまた、生理的事象または状態を示す生理的状況に応じて、生理的事象または状態に対処するための警告をトリガすることを含むことができる。
【０００７】
前述の概要は、単に例示にすぎず、いかなる形でも限定することを意図するものではない。上に説明した例示的な態様、実施形態、および特徴に加えて、さらなる態様、実施形態、および特徴が、図面および以下の詳細な説明を参照することによって明らかになるであろう。
【０００８】
本開示の前述および他の特徴は、添付の図面とともに以下の説明および付随の特許請求の範囲から、より完全に明らかになるであろう。これらの図面が、本開示によるいくつかの実施形態のみを示しているにすぎないこと、そのため、その範囲を限定しているものと見なすべきでないことを了解しながら、添付の図面を用いて、追加の具体性および詳細により、本開示を説明することとする。
【図面の簡単な説明】
【０００９】
【図１Ａ】１頭または複数頭の動物をモニタリングするための例示的なシステムの略図である。
【図１Ｂ】図１Ａの１頭または複数頭の動物をモニタリングするための別の例示的なシステムの略図である。
【図２】例示的な動物、およびその動物におけるインテリジェントインクを含む１つまたは複数の入れ墨の配置を示す図である。
【図３Ａ】例示的な動物の耳、入れ墨アプリケータ、および動物の耳に適用され得る入れ墨を示す図である。
【図３Ｂ】例示的な動物の耳、入れ墨アプリケータ、および動物の耳に適用され得る入れ墨を示す図である。
【図３Ｃ】例示的な動物の耳、入れ墨アプリケータ、および動物の耳に適用され得る入れ墨を示す図である。
【図４】動物をモニタリングするための例示的な方法のフローチャートである。
【図５】例示的な入れ墨アプリケータのブロック略図である。
【図６Ａ】針が格納されている状態にある入れ墨アプリケータのいくつかの要素の例示的な構成を示す図である。
【図６Ｂ】針が格納されていない状態にある図６Ａの入れ墨アプリケータを示す図である。
【図６Ｃ】図６Ａおよび図６Ｂの入れ墨アプリケータのインクローラの一例を示す図である。
【図７Ａ】針が格納されている状態にある入れ墨アプリケータのいくつかの要素の別の例示的な構成を示す図である。
【図７Ｂ】針が格納されていない状態にある図７Ａの入れ墨アプリケータを示す図である。
【図７Ｃ】図７Ａおよび図７Ｂの入れ墨アプリケータのインクパッドの一例を示す図である。
【図８Ａ】針が格納されている状態にある入れ墨アプリケータのいくつかの要素の別の例示的な構成を示す図である。
【図８Ｂ】針が格納されていない状態にある図８Ａの入れ墨アプリケータを示す図である。
【図９Ａ】入れ墨アプリケータの例示的なパターン選択機構を示す図である。
【図９Ｂ】図９Ａのパターン選択機構を含む入れ墨アプリケータの底面図である。
【図１０Ａ】別の入れ墨アプリケータのいくつかの要素の例示的な構成を示す図である。
【図１０Ｂ】別の入れ墨アプリケータのいくつかの要素の例示的な構成を示す図である。
【図１０Ｃ】図１０Ａおよび図１０Ｂの入れ墨アプリケータの別の例示的な構成を示す図である。
【図１１】動物をモニタリングし、かつ／または入れ墨アプリケータを制御するように構成されている例示的なコンピューティングデバイスを示すブロック略図である。
【図１２】複数の抗原受容体と共役したＰＤＡベシクルを含む例示的なセンサを示す図である。
【図１３Ａ】動物の真皮内に注入されたセンサの働きを示す図である。
【図１３Ｂ】動物の真皮内に注入されたセンサの働きを示す図である。
【図１３Ｃ】動物の真皮内に注入されたセンサの働きを示す図である。
【図１４Ａ】動物の皮膚内への入れ墨インクの注入を示す図である。
【図１４Ｂ】動物の皮膚内への入れ墨インクの注入を示す図である。
【図１５】ロイコ染料を含む例示的なセンサを示す図である。
【発明を実施するための形態】
【００１０】
すべての図面は、本明細書に記載の少なくともいくつかの実施形態により構成されている。
【００１１】
以下の詳細な説明においては、本明細書の一部を成す添付の図面を参照する。図面においては、類似の符号は、文脈で別段の指図がない限り、通常、類似の構成要素を特定する。詳細な説明において説明される例示的な実施形態、図面、および特許請求の範囲は、限定することを意味するものではない。本明細書に提示される主題の精神または範囲から逸脱することなく、他の実施形態が利用可能であり、他の変更形態が作成可能である。本明細書に概括的に説明され、図に示される本開示の態様は、広く多様な異なる構成で、構成可能、置換可能、組合せ可能、分離可能、および設計可能であり、それらのすべてが、本明細書に明示的に企図される。
【００１２】
本開示は、概して、とりわけ、インテリジェントインクを含み、動物に適用される入れ墨に基づく動物の健康のモニタリングに関する方法、装置、システム、デバイス、およびコンピュータプログラム製品を対象とする。インテリジェントインクを含む入れ墨は、動物の健康をモニタリングする以外の多様な使用事例において実装され得、それらのうちのいくつかについては後述する。本開示はまた、概して、とりわけ、入れ墨の適用に関する方法、装置、およびシステムを対象とする。入れ墨に基づく動物の健康のモニタリングに関連し、入れ墨の適用に関連するさまざまな方法、装置、システム、およびデバイスについて説明してから、図面を参照することとする。
【００１３】
本明細書に使用される用語「入れ墨（ｔａｔｔｏｏ）」は、インクおよび／または他のインク要素を皮膚内に注入することによって生み出される皮膚内のパターンを含むことができる。動物の健康をモニタリングするための本明細書に記載の入れ墨は、１つまたは複数のインク要素を含む入れ墨インクによって形成され得る。各インク要素は、動物の皮膚上の注入部位においてまたは注入部位内に適用され得る多様な物質のうちのいずれかを含み得る。入れ墨が形成される皮膚のエリアは、注入部位と称すことができ、インク要素は、１本または複数本の針もしくは極微針による皮膚の穿通ありまたは穿通なしで、皮膚内に注入され得る。たとえば、インク要素は、皮膚の１つまたは複数の層もしくは深さまで皮膚を穿通する針または極微針によって、注入部位において皮膚の１つまたは複数の層もしくは深さまで注入され得る。別の例としては、インク要素は、皮膚を針または極微針によって穿通することなく、皮膚の表面にインク要素を塗布することによって、およびインク要素が皮膚の１つまたは複数の層もしくは深さまで皮膚の表面を通じて溶媒和できるようにすることによって、注入部位において皮膚の１つまたは複数の層もしくは深さまで注入され得る。
【００１４】
各インク要素が注入される皮膚の層または深さは、皮膚の表皮、真皮、もしくは皮下組織、透明層、顆粒層、有棘層、粘膜層、胚芽層、角質層などの表皮の構造体、もしくは表皮の他の構造体、乳頭領域、網状領域などの真皮の特定領域、もしくは真皮の他の領域、または皮膚の他の特定の層、構造体、もしくは領域を含むことができる。インク要素のそれぞれは、インテリジェントインク、非インテリジェントインク、因子、薬剤、もしくは支持要素を含むことができ、それらのさまざまな例については後述する。
【００１５】
いくつかの実施形態においては、インテリジェントインクおよび／または他のインク要素は、可視または光学的検出の結果を伴う体内での使用に向けて、体外アッセイ技術の適応によって開発され得る。その適応はまた、中期的（たとえば、１ヶ月以上）または長期的（たとえば、１年以上）な体内常駐のアッセイを安定させることを含むことができる。代替としてまたは加えて、インテリジェントインクまたは他のインク要素は、最初から、体内アッセイとして開発されることもある。体内アッセイに含まれるインテリジェントインクおよび／または他のインク要素は、結果として生じる入れ墨を通じて感知され、変換され、表示され得る。
【００１６】
いくつかの実施形態においては、概して、インテリジェントインクは、標的マーカと称すことができる動物の特定の生理学的標的、動物の一部、または動物の一部分に応答するように構成され得る。代わりにまたは加えて、インテリジェントインクは、動物の標的抗原もしくは他の標的マーカの存在または非存在を示すことができる可変光学特性を有する１つまたは複数のセンサを含むことができる。可変光学特性は、標的抗原または他の標的マーカの非存在下で、ある値もしくはある範囲の値を有することができ、標的抗原または他の標的マーカの存在下で、別の値もしくは別の範囲の値を有することができる色、蛍光性、あるいは他の光学特性を含むことができる。標的マーカは、動物のグルコースもしくはグルコースレベル、動物の水分もしくは水和レベル、動物の体温、動物のｐＨ、動物の中のホルモンもしくはホルモンのレベル、動物の中の特定の病原菌、動物の中の特定の抗原、塩分、ミネラル、ビタミン、糖分、炭水化物、脂質、リン脂質、核酸、ポリヌクレオチド、タンパク質、抗体、免疫調節性分子、疾病マーカ、または動物における生理的状態もしくは事象を示すことができる他の標的マーカを含むことができる。
【００１７】
いくつかの実施形態においては、インテリジェントインクは、抗体または他の抗原受容体と連結される紫外線（ＵＶ）照射された有色のポリジアセチレン（ＰＤＡ）ベシクルを含むことができる、動物の中の抗原に応答するように構成され得る。インテリジェントインクが応答するように構成可能な抗原は、特定のホルモンに固有とすることができ、または他の形で動物の中のコルチゾールもしくはプロゲステロンのレベルなど、特定のホルモンのホルモンレベルを示すことができる。したがって、抗原は、ホルモン固有の抗原を含むことができ、ＰＤＡベシクルに共役した抗体は、ホルモン固有の抗体を含むことができる。たとえば、抗体は、コルチゾール固有の抗原を検出するコルチゾール固有の抗体、またはプロゲステロン固有の抗原を検出するプロゲステロン固有の抗体を含むことができる。
【００１８】
さまざまな実施形態においては、ホルモン固有の抗体と連結されるＰＤＡベシクルは、センサと称すことができる。ホルモン固有の抗体が、溶液の中の対応するホルモン固有の抗原に曝されるとき、明確な色変化が、ＰＤＡベシクルにおいて生み出され得る。生物学的に生み出されたホルモン固有の抗体は、ＰＤＡベシクルに共役して、インテリジェントインクを生み出すことができる。ホルモン固有の抗原の存在下における青色から赤色へのインテリジェントインクの色変化は、明白であり、敏感であり得る。色変化は、ＰＤＡベシクルの表面における免疫反応に起因することがあり、それにより、ＰＤＡベシクルにおける配座変化がもたらされる可能性がある。この例における色変化は、１ミリリットル当たり１００ナノグラム（ｎｇ／ｍＬ）、１０ｎｇ／ｍＬ、または１ｎｇ／ｍＬもの低い濃度により肉眼で見ることができ得る。１００ｎｇ／ｍＬ、１０ｎｇ／ｍＬ、または１ｎｇ／ｍＬもの低い濃度は、たとえば、コルチゾールまたはプロゲステロンの血液濃度についての閾値センサとして使用されるのに十分敏感であり得る。しかしながら、事実上、適切な抗体、抗体模倣薬、受容体分子、または標的抗原もしくは他の標的マーカを結合するように構成されている他の抗原受容体をＰＤＡベシクルに共役させることによって、いずれの抗原も、そのようなインテリジェントインクを使用して検出可能になる。これらのシステムの感受性の調節は、ＰＤＡベシクルの膜内にさまざまな量の脂質を追加することにより達成され得、すなわち、脂質のタイプおよび濃度は、感受性を改変することができる。
【００１９】
いくつかの実施形態においては、ＰＤＡベシクルとともにインテリジェントインクを含む入れ墨インクは、リン酸緩衝生理食塩水（ＰＢＳ）などのキャリアにおいて送達され得る。いくつかの実施形態においては、キャリアは、流量を供給することができ、かつ／または注入部位の条件（たとえば、ｐＨおよびオスモル濃度）を合わせることができる。
【００２０】
いくつかの実施形態においては、そのようなセンサを含むインテリジェントインクは、皮膚に注入されて、入れ墨を形成することができ、インテリジェントインクは、ＰＤＡベシクルに共役したホルモン固有の抗体に対するホルモン固有の抗原の結合に応じて、青色から赤色に色を改変することができる。色変化は、肉眼によって読取り可能とすることができる。また、色変化は、機械で読み取ることも可能である。たとえば、光学イメージャは、コンピュータが、入れ墨の中の色を決定するように処理することができる写真を撮影するためのデジタルカメラを含むことができる。代替として、光学イメージャは、何の色の入れ墨が適時に所与の点にあるかを決定するために入れ墨の吸光度を測定することができる分光光度計を含むことができる。次いで、決定された色情報は、動物の一意の識別子（ＩＤ）と相関付けされ得る。
【００２１】
いくつかの実施形態においては、ＰＤＡは、非蛍光性状態（たとえば、ＰＤＡが青色であるとき）と、蛍光性状態（たとえば、ＰＤＡが赤色であるとき）とを交互に繰り返すことができる。したがって、この例におけるインテリジェントインクはまた、インテリジェントインクの蛍光性を測定することによっても読取り可能である。蛍光性を測定するために、適切な励起照明が、たとえば、放射線源によって提供され得る。インテリジェントインクのＰＤＡが赤色であるとき、励起照明にＰＤＡを曝すと、ＰＤＡは蛍光を発することになり得る。蛍光性は、蛍光分光光度計または他の好適なデバイスを使用して測定され得る。
【００２２】
肉眼で見ることができ、かつ／または機械で読み取られることが要求されるさまざまな実施形態におけるインテリジェントインクの濃度は、入れ墨の深さ、動物のタイプまたはその皮における注入部位、入れ墨のエリア、色または蛍光性が測定されるかどうか、入れ墨が読取り可能な環境、ならびに多様な他の因子など、１つまたは複数の因子に左右され得る。しかしながら、インテリジェントインクが肉眼によって読み取られることになる場合、インテリジェントインクを用いて入れ墨される１平方センチメートル（ｃｍ）エリアには、ＰＤＡベシクルが、１ミリグラム（ｍｇ）から１００ｍｇの間、または４０ｍｇから１００ｍｇの間、または８０ｍｇから１００ｍｇの間、含まれていることができる。入れ墨されるエリアのサイズ、および入れ墨されるエリアにおけるインテリジェントインクの濃度は、必要に応じて、調整され得る。
【００２３】
いくつかの実施形態においては、インテリジェントインクは、長時間にわたって、たとえば、数か月、または１年以上にもわたって、動物の皮の中で安定していることができる。さまざまな実施形態においては、インテリジェントインクのＰＤＡベシクルは、半透過性のカプセル材の中に封入されて、封入されない実施形態と比較すると、それらの劣化および再吸収を低減させることができる。異種移植のためのアルギン封入は、普通なら、ホストの免疫系によって攻撃され、すぐに拒絶されることになる物質に安定した環境を提供する。アルギンは、生体適合性とすることができ、対象（たとえば、ホルモン固有の抗原）の分子がセンサ近くに出入りすることを確実にするために、適切な分画分子量に調節可能である。非限定の例においては、コルチゾールを固有に結合するホルモン固有の抗体に共役し得るＰＤＡベシクルでは、約１キロダルトン（ｋＤａ）の分画分子量は、コルチゾールの相対的に自由な拡散を可能にしながら、分子量が分画分子量を上回る酵素センサ近くへの侵入を防止するのに十分であり得る。そのような酵素は、ホルモン固有の抗体を分解し得るプロテアーゼまたは他の酵素を含むことができる。
【００２４】
いくつかの実施形態においては、センサは、半透過性または不透過性とすることができる徐放型（time-release）カプセル材の中に封入され得る。徐放型カプセル材は、最終的に内部のセンサを曝すように、ある持続時間にわたって分解することができる。持続時間は、秒、分、時、日、週、月程度の持続時間、または何らかの他の持続期間を含むことができる。たとえば、持続時間は、２４時間、３０日、４５日、９０日、または何らかの他の持続時間を含むことができる。いくつかの実施形態においては、インテリジェントインクの中のセンサの相異なるセットは、センサの相異なるセットが曝されるのを経時的にずらすための相異なる持続時間の徐放型カプセル材の中に封入され得る。徐放型カプセル材が半透過性である場合、センサは、封入されている間は、上述のように働くことができる。センサは、半透過性の徐放型カプセル材の分解後、動物内で劣化および再吸収に曝される可能性があり、それにより、曝されたインテリジェントインクが別の形で動物の皮の中で安定しない限りは、インテリジェントインクを含む入れ墨、または入れ墨のインテリジェントインクの少なくとも何らかの部分が、最終的に薄れる、または消えることになり得る。徐放型カプセル材が不透過性である場合、センサは、不透過性の徐放型カプセル材の中で封入されている間は、概して、不活性とすることができる。センサは、不透過性の徐放型カプセル材の分解後、活性化されて、抗原または他の化合物を感知することができる。徐放型カプセル材の中にセンサを封入することは、経時的に入れ墨を自動的に薄れさせる、もしくは消失させること、センサのうちの一部もしくはすべての時間遅延型の活性化、または何らかの他の成果をもたらすために使用され得る。
【００２５】
いくつかの実施形態においては、インテリジェントインクは、いくつかの実施形態で有意な灌流を確保するために、真皮の毛細管床の中に埋め込まれてよく、または動物の皮膚の任意の他の所望の層、深さ、もしくは構造体において埋め込まれてよい。後述する１つまたは複数の因子など、他のインク要素は、インテリジェントインクを含むまたはインテリジェントインクの近くの皮膚内に注入されて、入れ墨の付近における毛細管の成長を促すことによってセンサの灌流を増大させることができる。真皮は、センサが確実に見えるほど動物の皮の表面の近くにありながらも、毛細管床との接触を行うことができる。表皮は、経時的に入れ墨を安定させるのに役立つ保護性層をその上にもたらすことができる。代替として、入れ墨は、より表皮に向かって、表皮の中に、または下皮すなわち皮下組織の中など、真皮の下にすら埋込み可能である。いくつかの事例においては、入れ墨は、動物の皮膚構造体内の複数の層の中に埋込み可能である。
【００２６】
いくつかの実施形態においては、前述のインテリジェントインクを含む入れ墨インクはまた、対応する入れ墨の測定を容易にし、かつ／または向上させるために、１つまたは複数の他のインク要素を含むことができる。たとえば、入れ墨インクはまた、１つまたは複数の因子、薬剤、および／または支持構造体を含むことができる。２つの例示的な因子には、血管内皮成長因子（ｖａｓｃｕｌａｒ  ｅｎｄｏｔｈｅｌｉａｌ  ｇｒｏｗｔｈ  ｆａｃｔｏｒ：ＶＥＧＦ）および表皮成長因子（ｅｐｉｄｅｒｍａｌ  ｇｒｏｗｔｈ  ｆａｃｔｏｒ：ＥＧＦ）を含めることができる。ＶＥＧＦは、入れ墨が注入された後、血管をセンサ付近まで補充して、血流内に抗原もしくは他のマーカが存在するときに、それらに対してセンサが曝されることを増加させる、または確実にすることができる。ＥＧＦは、注入部位において、治癒を促進させ、瘢痕形成を低減させることができ、それにより、動物の皮膚を通してのセンサおよび／またはインテリジェントインクの可視性を向上させることができる。薬剤には、乳白度増強剤、モノベンゾンなどの脱色素剤、チオグリコール酸などの脱毛剤、チタン酸塩などのＵＶ遮断剤、あるいはセンサおよび／もしくはインテリジェントインクの可視性を向上させるため、ならびに／または入れ墨の寿命を延ばすための他の薬剤を含めることができる。支持構造体には、注入部位における瘢痕組織を治癒し、低減させるための、入れ墨インクの注入後に表皮細胞または他の細胞によって浸潤され得る架橋コラーゲンヒドロゲル骨格など、ヒドロゲル骨格を含めることができる。
【００２７】
いくつかの実施形態においては、入れ墨インクのさまざまなインク要素は、注入部位において、一緒に混合され、かつ／または一緒に送達され得る。代わりにまたは加えて、インク要素によっては、他のインク要素とは別々に送達される場合もある。皮膚の相異なる層または深さに相異なるインク要素（または同じインク要素）を送達することができるさまざまな入れ墨アプリケータについては後述する。各インク要素が送達される皮膚の特定の層または深さは、インク要素およびその意図される目的、動物の皮における注入部位の場所、ならびに可能性として他の基準の中でも特に動物のタイプによって左右され得る。たとえば、ＰＤＡベシクルを含む上述のインテリジェントインクは、動物の皮膚の毛細管床に接触する真皮内に注入され得、注入部位において存在するメラニンまたは他の色素を効果的に除去する脱色素剤は、表皮内に注入されて、そこに存在しているメラノサイトに作用することができ、一方、体毛を除去する脱毛剤は、皮膚の表面に塗布され得、または毛嚢が存在する真皮もしくは下皮内の層まで注入され得る。
【００２８】
インテリジェントインクおよびインク要素の多くの実施形態を作成する戦略は、一般に安全と認められる（ｇｅｎｅｒａｌｌｙ  ｒｅｃｏｇｎｉｚｅｄ  ａｓ  ｓａｆｅ：ＧＲＡＳ）化学的性質を利用することができ、それにより、インテリジェントインクおよびインク要素は、（食物連鎖に入り得る）生産動物および／または人間において使用され得る。さらには、このならびに他のインテリジェントインクおよびインク要素は、保存寿命が数ヶ月以上である場合があり、または数ヶ月以上の保存寿命を確保するために、抗酸化物質などの保存料を用いて安定し得る。入れ墨それ自体（およびそのインテリジェントインク）は、皮膚内に注入後、何年にもわたって安定していることができる。日光に曝されることに起因する分解を低減させるＵＶ遮断剤など、入れ墨と同じ注入部位における、または注入部位の中の追加のインク要素は、入れ墨の寿命をさらにもっと延ばす可能性がある。
【００２９】
いくつかの実施形態においては、インテリジェントインクは、動物の抗原または他のマーカに応答することができる。たとえば、インテリジェントインクは、標的ホルモンを優先的に受け入れるように、染料発色団により官能化される、および修飾されたシクロデキストリンを含むことができる。染料発色団は、メチルレッドを含むことができ、その色は、標的ホルモンがシクロデキストリン内にゲストとして存在しない限り、シクロデキストリンによって抑制され得、ここでは、染料発色団は、皮下のｐＨの下でオレンジ色に見え得る。このインテリジェントインクは、ホルモン信号を増幅させることもなければ、それほど敏感であることもない。したがって、このインテリジェントインクは、ナノモル閾値ではなく、ホルモンレベルの漸増累積増加を検出するために使用され得る。たとえば、このインテリジェントインクは、ミクロモルからミリモルの範囲における漸増累積増加を検出するために使用され得る。
【００３０】
いくつかの実施形態においては、別のインテリジェントインクは、ポリマーで封入された溶液の中に、表面抗体またはアプタマー官能化金ナノ粒子を含むことができる。これらの粒子は、個々に浮遊しているとき、強い構造色を創出することができる。この構造色は、対応する標的分子が表面抗体に結合し、ナノ粒子の凝集を生じさせるとき、概して、赤色から青色に改変され得る。このインテリジェントインクは、１つの結合標的分子がいくつかのナノ粒子を凝集することができるとき、拡大効果を有することができる。コルチゾールおよび類似の分子についての金ナノ粒子表面アプタマーが、存在し、コルチゾールまたは他の類似の分子を検出するのにインテリジェントインクにおいて使用可能である。このインテリジェントインクは、たとえば、コルチゾールの場合、４０ｎｇ／ｍＬ、３０ｎｇ／ｍＬ、または２０ｎｇ／ｍＬもの低い濃度を検出することができる。低レベル増幅と組み合わせられた高い感受性は、閾値テストとしてのこのインテリジェントインクの優れた性能につながり得る。
【００３１】
いくつかの実施形態においては、別のインテリジェントインクは、アルカリ性ホスファターゼに共役したホルモン抗体の封入を含むことができる。この共役は、酵素機能を阻害することができる。封入は、ホルモン抗体結合が行われるまで不活性化された状態を維持することができる標準ホスファターゼ染色剤、たとえば、ファストレッドバイオレット／ナフトールＡＳ−ＢＩリン酸を含むことができる。ホスファターゼ活性が、ホルモン抗体結合に応じて回復され得、染色剤は、活性化され得る。
【００３２】
いくつかの実施形態においては、別のインテリジェントインクは、調節可能な増幅応答と制御可能な発現との両方を有することができる単純で制御可能なホルモン応答性株とすることができる細菌性細胞株を含むことができる。たとえば、Ｅ．ｃｏｌｉ菌種は、多くの標的分子に応答するように、および調節可能な方式で信号を増幅するように操作可能である。ステロイドに対する天然の細菌応答が、存在し、プラスミドを介してＥ．ｃｏｌｉに遺伝子学的に組み換えられ得る。この応答は、最低でも０．５ミリモル（ｍＭ）まで、またはナノモル（ｎＭ）範囲もしくはピコモル（ｐＭ）範囲まで起こる可能性がある。色変化の単純な形態は、レマゾールブラックＢなどの酵素に敏感な染料で満たされたカプセル材の中に漂白酵素の発現を含むことができる。
【００３３】
いくつかの実施形態においては、別のインテリジェントインクは、固有のホルモンを感知し、固有のホルモンに対して色または陰影の応答を行うために、ベタ・スプレンデンスなどの魚からの不死化色素保有細胞株またはメラニン保有細胞株を含むことができる。標的特異性は、メラニン保有細胞がステロイド濃度に応答するとき、細胞内の既存の応答の修飾によって生み出され得る。これらの細胞は、封入され得、ここで、それらはなおも、血液溶質を受け取ることができる。
【００３４】
別のインテリジェントインクは、細胞レベルで修飾されたメラニン保有細胞の働きに類似して、標的ホルモンに対して応答性であるように動物色素保有細胞器官から操作される封入された組織を含むことができる。イカ、タコ、およびいくつかの硬骨魚は、この目的のために使用可能な器官組織を保有する。組織は、繁殖および修飾によく適している場合がある。
【００３５】
いくつかの実施形態においては、別のインテリジェントインクは、標的ホルモンインプリントを用いて分子インプリントポリマー（ｍｏｌｅｃｕｌａｒｌｙ  ｉｍｐｒｉｎｔｅｄ  ｐｏｌｙｍｅｒ：ＭＩＰ）から構成される逆オパールなどの１次元、２次元、または３次元のフォトニック結晶構造体を保有する粒子を含むことができる。精密に調節されたフォトニック構造体は、多孔質要素の間隔に依存して、固有の構造色を生み出すことができる。ＭＩＰは、標的分子を取り込んでそれをインプリントし、膨張工程を受けることができ、それにより、成分の間隔の変化、したがって、構造色の可視変化が生じ得る。プロゲステロンおよびコルチゾールのＭＩＰ取込みが、開発されている。成分は、５０ｎｇ／Ｌを下回る被分析物濃度を検出することができる。
【００３６】
いくつかの実施形態においては、別のインテリジェントインクは、ホルモン抗体へのホルモンのアクセスを可能にする透過性ポリマー要素において固定されるホルモン抗体にわたって、封入された配向制御の液晶薄膜を含む粒子を含むことができる。ホルモン抗体が、標的抗原に結合されておらず、したがって、黒ずんで見えるとき、液晶は、垂直に整列され得る。抗原結合が行われるとき、液晶は、回転し、偏光について高反射性になり得る。
【００３７】
上述のインテリジェントインクのうちの一部またはすべては、標的ホルモンに対して応答性とすることができる。次に、温度など、１つまたは複数の他の生理学的標的に応答性とすることができるさまざまなインテリジェントインクについて説明することとする。温度に応答性であるいくつかのインテリジェントインクは、温度範囲にわたって可逆的または不可逆的に漂白する、もしくは着色するサーモクロミックのロイコ染料を含むことができる。インテリジェントインクとして使用するのに好適である例示的なロイコ染料は、温度制御可能なプロトン化を用いたクリスタルバイオレットラクトンを含むことができる。ロイコ染料は、ロイコ染料の色／漂白変化のための約３９℃移行点（または他の好適な移行点）を達成するために、固有の融点（ｍｅｌｔｉｎｇ  ｐｏｉｎｔ：ｍ．ｐ．）について選択される有機酸塩および溶媒とともにマイクロカプセルの中に封入され得る。具体的な例としては、ロイコ染料は、たとえばミリスチルアルコール（ｍ．ｐ．３８℃）と低率のセチルアルコール（ｍ．ｐ．４９℃）との、たとえば、脂肪アルコール混合物とともに封入され得る。この例における３９℃移行点は、牛、または約３８〜３８．５℃の成牛の標準的な体温を有する他の動物において使用するのに好適である場合がある。この例においては、溶媒の溶融に応じて、溶質は、流動性になり得、ｐＨは、下がる場合があり、それにより、マイクロカプセル内の色変化を生じさせるロイコ染料の構造上の変化が生み出され得る。マイクロカプセルは、センサと称すことができる。
【００３８】
いくつかの実施形態においては、そのようなセンサの封入は、３〜５マイクロメータ（μｍ）程度のポリエステルもしくはポリスチレンの球内で、または他の好適な不活性ポリマーマイクロカプセル内で行われ得る。
【００３９】
いくつかの実施形態においては、封入されたロイコ染料を含むインテリジェントインクの化学的性質は、可逆的変化をもたらすことができる。不可逆的色変化を受けることができ、かつ温度スパイクの恒久的な記録を行うことができるいくつかのロイコ染料が入手可能である。多様なこれらのロイコ染料は、既製品としてすぐに入手可能である。
【００４０】
いくつかの実施形態においては、可逆的または不可逆的な色変化を受けるロイコ染料を含むインテリジェントインクは、肉眼で見ることができ得、かつ／または入れ墨リーダによって測定可能であり得る。色変化は、無色および／または自然な明るい皮膚の色調から黒ずんだ強いすみれ色への変化を含むことができる。
【００４１】
いくつかの実施形態においては、皮膚１平方ｃｍ当たりの濃度が１〜２５０ｍｇ、または１００〜２５０ｍｇ、または２００〜２５０ｍｇのマイクロカプセルが、注入されて、高可視性マーカを生み出すことができる。マイクロカプセルは、ミリスチン酸イソプロピルなどの経皮吸収型キャリアの中に浮遊して送達され得る。入れ墨されるエリアのサイズ、および入れ墨されるエリアの中のインテリジェントインクの濃度は、必要に応じて、調整され得る。
【００４２】
この例においては、マクロカプセルの中の活性成分（たとえば、ロイコ染料）は、安定し、長寿命とすることができ、セルロース誘導体などの不活性ポリマー内に封入され得、それにより、外部薬剤のアクセスを防止することができる。したがって、このインテリジェントインクは、２〜３年間、または何らかの他の時間期間にわたって、動物の皮膚内の関連する温度変化を感知することができ得る。
【００４３】
いくつかの実施形態においては、インテリジェントインクは、封入された溶媒の構成バランスを改変することによって、所望の場所における関連の温度に応答するように合わせられ得る。動物の、皮膚の中の好適な深さおよび体における配置において、インテリジェントインクは、体熱にアクセスすることができ、そのため、その温度応答性範囲が較正可能である。体における入れ墨の場所に応じて、中核体温は、皮膚温度と中核温度との間の以前に確立された関係から推測され得る。
【００４４】
いくつかの実施形態においては、インテリジェントインクは、皮膚温度を検出するために、皮膚の中の相対的に浅い深さまで注入され得、それは、周囲温度によって影響を受ける場合がある。他の実施形態においては、インテリジェントインクは、中核温度を検出するために、および／またはインテリジェントインクに対する周囲温度の影響を低減させるために、相対的により深い深さに、たとえば、皮下組織の中の脂肪層内に、またはその下に注入され得る。
【００４５】
マイクロカプセル内に入れられているロイコ染料は、約６０℃を下回って有色から無色へと循環させることによって損傷を受けることなく可逆的変化を受けることができる。
【００４６】
いくつかの実施形態においては、インテリジェントインクは、動物の品種（breed）および種（species）に応じて、０．１ｍｍから４ｍｍの間の深さを含み得る、真皮内のいずれかの場所に、または動物の皮膚の中の任意の他の層もしくは深さにおいて配置され得る。深さは、相異なる動物、またはある動物における相異なる部位において使用される場合、変動する場合がある。注入部位の温度がインテリジェントインクの移行点を超えるときの著しく黒ずむ色変化は、皮膚を通じてこのインテリジェントインクが強く見えるようにさせることができる。
【００４７】
いくつかの実施形態においては、温度変化がすべてのマイクロカプセルに個々に影響を与える可能性があるとき、インテリジェントインクの変化を（たとえば、肉眼によって、または入れ墨リーダを使用して）知覚するためのさらなる増幅は必要とされない場合がある。
【００４８】
いくつかの実施形態においては、カプセルは、不活性とすることができ、有毒成分を全く含まないことができ、皮膚にのみ送達され得る。これらのタイプのマイクロカプセルは、衣類、ならびに食品および飲料の容器におけるインジケータにおいて採用されている。それらは、動物または人間に対して健康リスクを示すことがなく、いずれの消耗量または摂取量も、マイクロカプセルの配置および大きいサイズに起因して極めて低くすることができる。いくつかの実施形態においては、カプセルは、反応性とすることができ、インテリジェントインクの、動物の体との相互作用の一部を形成することができる。
【００４９】
いくつかの実施形態においては、このインテリジェントインクの保存寿命は、正しい貯蔵条件、たとえば、標準的な室温約２５℃および直射日光なしの下で、５年より長くすることができる。
【００５０】
いくつかの実施形態においては、上述のもの以外のインテリジェントインクは、温度または他の標的マーカに応答することができる。たとえば、インテリジェントインクは、水和すると同時に、色を得る、または変化させる吸湿無水塩を含むことができる。吸湿無水塩は、移行点と称される、主鎖のものと異なる温度において、結晶化する側鎖を伴ってポリマーのマクロカプセル内に封入され得る。移行点は、精密に調節することができ得る。側鎖が結晶化するとき（たとえば、移行点を下回る温度において）、ポリマーの透水性は、極めて低くすることができる。移行点を上回る温度においては、側鎖は、弛緩し、水蒸気の通過を可能にすることができる。水分に曝されていないときは無色とすることができる吸湿無水塩は、側鎖が弛緩し、水蒸気の通過を可能にするとき、水分に曝されて、それによって、有色になることができる。吸湿無水塩は、塩化コバルト、硫酸銅、または他の吸湿無水塩を含むことができる。このインテリジェントインクの色変化は、不可逆的とすることができる。
【００５１】
いくつかの実施形態においては、インテリジェントインクは、真皮の中に送達される封入済みのサーモクロミックコレステリック（ｔｈｅｒｍｏｃｈｒｏｍｉｃ  ｃｈｏｌｅｓｔｅｒｉｃ）またはキラルネマチック（ｃｈｉｒａｌ  ｎｅｍａｔｉｃ）液晶オイルを含むことができる。液晶オイルは、相溶性ポリマーを用いたコアセルベーションを含むいくつかの技法によって封入され得る。コレステリック液晶は、固有の移行温度、および移行範囲に正確に調節することができ得、３７℃から４０℃の間、または何らかの他の温度範囲の赤色から青色に、目に見えるように厳密に、移行するように調節され得る。このインテリジェントインクは、材料単体が、温度範囲についての色範囲を生み出すことができ得るとき、動物の継続的な温度モニタリングのために使用可能であり、低、中、ならびに高の温度および中間体の識別が可能になる。
【００５２】
いくつかの実施形態においては、インテリジェントインクは、２３℃から１３０℃の間の上昇温度の下、青色から赤色への色変化を受けるＰＤＡポリマーを含むことができる。この範囲の固有の領域は、ポリマー化に向けて最初のモノマーを改変することによって選択可能である。このインテリジェントインクは、可逆的または不可逆的な変化を生み出すために使用され得る。
【００５３】
いくつかの実施形態においては、インテリジェントインクは、別のタンパク質に結合されたアスタキサンチンを含むことができる。アスタキサンチンは、自由状態にあるとき（たとえば、アスタキサンチンが別のタンパク質に結合されていないとき）、鮮やかなオレンジ色／赤色のカロチノイドである。アスタキサンチンの色は、自由状態にないとき（たとえば、それが別のタンパク質に結合されているとき）、抑制され得る。色は、結合されたタンパク質が変性した後、戻ることができる。アスタキサンチンは、動物の体内で達成可能なものをはるかに上回る高い変性温度を有することができ、したがって、動物の体内で熱的に変性し得ない。しかしながら、アスタキサンチンは、多くの細胞内タンパク質の特性である約４０℃において変性を開始するタンパク質に結合可能であり、したがって、生物学的に関連するサーモクロミックインジケータとして働く。このインテリジェントインクにおける色変化は、不可逆的とすることができる。
【００５４】
いくつかの実施形態においては、インテリジェントインクは、３５℃において緑色から紫色に変わる銅基化合物である銅（Ｃｕ）二酸化窒素（ＮＯ２）２アンモニア（ＮＨ３）２の化合物を含むことができる。インテリジェントインクはまた、４３℃において赤色から深い青紫色に可逆的に色を変化させるビス（Ｎ，Ｎ−ジエチルエチレンジアミン）銅（ＩＩ）過塩素酸塩（Ｂｉｓ（Ｎ，Ｎ−ｄｉｅｔｈｙｌｅｔｈｙｌｅｎｅｄｉａｍｉｎｅ）ｃｏｐｐｅｒ（ＩＩ）ｐｅｒｃｈｌｏｒａｔｅ）を含むことができる。ＣＵ（ＮＯ２）２（ＮＨ３）２と、ビス（Ｎ，Ｎ−ジエチルエチレンジアミン）銅（ＩＩ）過塩素酸塩との組合せは、３５℃から４３℃までの温度ウィンドウ（ｔｅｍｐｅｒａｔｕｒｅ  ｗｉｎｄｏｗ）を確立し、それからの逸脱は、劇的な色変化によって視認でき得る。これらの化合物は、ポリマーミクロスフェアの中に堅牢に封入されて、動物内環境との化学的相互作用を回避することができる。
【００５５】
次に、標的ホルモンまたは温度以外の１つまたは複数の生理学的標的に応答性とすることができるインテリジェントインクのさまざまな実施形態について説明することとする。たとえば、インテリジェントインクは、動物の皮膚内に注入可能なグルコースについての色変化マーカを含むことができる。グルコースについての色変化マーカは、グルコメータを使用して行われた血中グルコース測定結果との優れた相関関係を有することができる。動物入れ墨における１つのそのようなマーカまたはインテリジェントインクは、以下のように働くことができる。入れ墨のインテリジェントインクは、共有結合しているフェニルボロン酸誘導体ならびに合成されている２つの付着した蛍光体を含有するナノスフェアを含有することができる。ナノスフェアは、糖濃度に依存して、サイズが変動し得る。グルコースの非存在下では、ナノスフェアは、小さくすることができ、それによって、相対的に高密度または高濃度の色を入れ墨に提供することができる。グルコース濃度が増加するにつれて、グルコースは、酸と結合することができ、蛍光体のサイズを増大させることができ、ひいては、インテリジェントインクを含む入れ墨、もしくは入れ墨の少なくとも一部の色密度または色濃度が低下し得る。
【００５６】
別のそのようなマーカまたはインテリジェントインクは、動物における血中または他のどこかの電解質に応答することによって、動物の水和レベルを標的にすることができる。たとえば、インテリジェントインクにおいて使用される応答性染料は、１２０ミクロンのミクロスフェアなどのミクロスフェア内に封入され得る。ミクロスフェアは、生体適合性材料によりコーティングされ得、入れ墨のすべてまたは一部を構成するインテリジェントインクとして動物の皮下組織に移植され得る。ミクロスフェアは、小さいカチオンに対して多孔質であるように構成され得る。間質腔からのカチオンは、ミクロスフェア内と間質腔内との濃度を同じとすることができるように、ミクロスフェア中に移動することができる。染料の近くにカチオンが存在することにより、染料は、電子を損失し、蛍光性になることができる。これらのミクロスフェアから構成されたインテリジェントインクを含む入れ墨の部分の相対蛍光性は、間質腔内のナトリウム濃度を決定するために使用可能であり、それにより水和レベルが推測可能になる。
【００５７】
他のインテリジェントインクは、代わりにまたは加えて、本明細書に説明される動物生活環モニタリングのために実装され得る。
【００５８】
本明細書に記載のインテリジェントインクを含む入れ墨のさまざまな使用事例が存在し得る。１つのそのような事例においては、牛の群れの中の１頭または複数頭の牛が、群れの中の入れ墨された動物の生理的状況をモニタリングするために、１つまたは複数のインテリジェントインクを用いて入れ墨され得る。農場主、農場作業者、牧場主、牧場作業者、獣医、または他の人は、いずれの通信ネットワークにも、もしくはコンピュータデバイスにも、ほとんどまたは全くアクセスできない遠隔場所、たとえば、牛追い中に、あるいは通信ネットワークまたはコンピューティングデバイスにアクセスするには不便な可能性がある場所において、動物と一緒にいる場合がある。人は、肉眼により入れ墨された動物のそれぞれの入れ墨を観察し、入れ墨に基づいて動物の生理的状況を決定し、次いで、何らかの他のアクションを取ることができる。人が取ることのできるアクションは、決定された生理的状況によって示される生理的事象もしくは状態を処置すること、その動物を、同じ生理的事象もしくは状態を有しない他の動物から分離すること、または何らかの他のアクションを含むことができる。たとえば、動物が妊娠していることを動物の入れ墨が示す場合、その動物は、妊娠に関して処置され得る。動物が病原菌を持っていることを動物の入れ墨が示す場合、その動物は、病原菌を持っていないことを入れ墨が示す他の動物から分離または隔離され得る。動物の血中グルコースレベルが相対的に高いことを動物の入れ墨が示す場合、そのことは、動物が筋肉または肝臓のグリコーゲンを消耗させており、黒ずんだ切り口になる恐れがあることを示す可能性があるが、その動物は、食肉処理に送られる動物のグループから分離され得る。
【００５９】
別の潜在的な使用事例においては、インテリジェントインクを含む入れ墨が、たとえば、絶滅危惧種または他の種についての保護の取組みにおいて使用され得る。例には、サイ、パンダ、およびトラのいくつかの種が含まれ、その他多くが存在する。例示的な実装形態においては、絶滅危惧種内の繁殖メスは、種における発情と関連付けられるホルモンに応答するインテリジェントインクを用いて入れ墨され得る。繁殖メスが発情期にあることを繁殖メスの入れ墨が示すとき、その繁殖メスの発情時期のうちの一部またはすべての間、その繁殖メスをその種の１頭または複数頭の繁殖オスと結び付けるための準備がなされ得る。
【００６０】
別の潜在的使用事例においては、インテリジェントインクを含む入れ墨が、イヌ、ネコ、フェレット、カメ、ヘビなどのペット、または他のペットに適用され得る。この例においては、インテリジェントインクは、１つまたは複数の病原菌、発情期および／もしくは妊娠と関連付けられるホルモン、繁殖固有の生理的事象もしくは状態と関連付けられる標的マーカ、または他の標的マーカに応答性とすることができる。所有者、繁殖従事者、獣医、および／またはペットと関連付けられる他の個人が、自身のペットの入れ墨を観察して、そのペットが、感染しているか、発情期にあるか、妊娠しているか、または何らかの他の生理的事象もしくは状態を有しているかどうかをモニタリングすることができる。個人は、そのペットを獣医に連れて行くこと、望ましくない妊娠を避けるために、発情期中はそのペットを同じ種の他のメンバーから隔絶させること、妊娠を起こさせるために、発情期中は、種付けのオスを借りる、もしくはそのペットに人工授精させること、そのペットが妊娠している間は、そのペットの食事もしくは日々の運動を修正すること、あるいはそのペットが、病原菌により感染している、発情期にある、妊娠している、または何らかの他の生理的事象もしくは状態を有することを示す入れ墨に応じて、何らかの他のアクションを取ることができる。
【００６１】
他の潜在的な使用事例は、広くには動物という用語に入る人間に関与する。人間に関与する使用事例の一例としては、軍事要員または他の人間は、ストレスもしくは抑鬱、および／または他の標的マーカと関連付けられるホルモンに対して応答性である１つまたは複数のインテリジェントインクを用いて入れ墨され得る。軍事要員および／もしくはその上官、または他の個人は、軍事要員の入れ墨をモニタリングして、彼らの戦闘準備態勢、もしくは他の生理的状況、および／または軍事要員の精神的状況を決定することができる。その軍事要員がストレスを受けている、または抑鬱状態であることを入れ墨が示す場合、１つまたは複数のストレス低減もしくは抑鬱処置が、その軍事要員について推奨され、または処方され得、あるいは何らかの他のアクションが取られ得る。
【００６２】
別の実施形態においては、インテリジェントインクを含む入れ墨が、医療の場、または他の場におけるオキシトシンレベルおよび／もしくは浮腫をモニタリングするために使用され得る。たとえば、出産予定の母親が、その出産予定の母親のオキシトシンレベルに応答性であるインテリジェントインクを用いて入れ墨され得る。出産予定の母親のオキシトシンレベルが高く、かつ／または上昇していることを入れ墨が示し、出産予定の母親が分娩の医療提供者とまだ一緒にいない場合、その出産予定の母親は、たとえば、病院に車で向かうこと、または出産予定の母親の看護をするために往診する助産師、看護師、医師、もしくは他の医療提供者に連絡を取ることによって、適切な準備を行うことができる。代替としてまたは加えて、出産予定の母親のオキシトシンレベルが低いことを入れ墨が示し、彼女の胎児が満期である、または満期近くである場合、オキシトシンの静脈内注射が、出産予定の母親に投与されて、陣痛を誘発することができる。代替としてまたは加えて、胎児の出産後、母親のオキシトシンレベルが低いことを入れ墨が示し、かつ／または母親が母乳を作り出しにくいことを経験している場合、オキシトシンが、母親に投与されて、母乳の放出を促進することができる。これらまたは他のアクションが、入れ墨によって示されるオキシトシンレベルに応じて取られ得る。
【００６３】
別の実施形態においては、病院または他の場における患者が、浮腫と関連付けられる１つまたは複数の標的マーカ（たとえば、間質の中にある体液）に応答性であるインテリジェントインクを用いて入れ墨され得る。患者の中の浮腫の発症を入れ墨が示す場合、適切な処置がその患者に施行され得る。
【００６４】
さらなる別の実施形態においては、糖尿病を持つ人間（糖尿病患者）が、血中グルコースレベルに応答する１つまたは複数のインテリジェントインクを用いて入れ墨され得る。多くの糖尿病患者は、糖尿病患者の血中グルコースレベルを決定するために、指、または自身の体における他の場所を刺して血液を引き出し、血液の一部を試験紙に当て、試験紙を血中グルコースメータの中に挿入することによって、一日に複数回、自身の血中グルコースレベルを試験する。血中グルコースレベルに応答する１つまたは複数のインテリジェントインクを含む入れ墨を有する糖尿病患者が、入れ墨を観察して、非侵襲的な方式で、たとえば、血液を引き出すのに自分自身を刺さずに、自身の血中グルコースレベルを決定することができる。たとえば、インテリジェントインクは、血中グルコースレベルが閾値レベルを下回るとき、ある色になり、血中グルコースレベルが閾値レベルを上回るとき、別の色になるように構成され得る。代替としてまたは加えて、インテリジェントインクは、血中グルコースレベルの範囲にわたって一方の色から他方の色へと徐々に移行するように構成され得、所与の時点におけるインテリジェントインクの色は、その範囲内の特定の血中グルコースレベルを示している。代替としてまたは加えて、糖尿病患者は、光学イメージャを使用してインテリジェントインクの色または他の光学特性を測定して、その時点での糖尿病患者の血中グルコースレベルを推測することができる。糖尿病患者の血中グルコースレベルが相対的に高いことを入れ墨が示す場合、その糖尿病患者は、インシュリンを自分自身に投与して、その血中グルコースレベルを下げることができる。糖尿病患者の血中グルコースレベルが相対的に低いことを入れ墨が示す場合、その糖尿病患者は、何らかのキャンディ、ジュース、もしくは他の食品を摂取し、または飲んで、その血中グルコースレベルを上げることができる。
【００６５】
別の実施形態においては、不妊問題を経験している人間が、排卵および／もしくは妊娠と関連付けられるホルモンに応答する１つまたは複数のインテリジェントインクを用いて入れ墨され得る。女性が排卵していることを入れ墨が示すとき、その女性は、妊娠を起こさせるために適切なアクションを取ることができる。代替としてまたは加えて、女性が妊娠していることを入れ墨が示すとき、その女性は、流産になる可能性を低減させるために、自分の食事、運動、仕事のスケジュール、および／または自分の生活の他の側面を修正することができる。
【００６６】
別の実施形態においては、人間が、純粋に美的な理由で、インテリジェントインクを用いて自分自身に入れ墨をすることができる。例としては、一部の人間は、その人間の１つまたは複数の標的マーカに応答性である色、あるいは何らかの他の光学特性において変動する１つまたは複数のインテリジェントインクを含む入れ墨を欲しがる場合がある。
【００６７】
いくつかの潜在的な使用例は、入れ墨リーダ、入れ墨アプリケータ、サーバ、コンピューティングデバイス、および／もしくはネットワークのうちの１つまたは複数に関与する場合がある。入れ墨の適用は、インテリジェントインクを用いて動物に入れ墨をするために、手動でまたは自動的に施術され得る。
【００６８】
入れ墨リーダは、入れ墨を読み取って、動物の生理的状態を決定することができる。これらおよび他の例においては、入れ墨リーダは、光学イメージャおよび／または放射線源を含むことができる。放射線源は、白光、ＵＶ光、または他の光を放射して、入れ墨に照射することができる。光学イメージャは、入れ墨を読み取るために、入れ墨に含まれた各インテリジェントインクの、および／または１つもしくは複数の非インテリジェントインクの１つあるいは複数の可変光学特性を測定することができる。光学特性は、対応するインクの色、あるいはより具体的には、対応するインクに反射する１つの波長もしくは複数の波長、対応するインクの色彩度、対応するインクの蛍光性、または対応するインクの他の光学特性を含むことができる。光学特性は、対応するインクに反射し、対応するインクを透過し、対応するインクによって放射され、かつ／または対応するインクによって干渉される光の光学特性を測定することによって測定され得る。測定された光学特性は、サーバに提供され得、かつ／または入れ墨リーダを含み得る、もしくは入れ墨リーダに連結され得るコンピューティングデバイスにおいて保持され得る。
【００６９】
サーバまたはコンピューティングデバイスは、１つまたは複数の動物レコード、および／あるいは健康モニタアプリケーションを含むことができる。各動物レコードは、入れ墨がある各動物のレコードを含むことができる。動物レコードのそれぞれが、動物のうちの対応するものについての健康モニタアプリケーションによって生成され、かつ／または記録される生理的状況を含むことができる。生理的状況は、対応する動物の入れ墨に含まれた各インテリジェントインクおよび／または非インテリジェントインクの光学特性の１回あるいは繰返しの測定結果を含むことができる。代わりにまたは加えて、生理的状況は、光学特性の測定結果の解釈を含むことができる。たとえば、光学特性の測定結果は、光学特性の数値を含むことができ、各数値は、異なる測定結果に対応する。比較する際には、各解釈は、対応する数値を、特定の生理学的標的が、正常または異常であること、特定の範囲内または範囲外にあること、特定の生理的事象もしくは状態を示している（または示していない）ことを示すと解釈することができ、あるいは数値の何らかの他の解釈を提供することができる。いくつかの実施形態においては、動物レコードのそれぞれにおける測定結果の入力および／または測定結果の解釈はそれぞれ、いつ測定結果が入れ墨リーダから受信され、かつ／または動物レコードに入力されたかについてのタイムスタンプあるいは別のインジケータを含むことができる。
【００７０】
入れ墨リーダ、入れ墨アプリケータ、サーバ、コンピューティングデバイス、および／またはネットワークは、動物の生理的状況をモニタリングするための方法に含まれ得る。この方法は、たとえば、入れ墨アプリケータを使用して、動物の皮膚にインテリジェントインクを含む入れ墨を形成することを含むことができる。方法はまた、入れ墨に基づいて動物の生理的状況を決定することを含むことができる。方法はまた、生理的状況を記録し、生理的状況が、生理的事象または状態を示すかどうかを決定することを含むことができる。生理的状況が生理的事象または状態を示す場合、生理的事象または状態に対処するために、警告がトリガされ得る。加えて、方法は、トリガに応じて、生理的事象または状態に対処することを含むことができる。
【００７１】
上記例から分かるように、本明細書に記載の技術は、本技術を許容することができるいずれの種類の動物にも適用することができる。上記は、非限定的な例であり、事実上、陸生動物、海生動物、鳥類、虫、両生類、爬虫類、および他の動物を含むいずれの動物も、本技術の潜在的な受け手であり得る。
【００７２】
本明細書に説明される入れ墨は、本明細書に種々説明される任意の好適な入れ墨アプリケータを使用して適用され得る。本明細書に記載の入れ墨アプリケータのうちの一部は、同じ長さの、および／または皮膚の同じ層もしくは深さまで穿通する針あるいは極微針を含む。これらおよび他の実施形態においては、１つまたは複数のインク要素が、皮膚の同じ層または深さまで注入され得る。
【００７３】
いくつかの実施形態においては、本明細書に記載の入れ墨アプリケータは、相異なる長さの、および／または皮膚の相異なる層もしくは深さまで穿通する針あるいは極微針を含む。これらおよび他の実施形態においては、１つまたは複数のインク要素が、皮膚の、ある層または深さまで注入され得るが、１つまたは複数の他のインク要素は、皮膚の別の層または深さまで注入され得る。具体的な例としては、入れ墨アプリケータは、皮膚の表皮内に脱色素剤を注入するある長さのいくつかの極微針、皮膚の真皮内にインテリジェントインクを注入する別の長さの他の極微針、ならびに皮膚の真皮および／または皮下組織の中の下側深さ内に脱毛剤を注入するさらなる別の長さのさらなる他の極微針を含むことができる。いくつかの実施形態においては、相異なるインク要素は、相異なる時に１つの長さの針または極微針を、次いで、異なる長さの針または極微針を別々に注入せず同時に、相異なる層または深さまで注入され得る。代替としてまたは加えて、いくつかの針または極微針は、複数のインク要素を針ごとまたは極微針ごとに、皮膚の相異なる層または深さに送達することができる。
【００７４】
針または極微針に加えて、１つまたは複数の入れ墨アプリケータのいくつかの実施形態は、インク送達機構、インクリザーバ、消毒機構、洗浄機構、およびパターン選択機構のうちの１つまたは複数を含むことができる。インク送達機構は、針または極微針にインクを送達するように構成され得、それにより、針または極微針は、皮膚内の対応する層または深さ内にインクを注入することができる。たとえば、インク送達機構は、インクを皮膚の表面上にロール付けするように構成されているローラを含むことができ、次いで、インクは、針または極微針によって皮膚内に注入され得る。インクローラは、異なるインクまたはインク要素をそれぞれが含む複数のエリアを含むことができる。別の例としては、インク送達機構は、針または極微針が皮膚に穿通する前に貫通するインクパッドを含むことができ、針または極微針は、それらがインクパッドを貫通するとき、その先端にインクの一部を保持することができ、保持されたインクを皮膚内に注入することができる。インクパッドは、異なるインクまたはインク要素をそれぞれが含む複数のエリアを含むことができる。別の例としては、針または極微針が有孔針を含む場合、インク送達機構は、インクを有孔針の中空部分を通じて皮膚内に送達するためのポンプ、管類、および／または他の装置もしくはデバイスを含むことができる。この例においては、インク送達機構は、相異なるインクまたはインク要素を相異なる有孔針に送達して、皮膚内に注入することができる。
【００７５】
いくつかの実施形態においては、インクリザーバは、インクを保持し、インクをインク送達機構および／または針もしくは極微針に供給するように構成され得る。インクリザーバは、相異なるインクおよび／またはインク要素を保持するように区分けされ得る。
【００７６】
いくつかの実施形態においては、アプリケータは、消毒機構を含むことができる。消毒機構は、相異なる動物への入れ墨の適用間の針または極微針に消毒剤を塗布するように構成されている。たとえば、消毒機構は、消毒剤に浸されたスポンジを含むことができる。針または極微針は、皮膚に穿通していないとき、針または極微針が消毒剤と接触しているようにスポンジ内に格納され得る。代替としてまたは加えて、針または極微針が有孔針である場合、消毒機構は、有孔針の中空部分を通るよう消毒剤を経路付けるように構成され得る。
【００７７】
いくつかの実施形態においては、アプリケータは、洗浄機構を含むことができる。洗浄機構は、入れ墨が適用されることになる皮膚の注入部位を洗浄するように構成され得る。洗浄機構は、洗浄剤に浸されているスポンジを含むことができる。
【００７８】
いくつかの実施形態においては、アプリケータは、パターン選択機構を含むことができる。パターン選択機構は、針もしくは極微針の配置構成またはパターンを変更するように構成され得る。パターン選択機構は、針または極微針の複数の相異なるパターンをそれぞれが含む１つまたは複数のセレクタを含むことができる。各セレクタは、セレクタの複数の相異なるパターンのうちの１つを選択するように動作し得る。
【００７９】
さまざまな実施形態においては、入れ墨アプリケータは、自己溶解式（ｓｅｌｆ−ｄｉｓｓｏｌｖｉｎｇ）で経皮吸収性の材料から作製される極微針を含むことができる。微細針のそれぞれは、その中に染み込んだ、または別の形で入れられた１つまたは複数のインク要素を含むことができる。入れ墨が、これらの極微針を備えた入れ墨アプリケータを使用して形成されるとき、極微針は、皮膚に穿通することができ、皮膚に残されて溶解し、内部に入れられたインク要素を皮膚内に放出することができる。
【００８０】
一実施形態においては、入れ墨アプリケータは、複数の極微針をその上に配置構成した基板を含むことができる。極微針は、自己溶解式で経皮吸収性の材料を含むことができる。基板は、注入後、極微針から剥離する、または離脱して、極微針を皮膚に残すように構成され得る。入れ墨は、極微針を皮膚内に注入すること、および基板を極微針から剥離することによるそのような入れ墨アプリケータによって形成され得る。次いで、極微針は、その中に入れられた１つまたは複数のインク要素を皮膚内に放出することができる。
【００８１】
いくつかの実施形態においては、入れ墨アプリケータの極微針は、長さが、相異なっていてよい。たとえば、極微針のうちのいくつかは、ある長さであってよく、他の極微針が、別の長さであってよく、さらなる他の極微針が、さらなる別の長さであってよい。相異なる長さの極微針は、相異なるインク要素を含むことができる。たとえば、ある長さの極微針が、あるインク要素を含むことができ、別の長さの極微針は、別のインク要素を含むことができ、さらなる別の長さの極微針は、さらなる別のインク要素を含むことができる。
【００８２】
代替としてまたは加えて、いくつかの実施形態においては、入れ墨アプリケータの極微針は、極微針の同じまたは相異なる深さにおいて、極微針ごとに複数のインク要素を含むことができる。たとえば、これらの極微針のそれぞれは、極微針の先端に１つのインク要素、極微針の中央部に別のインク要素、および極微針の基部にさらなる別のインク要素を含むことができる。
【００８３】
別の実施形態においては、入れ墨アプリケータは、焼きごて構成を含むことができる。具体的には、入れ墨アプリケータは、ハンドルおよびプレートを含むことができる。加えて、入れ墨アプリケータは、一方の側に剥離粘着裏当てを備え、反対の側に極微針を備える１つまたは複数の基板を含むことができる。剥離粘着裏当ては、基板をプレートに取り付けるために、基板から取外し可能であり、ハンドルは、動物の所要の注入部位において基板を位置付けるために、必要に応じて、移動することができる。ハンドルは、注入部位における皮膚に向かって、極微針を備えた基板を押すために、および極微針を皮膚内に注入するために、さらに移動することができる。ハンドルはまた、注入された極微針から基板を剥離するために、移動することができる。極微針を備えていない基板は、プレートから取外し可能であり、工程は、極微針を備える新規基板により繰り返されて、同じまたは異なる動物に新規入れ墨を形成することができる。
【００８４】
次に、いくつかの例示的な実施形態のさまざまな態様について説明するために図面を参照することとする。図面が、そのような例示的な実施形態の略図的かつ概略的表現であること、および本発明を限定するものではなく、必ずしも縮尺通りに描かれているとは限らないことを理解されたい。
【００８５】
図１Ａは、本明細書に記載の少なくともいくつかの実施形態により配置構成された、１頭または複数頭の動物１０２（本明細書では以降、「動物１０２」）をモニタリングするための例示的なシステム１００Ａの略図である。システム１００Ａは、概して、動物１０２に適用される１つまたは複数の入れ墨（図２を参照のこと）に基づいて、動物１０２の生活環および／または健康をモニタリングすることができる。動物１０２に適用される入れ墨は、１つまたは複数のインテリジェントインクおよび／もしくは他のインク要素をそれぞれ含むことができる。代わりにまたは加えて、動物１０２に適用される入れ墨は、動物１０２のそれぞれの一意の識別子および／もしくは他の情報を含むこと、または示すことができる。
【００８６】
システム１００Ａは、サーバ１０４、入れ墨リーダ１０６、およびネットワーク１０８を含むことができる。代わりにまたは加えて、システム１００Ａは、入れ墨アプリケータ１１０を含むことができる。概して、ネットワーク１０８は、サーバ１０４、入れ墨リーダ１０６、および／もしくは入れ墨アプリケータ１１０が互いと通信することを可能にする１つまたは複数の広域ネットワーク（ＷＡＮ）および／もしくはローカルエリアネットワーク（ＬＡＮ）を含むことができる。いくつかの実施形態においては、ネットワーク１０８は、複数のＷＡＮおよび／またはＬＡＮ間の論理的ならびに物理的な接続によって形成されるグローバルなインターネットワークを含むＩｎｔｅｒｎｅｔを含む。代わりにまたは加えて、ネットワーク１０８は、１つまたは複数のセルラＲＦネットワーク、ならびに／あるいは１つまたは複数のワイヤードおよび／もしくはワイヤレスのネットワーク、たとえば、８０２．ｘｘネットワーク、Ｂｌｕｅｔｏｏｔｈ（登録商標）アクセスポイント、ワイヤレスアクセス地点、またはＩＰベースのネットワークなどを含むことができる。ネットワーク１０８はまた、あるタイプのネットワークが、別のタイプのネットワークとインターフェースをとることを可能にするサーバを含むことができる。
【００８７】
サーバ１０４は、概して、健康モニタアプリケーション１１２をホストするように構成され得、１つまたは複数の動物レコード１１４を含むことができる。これらおよび他の実施形態においては、サーバ１０４は、プロセッサおよびプロセッサに通信可能なように連結されたコンピュータ可読媒体などのコンピューティングリソースを含むことができる。健康モニタアプリケーション１１２は、サーバ１０４のメモリまたは他の揮発性ストレージ内に少なくとも一時的にロードされて、プロセッサによって実行され得る。代わりにまたは加えて、健康モニタアプリケーション１１２は、サーバ１０４のハードディスクまたは他の不揮発性ストレージからラインごとにプロセッサによって実行され得る。メモリとハードディスクはともに、コンピュータ可読媒体の例であり、その他については、図１１に関して後述する。健康モニタアプリケーション１１２は、概して、本明細書に記載の動作のうちの１つまたは複数を行うように構成され得る。具体的には、健康モニタアプリケーション１１２は、コンピュータ命令を含むことができ、このコンピュータ命令は、プロセッサによる実行に応答して、プロセッサに、本明細書に記載の動作のうちの１つまたは複数の性能を行わせる、もしくは制御させる。
【００８８】
動物レコード１１４は、図１Ａに示されるように、サーバ１０４上に記憶され得る。たとえば、動物レコード１１４は、サーバ１０４のコンピュータ可読媒体において記憶され得る。代わりにまたは加えて、動物レコード１１４は、クラウドストレージにおいて遠隔で、および／またはサーバ１０４から遠隔にあり、通信可能なように連結されているコンピュータ可読媒体において記憶され得る。代わりにまたは加えて、動物レコード１１４は、ノート、日誌、日記、または物理的ファイルシステムなど、ハードコピーの形態で記憶され得る。
【００８９】
動物レコード１１４は、動物１０２のそれぞれについてのレコードを含むことができる。動物レコード１１４のそれぞれが、動物１０２のうちの対応するものについて健康モニタアプリケーション１１２によって生成され、かつ／または記録される生理的状況を含むことができる。生理的状況は、動物１０２の入れ墨に含まれたインテリジェントインクおよび／または他のインク要素の光学特性の１回あるいは繰返しの測定結果を含むことができる。インテリジェントインクの光学特性は、可変光学特性を含むことができる。代わりにまたは加えて、生理的状況は、光学特性の測定結果の解釈を含むことができる。たとえば、光学特性の測定結果は、光学特性の数値を含むことができ、各数値は、異なる測定結果に対応する。比較する際には、各解釈は、対応する数値を、特定の生理学的標的が、正常または異常であること、特定の範囲内または範囲外にあること、特定の生理的事象もしくは状態を示している（または示していない）ことを示すと解釈することができ、あるいは数値の何らかの他の解釈を提供することができる。いくつかの実施形態においては、動物レコード１１４のそれぞれにおける測定結果の入力および／または測定結果の解釈はそれぞれ、いつ測定結果が入れ墨リーダから受信され、かつ／または動物レコード１１４の中に入力されたかについてのタイムスタンプあるいは別のインジケータを含むことができる。
【００９０】
各インテリジェントインクが応答するように構成されている動物１０２の特定の生理学的標的は、動物１０２のグルコースレベル、動物１０２の水和レベル、動物１０２の体温、動物１０２のｐＨレベル、動物１０２の中の特定のホルモンのレベル、動物１０２の中の特定の病原菌、動物１０２の中の特定の抗原、または他の生理学的標的を含むことができる。代わりにまたは加えて、動物１０２の特定の生理学的標的は、塩分、ミネラル、ビタミン、糖分、炭水化物、脂質、リン脂質、タンパク質、核酸、ポリヌクレオチド、抗体、免疫調節性分子、疾病マーカ、または動物１０２における生理的状態もしくは事象の他の証拠を含むことができる。したがって、動物１０２の特定の生理学的標的は、血液マーカ、間質マーカ、または生理的状態もしくは事象を示す他のマーカを含むことができる。
【００９１】
いくつかの実施形態においては、動物１０２の少なくとも一部のそれぞれが、複数の相異なるインテリジェントインクを含む入れ墨を含むことができる。これらおよび他の実施形態においては、複数の相異なるインテリジェントインクを含む入れ墨を有する動物１０２についての健康レコード１１４は、相異なるインテリジェントインクのうちの１つまたは複数、最大ですべてについての少なくとも１つの光学特性の１回または繰返しの測定結果を含むことができる。測定された光学特性は、複数の相異なるインテリジェントインクについて、同じであっても、または異なっていてもよい。たとえば、色彩度は、相異なるインテリジェントインクのうちのあるものについて測定され得るが、色彩度、蛍光性、色、または他の光学特性は、相異なるインテリジェントインクのうちの別のものについて測定され得る。代わりにまたは加えて、健康レコード１１４は、１回もしくは繰返しの測定結果のうちの１つまたは複数の解釈を含むことができる。
【００９２】
加えて、各入れ墨は、１つまたは複数の非インテリジェントインクを含むことができる。非インテリジェントインクは、動物１０２の生理学的性質に応答しない、または依存しない入れ墨インクを含むことができる。非インテリジェントインクは、静的基準として使用され得、かつ／またはベースラインを提供することができ、それらに対してインテリジェントインクが比較される。たとえば、インテリジェントインクの光学特性が、測定され得、非インテリジェントインクの同じ光学特性もまた、測定され得、２つの測定結果が、互いに比較され得る。非インテリジェントインクの光学特性は、インテリジェントインクが生理学的標的に応答するのに先立って（または応答した後で）、インテリジェントインクの同じ光学特性に等しくても、または実質的に等しくてもよい。代わりにまたは加えて、非インテリジェントインクの光学特性が、インテリジェントインクの同じ光学特性に必ず等しいのか、または実質的に等しいのか否かにかかわらず、非インテリジェントインクの光学特性は、静的ベースラインを提供することができる。これらおよび他の実施形態においては、非インテリジェントインクの光学特性の測定結果とインテリジェントインクの光学特性の測定結果との差が、生理学的標的のレベルを示すことができる。いくつかの実施形態においては、動物レコード１１４は、非インテリジェントインクの測定結果、非インテリジェントインクの測定結果とインテリジェントインクの測定結果との差の計算、前述のいずれかの解釈、および／または対応するタイムスタンプを含むことができる。代わりにまたは加えて、インテリジェントインクおよび／またはインテリジェントインクを含む入れ墨は、入れ墨の性質（たとえば、入れ墨が応答するように構成されている標的）、ブランド、テスト意味などの情報、および／もしくは他の情報を伝えること、または含むことができる。
【００９３】
入れ墨リーダ１０６は、動物１０２の入れ墨を読み取るように構成され得る。いくつかの実施形態においては、入れ墨リーダ１０６は、動物１０２の入れ墨に含まれたインテリジェントインクおよび／もしくは非インテリジェントインクのそれぞれの１つまたは複数の光学特性を測定することによって、入れ墨を読み取るように構成され得る。したがって、入れ墨リーダ１０６は、光学イメージャ１１６を含むことができる。光学イメージャ１１６は、カメラ、電荷結合素子（ＣＣＤ）、アクティブピクセルセンサ（ＡＰＳ）、相補型金属酸化膜半導体（ＣＭＯＳ）デバイス、フォトダイオード、または他の好適な光学イメージャを含むことができる。
【００９４】
光学イメージャ１１６は、インテリジェントインクおよび／もしくは非インテリジェントインクのそれぞれの１つまたは複数の光学特性を測定するように構成され得る。光学特性は、対応するインクの色、あるいはより具体的には、対応するインクに反射する１つの波長もしくは複数の波長、対応するインクの色彩度、対応するインクの蛍光性、または対応するインクの他の光学特性を含むことができる。光学特性は、対応するインクに反射し、対応するインクを透過し、対応するインクによって放射され、かつ／または対応するインクによって干渉される光の光学特性を測定することによって測定され得る。本明細書に使用される用語「光（ｌｉｇｈｔ）」は、概して、可視スペクトルならびにＸ線スペクトル、マイクロ波スペクトル、紫外線（ＵＶ）スペクトル、赤外線（ＩＲ）スペクトル、および／または他の電磁波の範囲内のものを含む任意の波長の電磁放射線を含むことができる。光学イメージャ１１６は、対応するインクに反射し、対応するインクを透過し、対応するインクによって放射され、かつ／または干渉される光を受け取ることによって、およびそこから、測定されている光学特性の値を表す電気信号を生成することによって、１つまたは複数の光学特性を測定することができる。
【００９５】
代わりにまたは加えて、光学イメージャ１１６は、入れ墨の少なくとも一部分の画像を取り込むように構成され得る。いくつかの実施形態においては、光学イメージャ１１６は、約３８０ナノメートル（ｎｍ）から約８００ｎｍの波長範囲を含むことができる可視光スペクトル内で光を取り込む可視光スペクトルイメージャを含むことができる。代わりにまたは加えて、イメージャ１３０は、電磁スペクトルの可能性のある部分の中でもとりわけ、電磁スペクトルのＸ線部分、電磁スペクトルのＵＶ部分、電磁スペクトルのＩＲ部分からの光を取り込むように構成され得る。光学イメージャ１１６は、インテリジェントインクに反射し、インテリジェントインクを透過し、インテリジェントインクによって放射され、かつ／またはインテリジェントインクによって干渉される光の取込みに基づいて動物１０２の入れ墨の中のインテリジェントインクの１つまたは複数の光学特性を表すことができる電気信号および／あるいはデータを生成することができる。
【００９６】
いくつかの実施形態においては、加えて、入れ墨リーダ１０６は、放射線源１１８を含むことができる。放射線源１１８は、動物１０２の入れ墨に向かって方向付けられ得る電磁放射線を放射するように構成され得る。放射線源１１８は、白光源、ＵＶ光源、または別の好適な光源を含むことができる。放射線は、入れ墨を読み取り、または撮像することを可能にするように、入れ墨を照らすことができ、放射線の波長スペクトルの少なくとも一部分は、光学イメージャ１１６によって受け取られる光として、光学イメージャ１１６に対して入れ墨のインクに後方反射し得る。代わりにまたは加えて、放射線の波長スペクトルの少なくとも一部が、入れ墨のインテリジェントインクのうちの少なくとも１つによって吸収可能であり、それにより、インテリジェントインクのうちのその少なくとも１つは、その後、光学イメージャ１１６によって受取り可能、および読取り可能な蛍光を放射する。
【００９７】
入れ墨アプリケータ１１０は、入れ墨を動物１０２に適用するための任意のシステム、装置、またはデバイスを含むことができる。入れ墨アプリケータ１１０は、自動化入れ墨アプリケータ、半自動化入れ墨アプリケータ、または手動入れ墨アプリケータを含むことができる。入れ墨アプリケータ１１０が、自動化または半自動化入れ墨アプリケータであるいくつかの実施形態においては、入れ墨アプリケータ１１０は、ネットワーク１０８もしくは他の好適な接続部を介してサーバ１０４および／または入れ墨リーダ１０６に通信可能なように連結され得、ならびに／あるいはサーバ１０４および／もしくは入れ墨リーダ１０６によって自動的にまたは半自動的に制御されて、入れ墨を動物１０２に自動的にまたは半自動的に適用することができる。
【００９８】
例示的な実施形態においては、入れ墨アプリケータ１１０は、動物１０２の耳に、または動物１０２における他の場所に入れ墨を適用するために使用され得る、対向する顎部を備えるプライヤタイプの入れ墨アプリケータを含む。１本または複数本の入れ墨針が、顎部のうちの他方に向かって内側に面した顎部のうちの一方に固定され得る。動物１０２の皮膚上、たとえば、動物の耳の内側の注入部位に、１つまたは複数のインテリジェントインクおよび／もしくは非インテリジェントインク、あるいは他の入れ墨インク要素を塗布し、入れ墨針が、インクの適用される注入部位と接触するように配置構成された状態で、入れ墨アプリケータ１１０の顎部間に耳を配置した後、入れ墨アプリケータ１１０のハンドルが締め付けられて、入れ墨アプリケータ１１０の顎部が一緒になり、耳を締め付けることができる。耳が顎部間で締め付けられるにつれて、入れ墨針が、動物の皮膚に穿通し、皮膚の表面から、たとえば皮膚の表皮基底層、真皮、もしくは皮下組織、または皮膚の他の層の中へ特定の深さに内側に向かってインクを押し出すことができる。
【００９９】
別の実施形態においては、入れ墨アプリケータ１１０は、極微針ワクチン技術に基づいている。たとえば、入れ墨アプリケータ１１０は、たとえば１０００本の極微針またはそれを超える、複数の極微針を備えたパッチを含むことができる。パッチは、皮膚において配置され得、極微針は、皮膚の中へある特定の深さ、または皮膚の中へ複数の深さに穿通する。極微針は、中にインクリザーバを含むことができ、かつ／または中空とすることができ、パッチの中の他のどこかでインクリザーバと流体連通していることができる。パッチが宛がわれて、極微針が皮膚に穿通した後、極微針は、その中に入れられたインクを皮膚の中に放出するように溶解することができ、かつ／または浸透圧もしくは機械的圧力が、極微針を通じてリザーバからインクを皮膚の中に押し出すことができる。
【０１００】
別の実施形態においては、入れ墨アプリケータ１１０は、高速インク流により、皮膚の中にインクを注入するように構成された無針入れ墨アプリケータを含む。
【０１０１】
入れ墨アプリケータ１１０の他の例示的な構成については後述する。
【０１０２】
本開示の範囲から逸脱することなく、図１Ａに対する修正形態、追加形態、および／または省略形態が、作成され得る。たとえば、入れ墨リーダ１０６は、複数の光学イメージャ１１６および／または複数の放射線源１１８を含むことができる。代わりにまたは加えて、入れ墨リーダ１０６は、プロセッサを含むことができ、かつ／または光学イメージャ１１６によって生成されたデータを処理するように構成され得る。代わりにまたは加えて、入れ墨リーダ１０６、健康モニタアプリケーション１１２、および／または動物レコード１１４は、図１Ｂに示される単一のコンピューティングデバイスに含められていても、または直接、連結されていてもよい。
【０１０３】
図１Ｂは、本明細書に記載の少なくともいくつかの実施形態により配置構成された、図１Ａの１頭または複数頭の動物１０２をモニタリングするための別の例示的なシステム１００Ｂの略図である。図１Ｂに示されているように、入れ墨リーダ１０６、健康モニタアプリケーション１１２、および動物レコード１１４は、コンピューティングデバイス１２０に含められていても、または直接、連結されていてもよい。コンピューティングデバイス１２０は、スマートフォンなどのハンドヘルドコンピューティングデバイスを含むことができる。代わりにまたは加えて、コンピューティングデバイス１２０は、パーソナルデジタルアシスタント、ラップトップコンピュータ、デスクトップコンピュータ、または他の好適なコンピューティングデバイスを含むことができる。
【０１０４】
図１Ｂに示された入れ墨リーダ１０６、健康モニタアプリケーション１１２、および動物レコード１１４は、図１Ａに関して説明されるのと同じまたは類似する方式で概括的には構成され得、動作することができる。
【０１０５】
図１Ａおよび図１Ｂは、本明細書に記載の実施形態がその中に実装され得る２つの動作環境を示している。代わりにまたは加えて、農場主、農場作業者、牧場主、牧場作業者、獣医、または他の人など、人が、生活環モニタリングのために、動物１０２の入れ墨を測定し、知覚し、または他の形で肉眼で観察することができる。人は、動物１０２の生理的状況を本、ノート、日誌、日記に、および／またはコンピューティングデバイスに手動で記録することができる。代わりにまたは加えて、動物の入れ墨によって示され、人によって観察される動物１０２の生理的状況は、人がいかに動物１０２を管理し、世話をしているかについて伝えることができる。たとえば、人は、入れ墨を観察し、入れ墨に基づいて動物１０２の生理的状況を決定し、次いで、たとえば、決定された生理的状況によって示される生理的事象もしくは状態を処置すること、その動物１０２を、同じ生理的事象もしくは状態を有しない他の動物１０２から分離すること、または何らかの他のアクションなど、何らかの他のアクションを取ることができる。
【０１０６】
図２は、本明細書に記載の少なくともいくつかの実施形態により配置構成された、例示的な動物２００、および動物２００におけるインテリジェントインクを含む１つまたは複数の入れ墨２０２の配置を示している。図２の動物２００は、図１Ａ〜図１Ｂの動物１０２の一例である。
【０１０７】
入れ墨２０２は、入れ墨２０２Ａ、２０２Ｂ、２０２Ｃ、および２０２Ｄを含む。４つの入れ墨が図２に示されているが、より概括的には、インテリジェントインクを含む１つまたは複数の入れ墨が、示されているのと同じ場所、または異なる場所において、動物２００に適用され得る。
【０１０８】
図２においては、入れ墨２０２Ａは、動物２００の耳の内側に適用され得、入れ墨２０２Ｂは、動物２００の鼻に適用され得、入れ墨２０２Ｃは、動物２００の前肢に適用され、かつ／または入れ墨２０２Ｄは、動物２００の乳房に適用され得る。代わりにまたは加えて、入れ墨は、前額部、肩部、後肢、臀部、または他の好適な場所など、動物２００の他の場所に適用されてもよい。
【０１０９】
入れ墨が適用される動物２００上の場所は、入れ墨の適用に先立って、洗浄され、剃毛され、かつ／または別の形で準備され得る。動物のいくつかの場所は、他の場所よりも入れ墨しやすい場合がある。たとえば、図２における動物２００は、乳牛を含み、耳の内側、鼻、および乳房などの場所は、生まれながらに体毛がほとんどない可能性があり、前肢など、他の場所よりも入れ墨しやすい場合がある。
【０１１０】
入れ墨２０２は、生まれたとき、成熟したとき、または任意の他の時に、動物２００に適用され得る。入れ墨２０２は、手動、半自動、または完全自動入れ墨アプリケータを使用して適用され得、それらのいくつかの例については、本明細書における他のどこかで説明する。
【０１１１】
図３Ａ〜図３Ｃは、本明細書に記載の少なくともいくつかの実施形態により配置構成された、例示的な動物の耳３０２、入れ墨アプリケータ３０４、ならびに動物の耳３０２に適用され得る入れ墨３０６および３０８を示している。入れ墨３０６および３０８は、図１Ａ〜図２の動物１０２および２００など、動物に適用され得る入れ墨の例である。
【０１１２】
図３Ａの入れ墨アプリケータ３０４は、手動のプライヤタイプの入れ墨アプリケータとして示されている。代わりにまたは加えて、他の入れ墨アプリケータが実装可能である。入れ墨アプリケータ３０４は、動物の耳３０２に、図３Ｂの入れ墨３０６および／または図３Ｃの入れ墨３０８などの入れ墨を適用するように構成され得る。
【０１１３】
図３Ｂの入れ墨３０６は、４つの相異なるインク３１０Ａ〜３１０Ｄ（まとめて、「インク３１０」）を含む。より概括的には、入れ墨３０６は、１つまたは複数の相異なるインクを含むことができ、ここで、１つまたは複数の相異なるインクのうちの少なくとも１つが、インテリジェントインクを含む。いくつかの実施形態においては、インク３１０のそれぞれが、インテリジェントインクを含むことができる。たとえば、インク３１０の４つすべてが、異なるインテリジェントインクを含んでよい。
【０１１４】
代わりに、インク３１０のうちの少なくとも１つは、静的基準またはベースラインとして使用される非インテリジェントインクを含むことができ、それらに対して、他のインク３１０うちの１つまたは複数が比較され得る。たとえば、インク３１０Ａおよびインク３１０Ｃはそれぞれ、異なるインテリジェントインクを含むことができ、一方、インク３１０Ｂおよびインク３１０Ｄはそれぞれ、異なる非インテリジェントインクを含むことができる。インク３１０Ａは、静的基準またはベースラインとしてのインク３１０Ｂに対して比較され得るが、インク３１０Ｃは、静的基準またはベースラインとしてのインク３１０Ｄに対して比較され得る。
【０１１５】
いくつかの実施形態においては、２つ以上の非インテリジェントインクが、単一のインテリジェントインクについての静的基準またはベースラインとして使用され得る。一例としては、インク３１０Ｂは、標的に対する変化に依存する２つの色間の変化によって生理学的標的に応答するように構成されたインテリジェントインクを含むことができる。この例においては、インク３１０Ａは、２つの色のうちの片方である非インテリジェントインクを含むことができ、一方、インク３１０Ｃは、２つの色のうちのもう片方である非インテリジェントインクを含むことができる。したがって、インク３１０Ｂの測定結果は、インク３１０Ａおよび３１０Ｃの測定結果に対して比較されて、任意の所与の時に、インク３１０Ｂは、色がインク３１０Ａにより近いのか、それともインク３１０Ｃにより近いのかを決定することができ、それは、動物の生理的状況を示すことができる。
【０１１６】
本明細書に記載のインテリジェントインクは、特定の生理学的標的に依存する可逆的または不可逆的変化を受けるように構成されることができ、インテリジェントインクの測定された光学特性における可逆的または不可逆的変化によって表されることで、インテリジェントインクは、その特定の生理学的標的に対して応答するように構成されている。たとえば、インテリジェントインクの色彩度などの光学特性は、血中グルコースレベルなど、対応する生理学的標的の変動に依存して、可逆的に変動するように構成され得る。血中グルコースレベルが上下に変動するにつれて、色彩度または他の光学特性は、上下に変動し得、したがって、経時的に繰り返し測定されて、血中グルコースレベルをモニタリングすることができる。したがって、可逆的なインテリジェントインクが、特定の基準を満たした対応する生理学的標的に応答して可逆的変化を受けることはあり得るが、可逆的変化は、特定の基準が測定時に満たされない限り、測定不能とすることができる。
【０１１７】
代わりに、インテリジェントインクの色などの光学特性は、特定の閾値に達する、またはそれを超える温度など、対応する生理学的標的に応答して、初期の値から別の値に不可逆的に変化するように構成され得る。したがって、色または他の光学特性は、動物が、発熱または他の生理的事象もしくは状態を有すること、あるいは有していたこと示すことができる、４１．０℃など、特定の閾値に達する、もしくはそれを超える温度または他の標的に応じて、初期の色もしくは値から別の色もしくは別の値に不可逆的に変化し得る。不可逆的変化を受けるインテリジェントインクは、生理的事象もしくは状態の発生中または発生後の任意の時において、一過性の生理的事象もしくは状態、または他の生理的事象もしくは状態の発生を、そのような生理的事象または状態がインテリジェントインクの読み取られる時に存在するか否かにかかわらず、識別するために使用され得る。したがって、不可逆的なインテリジェントインクが、少なくとも一度、特定の基準を満たした対応する生理学的標的に応じて不可逆的変化を受けることはあり得、不可逆的な変化は、特定の基準が測定時に満たされるか否かにかかわらず、測定可能とすることができる。
【０１１８】
図３Ｂの入れ墨３０６は、概して、生活環モニタリングに使用され得る。代わりにまたは加えて、インテリジェントインクを含む入れ墨は、動物を一意に識別するために使用され得る。たとえば、図３Ｃの入れ墨３０８は、入れ墨３０８が適用される動物を一意に識別するために、３桁の英数字コードを含む。相異なる３桁の英数字コードが、それらの動物を一意に識別するために相異なる動物に関して使用され得る。より概括的には、動物を一意に識別するために使用される入れ墨は、動物を一意に識別するための数字、文字、および／または符号の任意の組合せを含むことができる。各動物を一意に識別する入れ墨の英数字コードおよび／または他の要素は、動物のＩＤと称すことができる。
【０１１９】
図３Ｃにおいては、入れ墨３０８の３桁のそれぞれは、インテリジェントインクおよび／または非インテリジェントインクを含むことができる。実例としては、入れ墨３０８の３桁のうちの少なくとも１つは、インテリジェントインクを含むことができる。３桁のそれぞれは、同じインテリジェントインクを含んでも、または３桁のうちの少なくとも１つが、他の桁とは異なるインテリジェントインクを含んでいてもよい。代わりにまたは加えて、入れ墨３０８の３桁のうちの少なくとも１つが、静的基準またはベースラインとして使用されることになる非インテリジェントインクを含んでいてもよい。
【０１２０】
次に、インテリジェントインクのさまざまな例について説明することとする。
【０１２１】
動物の中の抗原に応答するように構成されたインテリジェントインクは、抗体または他の抗原受容体と連結されるＵＶ照射された有色のポリジアセチレン（ＰＤＡ）ベシクルを含むことができる。インテリジェントインクが応答するように構成可能な抗原は、特定のホルモンに固有とすることができ、または他の形で動物の中のコルチゾールもしくはプロゲステロンのレベルなど、特定のホルモンのホルモンレベルを示すことができる。したがって、抗原は、ホルモン固有の抗原を含むことができ、ＰＤＡベシクルに共役した抗体は、ホルモン固有の抗体を含むことができる。たとえば、抗体は、コルチゾール固有の抗原を検出するコルチゾール固有の抗体を含むことができる。
【０１２２】
ホルモン固有の抗体と連結されるＰＤＡベシクルは、センサと称すことができる。ホルモン固有の抗体が、溶液の中の対応するホルモン固有の抗原に曝されるとき、明確な色変化が、ＰＤＡベシクルにおいて生み出され得る。生物学的に生み出されたホルモン固有の抗体は、ＰＤＡベシクルに共役して、インテリジェントインクを生み出すことができる。ホルモン固有の抗原の存在下における青色から赤色へのインテリジェントインクの色変化は、明白であり、敏感であり得る。色変化は、ＰＤＡベシクルの表面における免疫反応に起因することがあり、それにより、ＰＤＡベシクルにおける配座変化がもたらされる可能性がある。この例における色変化は、１００ナノグラムｎｇ／ｍＬ、１０ｎｇ／ｍＬ、または１ｎｇ／ｍＬもの低い濃度により肉眼で見ることができ得る。１００ｎｇ／ｍＬ、１０ｎｇ／ｍＬ、または１ｎｇ／ｍＬもの低い濃度は、たとえば、コルチゾールまたはプロゲステロンの血液濃度についての閾値センサとして使用されるのに十分敏感であり得る。しかしながら、事実上、適切な抗体、抗体模倣薬、または受容体分子をＰＤＡベシクルに共役させることによって、いずれの抗原も、そのようなインテリジェントインクを使用して検出可能になる。これらのシステムの感受性の調節は、ＰＤＡベシクルの膜内にさまざまな量の脂質を追加することにより達成され得、すなわち、脂質のタイプおよび濃度は、感受性を改変することができる。
【０１２３】
図１２は、本明細書に記載の少なくともいくつかの実施形態により配置構成された、複数の抗原受容体１２０４と共役したＰＤＡベシクル１２０２を含む例示的なセンサ１２００を示している。センサ１２００は、複数のセンサ１２００を含むインテリジェントインクに含められ得る。
【０１２４】
簡単にするために、抗原受容体１２０４のうちのほんのいくつかが、図１２にラベル付けされているにすぎない。抗原受容体１２０４は、特定の抗原１２０６に固有の抗体、抗体模倣薬、または受容体分子を含むことができる。抗原受容体１２０４のそれぞれは、ペプチド結合１２０８によりＰＤＡベシクル１２０２に結合され得、簡単にするために、それらのうちのほんのいくつかが、図１２にラベル付けされているにすぎない。
【０１２５】
センサ１２００は、抗原受容体１２０４と共役したジアセチレン脂質ベシクル１２１０から形成され得る。１２１２において示されるように、ＵＶ光によるジアセチレン脂質ベシクル１２０８の照射は、ジアセチレン脂質ベシクル１２１０をＰＤＡベシクル１２０２に変化させることができる。
【０１２６】
センサ１２００および／またはＰＤＡベシクル１２０２は、抗原１２０６が存在しているか、それとも存在していないかを示す可変光学特性を有することができる。可変光学特性は、色および／または蛍光性を含むことができる。たとえば、抗原１２１２の非存在下においては、センサ１２００は、ハッチパターン１２１４によって示されているように、蛍光性を含まずに色が青色とすることができる。抗原１２１２が、たとえばセンサ１２００付近内に存在しているとき、それは、１２１６において示されているように、抗原受容体１２０４のうちの１つに結合することができる。ＰＤＡベシクル１２０２は、抗原受容体１２０４に結合する抗原１２１２に応答性である配座変化を受ける場合がある。ＰＤＡベシクル１２０２の配座変化は、センサ１２００の色が、ハッチパターン１２１６によって示されているように、赤色に変化させ得る。センサ１２００はまた、その色が赤色であるとき、蛍光性を呈し得る。したがって、センサ１２００の色および／または蛍光性は、抗原１２０６が存在しているか、それとも存在していないかを示すことができる。
【０１２７】
図１３Ａ〜図１３Ｃは、本明細書に記載の少なくともいくつかの実施形態により配置構成された、動物の真皮１３０２内に注入されたセンサ１３００の働きを示している。センサ１３００は、図１２のセンサ１２００に類似または同一とすることができる。センサ１３００のそれぞれは、センサ１３００のそれぞれに含まれている抗原受容体に特有の抗原１３０４（図１３Ｂおよび図１３Ｃ）が存在しているか、それとも存在していないかを示す可変光学特性を有することができる。抗原１３０４の非存在下においては、センサ１３００は、ハッチパターン１３０６によって示されているように、ある色および／または蛍光性状態を有することができる。抗原１３０４が、存在し、センサ１３００に結合するとき、センサ１３００は、異なるハッチパターン１３０８（図１３Ｂおよび図１３Ｃ）によって示されているように、異なる色および／または蛍光性状態を有することができる。４つのセンサ１３００が、図１３Ａに示されているが、真皮１３０２は、より概括的には、その中に１つまたは複数のセンサ１３００を注入していてもよい。
【０１２８】
真皮１３０２の中をまたは近くを通る１本または複数本の毛細管１３１０は、真皮１３０２に血液を供給することができる。血液は、たとえば、センサ１３００によって検出されない、すなわち、センサ１３００とは関連性がない、非関連性溶質１３０６と称すことができる１つまたは複数の溶質１３１２を含むことができる。
【０１２９】
図１３Ａに示されているように、抗原１３０４（図１３Ｂおよび図１３Ｃ）の非存在下においては、センサ１３００は、ハッチパターン１３０６と関連付けられている色および／または蛍光性状態を有することができる。
【０１３０】
図１３Ｂに示されているように、抗原１３０４が、毛細管１３１０によって真皮１３０２に供給される血中の相対的に低い濃度に存在するとき、抗原１３０４は、相対的に少ないセンサ１３００に結合し得る。抗原１３０４が結合するセンサ１３００は、異なるハッチパターン１３０８と関連付けられている異なる色および／または蛍光性状態を有することができる。抗原１３０４の濃度が、相対的に低く、それにより、相対的に少ないセンサ１３００が、異なるハッチパターン１３０８と関連付けられている異なる色および／または蛍光性状態を有するとき、センサ１３００を含む入れ墨の集合色に対するいずれの変化も知覚することは難しい可能性がある。代替としてまたは加えて、センサ１３００のうちの一部のセンサが、青色など、ある色および／または蛍光性状態を有し、センサ１３００のうちのその他のセンサが、赤色など、異なる色および／または蛍光性状態を有する場合、センサ１３００を含む入れ墨の集合色は、紫色など、２つの色の組合せを含むことができる。
【０１３１】
図１３Ｃに示されているように、かつ図１３Ｂと比較すると、抗原１３０４が、毛細管１３１０によって真皮１３０２に供給される血中の相対的に高い濃度に存在するとき、抗原１３０４は、相対的に多いセンサ１３００に結合し得る。簡単にするために、抗原１３０４のうちのほんのいくつかが、図１３Ｃにラベル付けされているにすぎない。抗原１３０４が結合するセンサ１３００は、異なるハッチパターン１３０８と関連付けられている異なる色および／または蛍光性状態を有することができる。
【０１３２】
たとえば図１２〜図１３Ｃのセンサ１２００および１３００に含まれている、ＰＤＡベシクルを含むインテリジェントインクを組み込んでいる入れ墨インクは、リン酸緩衝生理食塩水（ＰＢＳ）などのキャリアにおいて送達され得る。いくつかの実施形態においては、キャリアは、流量を供給することができ、かつ／または注入部位の条件（たとえば、ｐＨおよびオスモル濃度）を合わせることができる。任意選択で、入れ墨インクはまた、インテリジェントインクを含む入れ墨の測定を容易にし、かつ／または向上させるための因子など、他のインク要素を含むことができる。たとえば、入れ墨インクはまた、入れ墨が注入された後、センサ付近に対して血管を補充するために、ＰＤＡベシクルと関連付けられ得、またはキャリア中に遊離し得る血管内皮成長因子（ＶＥＧＦ）を含むことができる。別の例としては、入れ墨インクはまた、表皮成長因子（ＥＧＦ）など、入れ墨インク周辺の治癒を促進させ、瘢痕形成を低減させるための１つまたは複数の薬剤、あるいは可視性を向上させるための１つまたは複数の乳白度増強剤もしくは他の薬剤、あるいはヒドロゲル骨格などの１つまたは複数の支持要素を含むことができる。
【０１３３】
図１４Ａおよび図１４Ｂは、本明細書に記載の少なくともいくつかの実施形態により配置構成された、動物の皮膚１４００中への入れ墨インクの注入を示している。図１４Ａにおいては、入れ墨インクは、インテリジェントインクを含むことができる。図１４Ｂにおいては、入れ墨インクは、インテリジェントインクおよび１つまたは複数の他のインク要素を含むことができる。
【０１３４】
より詳細には、図１４Ａにおいては、入れ墨インクは、皮膚１４００内にインテリジェントインク１４０２および１４０４を注入する針１４０６および１４０８によって送達されるインテリジェントインク１４０２および１４０４を含む。針１４０６および１４０８は、皮膚１４００内へのインテリジェントインク１４０２および１４０４の注入直後に取外し可能であり、または針１４０６および１４０８は、皮膚１４００において溶解され、皮膚１４００によって吸収されて、皮膚１４００内にインテリジェントインク１４０２および１４０４を放出することができる。皮膚１４００が、針１４０６および１４０８によってインテリジェントインク１４０２および１４０４の注入後、治癒するにつれて、皮膚１４００は、針１４０６および１４０８の穿通による外傷を被る相対的に高密度の表皮瘢痕組織１４１０を形成する場合がある。相対的に高密度の瘢痕組織１４１０は、相対的に不透明である場合があり、インテリジェントインク１４０２および１４０４の可視性、およびそれらの関連する光学特性を低下させる可能性がある。
【０１３５】
図１４Ｂにおいては、入れ墨インクは、針１４０６Ａおよび１４０８Ａによって送達されるインテリジェントインク１４０２および１４０４、ならびに１つまたは複数の他のインク要素を含む。詳細図１４１２に示されているように、１つまたは複数の他のインク要素は、ヒドロゲル骨格１４１４およびＥＧＦ１４１６を含むことができ、簡単にするために、それらのうちのほんのいくつかが、図１４にラベル付けされているにすぎない。ヒドロゲル骨格は、いくつかの実施形態においては、架橋ヒドロゲルコラーゲン骨格を含むことができる。
【０１３６】
ヒドロゲル骨格１４１４、ＥＧＦ１４１６、および／または他のインク要素は、皮膚１４００の中の共通の深さにインテリジェントインク１４０２および１４０４を送達するために、針１４０６Ａおよび１４０８Ａにおける同じ深さにおいてインテリジェントインク１４０２および１４０４と一緒に提供され得る。たとえば、ＶＥＧＦは、図１４Ｂの中の１４１８において示されているように、インテリジェントインク１４０４付近に脈管形成および／または血管形成を誘発するために、インテリジェントインク１４０４と針１４０８Ａ中の同じ深さで提供され得る。結果として、インテリジェントインク１４０４付近の血流が向上し得、それにより、血液マーカを含む生理学的標的に対するインテリジェントインクの感受性を向上させることができる。
【０１３７】
代替としてまたは加えて、ヒドロゲル骨格１４１４、ＥＧＦ、および／または他のインク要素は、インテリジェントインク１４０２または１４０４とは異なるある深さまたは深さで針１４０６Ａおよび１４０８Ａにおいて提供され得る。たとえば、インテリジェントインク１４０４は、皮膚１４００の真皮に穿通する１４０８Ａの先端において提供され得、一方、ヒドロゲル骨格１４１４およびＥＧＦ１４１６は、ヒドロゲル骨格１４１４およびＥＧＦ１４１６を皮膚１４００の表皮に送達するように、皮膚１４００の表皮に穿通する針１４０８Ａの深さで提供され得る。詳細図１４１８に示されているように、表皮成長細胞は、ＥＧＦ１４１６によって促進されて、ヒドロゲル骨格１４１４に浸透することができる。図１４Ｂにおいては、ヒドロゲル骨格１４１４およびＥＧＦ１４１６により、図１４Ａに比較して表皮瘢痕組織１４１０Ａが相対的に少なく皮膚１４００を治癒することができる。
【０１３８】
抗体と共役したＰＤＡベシクルを含むセンサについての論考に戻すと、そのようなセンサを含むインテリジェントインクが皮膚に注入されて、入れ墨を形成した後、インテリジェントインクは、ＰＤＡベシクルに共役したホルモン固有の抗体に対するホルモン固有の抗原の結合に応答して、青色から赤色へと色を改変することができる。色変化は、肉眼によって読取り可能とすることができるが、たとえば、図１Ａ〜図１Ｂの入れ墨リーダ１０６、または他の好適な入れ墨リーダによって、機械で読み取ることも可能である。たとえば、入れ墨リーダ１０６の光学イメージャ１１６は、コンピュータ、たとえば、図１Ａ〜図１Ｂのサーバ１０４および／またはコンピューティングデバイス１２０が、入れ墨の中の色を決定するように処理することができる写真を撮影するためのデジタルカメラを含むことができる。代替として、入れ墨リーダ１０６の光学イメージャ１１６は、所与の時点において何の色の入れ墨があるのかを決定するために、入れ墨の吸光度を測定することができる分光光度計を含むことができる。次いで、決定された色情報は、動物のＩＤと相関付けされ得る。
【０１３９】
ＰＤＡは、非蛍光性状態（たとえば、ＰＤＡが青色であるとき）と、蛍光性状態（たとえば、ＰＤＡが赤色であるとき）とを交互に繰り返す。したがって、この例におけるインテリジェントインクは、インテリジェントインクの蛍光性を測定することによっても読取り可能である。蛍光性を測定するために、適切な励起照明が、たとえば、図１Ａの放射線源１１８によって提供され得る。インテリジェントインクのＰＤＡが赤色であるとき、励起照明にＰＤＡを曝すと、ＰＤＡは蛍光を発することになり得る。蛍光性は、たとえば、図１Ａの光学イメージャ１１６に含まれ得る、蛍光分光光度計または他の好適なデバイスを使用して測定され得る。
【０１４０】
肉眼で見ることができ、かつ／または図１Ａ〜図１Ｂの入れ墨リーダ１０６によって測定されることになるインテリジェントインクの濃度は、入れ墨の深さ、動物のタイプまたはその皮における注入部位、入れ墨のエリア、および色または蛍光性が測定されるかどうかなど、１つまたは複数の因子に左右され得る。しかしながら、インテリジェントインクが肉眼によって読み取られることになる場合、インテリジェントインクを用いて入れ墨される１平方センチメートル（ｃｍ）エリアには、ＰＤＡベシクルが、１ミリグラム（ｍｇ）から１００ｍｇの間、または４０ｍｇから１００ｍｇの間、または８０ｍｇから１００ｍｇの間、含まれていることができる。入れ墨されるエリアのサイズ、および入れ墨されるエリアにおけるインテリジェントインクの濃度は、必要に応じて、調整され得る。
【０１４１】
いくつかの実施形態においては、インテリジェントインクは、長時間にわたって、たとえば、数か月、または１年以上にもわたって、動物の皮の中で安定していることができる。この事例においては、インテリジェントインクのＰＤＡベシクルは、半透過性のカプセル材の中に封入されて、封入されない実施形態と比較すると、それらの劣化および再吸収を低減させることができる。異種移植のためのアルギン封入は、普通なら、ホストの免疫系によって攻撃され、すぐに拒絶されることになる物質に安定した環境を提供する。アルギンは、生体適合性とすることができ、対象（たとえば、ホルモン固有の抗原）の分子がセンサ付近に出入りすることを確実にするために、適切な分画分子量に調節可能である。たとえば、具体的には、コルチゾールを結合するホルモン固有の抗体に共役するＰＤＡベシクルの場合、約１キロダルトン（ｋＤａ）の分画分子量は、コルチゾールの相対的に自由な拡散を可能にしながら、分子量が分画分子量を上回る酵素センサ近くへの侵入を防止するのに十分であり得る。そのような酵素は、ホルモン固有の抗体を分解し得るプロテアーゼまたは他の酵素を含むことができる。
【０１４２】
センサは、半透過性または不透過性とすることができる徐放型カプセル材の中に封入され得る。徐放型カプセル材は、最終的に内部のセンサを曝すように、ある持続時間にわたって分解することができる。持続時間は、秒、分、時、日、週、月程度の持続時間、または何らかの他の持続期間を含むことができる。たとえば、持続時間は、２４時間、３０日、４５日、９０日、または何らかの他の持続時間を含むことができる。いくつかの実施形態においては、インテリジェントインクの中のセンサの相異なるセットは、センサの相異なるセットが曝されるのを経時的にずらすための相異なる持続時間の徐放型カプセル材の中に封入され得る。徐放型カプセル材が半透過性である場合、センサは、封入されている間は、上述のように機能することができる。センサは、半透過性の徐放型カプセル材の分解後、動物内で劣化および再吸収に曝される可能性があり、それにより、曝されたインテリジェントインクが別の形で動物の皮の中で安定しない限りは、インテリジェントインクを含む入れ墨、または入れ墨のインテリジェントインクの少なくとも何らかの部分が、最終的に薄れる、または消えることになり得る。徐放型カプセル材が不透過性である場合、センサは、不透過性の徐放型カプセル材の中で封入されている間は、概して、不活性とすることができる。センサは、不透過性の徐放型カプセル材の分解後、活性化されて、抗原または他の化合物を感知することができる。徐放型カプセル材の中にセンサを封入することは、経時的に入れ墨を自動的に薄れさせる、もしくは消失させること、センサのうちの一部もしくはすべての時間遅延型の活性化、または何らかの他の成果をもたらすために使用され得る。
【０１４３】
インテリジェントインクは、真皮の毛細管床の中に埋め込まれて、いくつかの実施形態では、有意な灌流を確保することができる。前述のように、インテリジェントインクはまた、入れ墨の付近における毛細管の成長を促すことによってセンサの灌流を増大させるための因子を有することができる。真皮は、センサが確実に見えるほど動物の皮の表面の近くにありながらも、毛細管床との接触を行うことができる。表皮は、経時的に入れ墨を安定させるのに役立つ保護性層をその上にもたらすことができる。代替として、入れ墨は、より表皮に向かって、表皮の中に、または下皮すなわち皮下組織の中など、真皮の下にすら埋込み可能である。いくつかの事例においては、入れ墨は、動物の皮膚構造体内の複数の層の中に埋込み可能である。
【０１４４】
センサの可視化を助ける薬剤が、インテリジェントインクに追加され得る。あるいはまたは加えて、薬剤は、インテリジェントインクと同じ注入部位に別個に送達され得る。薬剤は、入れ墨注入部位において存在するメラニンまたは他の色素を効果的に除去する脱色素剤（たとえば、モノベンゾン）、体毛を除去する脱毛剤（たとえば、チオグリコール酸）、または他の薬剤を含むことができる。そのような薬剤は、インテリジェントインクのセンサと同じまたは異なる皮膚層内に注入され得る。たとえば、インテリジェントインクは、毛細管床に接触する真皮内に注入され得、一方、脱色素剤は、表皮内に注入されて、そこに存在しているメラノサイトに作用することができ、かつ／あるいは脱毛剤は、皮膚の表面に塗布され得、または毛嚢が存在する真皮もしくは下皮内の層まで注入され得る。
【０１４５】
このインテリジェントインクおよび他のインテリジェントインクを作成する戦略は、一般に安全と認められる（ＧＲＡＳ）化学的性質を利用することができ、それにより、インテリジェントインクは、（食物連鎖に入り得る）生産動物および／または人間において使用され得る。さらには、このインテリジェントインクおよび他のインテリジェントインクは、保存寿命が数ヶ月以上である場合があり、または数ヶ月以上の保存寿命を確保するために、抗酸化物質などの保存料を用いて安定することが可能になる。入れ墨それ自体（およびそのインテリジェントインク）は、皮膚内に注入後、何年にもわたって安定していることができる。日光に曝されることに起因する分解を低減させるＵＶ遮断剤（たとえば、チタン酸塩）など、インテリジェントインクに含まれる、または他の形で入れ墨と同じ注入部位において、もしくは注入部位の中に適用される追加の薬剤は、入れ墨の寿命をさらにもっと延ばす可能性がある。
【０１４６】
上に記載のもの以外のインテリジェントインクは、動物における抗原に応答することができる。たとえば、インテリジェントインクは、標的ホルモンを優先的に受け入れるように、染料発色団により官能化される、および修飾されたシクロデキストリンを含むことができる。染料発色団は、メチルレッドを含むことができ、その色は、標的ホルモンがシクロデキストリン内にゲストとして存在しない限り、シクロデキストリンによって抑制され得、ここでは、染料発色団は、皮下のｐＨの下でオレンジ色に見え得る。このインテリジェントインクは、ホルモン信号を増幅させることもなければ、それほど敏感であることもない。したがって、このインテリジェントインクは、ナノモル閾値ではなく、ホルモンレベルの漸増累積増加を検出するために使用され得る。
【０１４７】
別のインテリジェントインクは、ポリマーで封入された溶液の中に、抗体またはアプタマー官能化金ナノ粒子を含むことができる。これらの粒子は、個々に浮遊しているとき、強い構造色を創出することができる。この構造色は、対応する標的分子が表面抗体に結合し、ナノ粒子の凝集を生じさせるとき、概して、赤色から青色に改変可能である。このインテリジェントインクは、１つの結合標的分子がいくつかのナノ粒子を凝集することができるとき、拡大効果を有することができる。コルチゾールおよび類似の分子についての金ナノ粒子表面アプタマーが、存在し、コルチゾールまたは他の類似の分子を検出するのにインテリジェントインクにおいて使用可能である。このインテリジェントインクは、たとえば、コルチゾールの場合、４０ｎｇ／ｍＬ、３０ｎｇ／ｍＬ、または２０ｎｇ／ｍＬもの低い濃度を検出することができる。低レベル増幅と組み合わせられた高い感受性は、閾値テストとしてのこのインテリジェントインクの優れた性能につながる。
【０１４８】
別のインテリジェントインクは、アルカリ性ホスファターゼに共役したホルモン抗体の封入を含むことができる。この共役は、酵素機能を阻害することができる。封入は、ホルモン抗体結合が行われるまで不活性化された状態を維持することができる標準ホスファターゼ染色剤、たとえば、ファストレッドバイオレット／ナフトールＡＳ−ＢＩリン酸を含むことができる。ホスファターゼ活性が、ホルモン抗体結合に応答して回復され得、染色剤は、活性化され得る。
【０１４９】
別のインテリジェントインクは、調節可能な増幅応答と制御可能な発現との両方を有することができる単純で制御可能なホルモン応答性株とすることができる細菌性細胞株を含むことができる。たとえば、Ｅ．ｃｏｌｉ菌種は、多くの標的分子に応答するように、および調節可能な方式で信号を増幅するように操作可能である。ステロイドに対する天然の細菌応答が、存在し、プラスミドを介してＥ．ｃｏｌｉに遺伝子学的に組み換えられ得る。この応答は、最低でも０．５ｍＭまで、またはｎＭ範囲もしくはｐＭ範囲まで起こる可能性がある。色変化の単純な形態は、レマゾールブラックＢなどの酵素に敏感な染料で満たされたカプセル材の中に漂白酵素の発現を含むことができる。
【０１５０】
別のインテリジェントインクは、固有のホルモンを感知し、固有のホルモンに対して色または陰影の応答を行うために、ベタ・スプレンデンスなどの魚からの不死化色素保有細胞株またはメラニン保有細胞株を含むことができる。標的特異性は、メラニン保有細胞がステロイド濃度に応答するとき、細胞内の既存の応答の修飾によって生み出され得る。これらの細胞は、封入され得、ここで、それらはなおも、血液溶質を受け取ることができる。
【０１５１】
別のインテリジェントインクは、細胞レベルで修飾されたメラニン保有細胞の働きに類似して、標的ホルモンに対して応答性であるように動物色素保有細胞器官から操作される封入された組織を含むことができる。イカ、タコ、およびいくつかの硬骨魚は、この目的のために使用可能な器官組織を保有する。組織は、繁殖および修飾によく適している場合がある。
【０１５２】
別のインテリジェントインクは、標的ホルモンインプリントを用いて分子インプリントポリマー（ＭＩＰ）から構成される逆オパールなどの１次元、２次元、または３次元のフォトニック結晶構造体を保有する粒子を含むことができる。精密に調節されたフォトニック構造体は、多孔質要素の間隔に依存して、固有の構造色を生み出すことができる。ＭＩＰは、標的分子を取り込んでそれをインプリントし、膨張工程を受けることができ、それにより、成分の間隔の変化、したがって、構造色の可視変化が生じ得る。プロゲステロンおよびコルチゾールのＭＩＰ取込みが、開発されている。成分は、５０ｎｇ／Ｌを下回る被分析物濃度を検出することができる。
【０１５３】
別のインテリジェントインクは、ホルモン抗体へのホルモンのアクセスを可能にする透過性ポリマー要素において固定されるホルモン抗体にわたって、封入された配向制御の液晶薄膜を含む粒子を含むことができる。ホルモン抗体が、標的抗原に結合されておらず、したがって、黒ずんで見えるとき、液晶は、垂直に整列され得る。抗原結合が行われるとき、液晶は、回転し、偏光について高反射性になり得る。
【０１５４】
温度など、動物の生理学的標的に応答するように構成されたインテリジェントインクは、温度範囲にわたって可逆的または不可逆的に漂白する、もしくは着色するサーモクロミックのロイコ染料を含むことができる。インテリジェントインクとして使用するのに好適である例示的なロイコ染料は、温度制御可能なプロトン化を用いたクリスタルバイオレットラクトンを含むことができる。ロイコ染料は、ロイコ染料の色／漂白変化のための約３９℃移行点（または他の好適な移行点）を達成するために、固有の融点（ｍ．ｐ．）について選択される有機酸塩および溶媒とともにマイクロカプセルの中に封入され得る。具体的な例としては、ロイコ染料は、たとえばミリスチルアルコール（ｍ．ｐ．３８℃）と低率のセチルアルコール（ｍ．ｐ．４９℃）との、たとえば、脂肪アルコール混合物とともに封入され得る。この例における３９℃移行点は、約３８〜３８．５℃の成牛の標準的な体温を有する牛において使用するのに好適である場合がある。この例においては、溶媒の溶融に応答して、溶質は、流動性になり得、ｐＨは、下がる場合があり、それにより、マイクロカプセル内の色変化を生じさせるロイコ染料の構造上の変化が生み出され得る。マイクロカプセルは、センサと称すことができる。
【０１５５】
図１５は、本明細書に記載の少なくともいくつかの実施形態により配置構成された、ロイコ染料１５０２を含む例示的なセンサ１５００を示している。センサ１５００は、ロイコ染料１５０２、有機酸塩１５０６、および融点を有する溶媒１５０８を封入するマイクロカプセル１５０４を含む。溶媒１５０８の融点を下回る温度では、図１５の左側において、マイクロカプセル１５００のロイコ染料１５０２の中のハッチパターンの非存在によって示されているように、溶媒１５０８は、固体とすることができ、有機酸塩１５０６は、不動性とすることができ、ロイコ染料１５０２は、無色とすることができる。結果として、マクロカプセル１５００は、溶媒１５０８の融点を下回る温度では、無色に見え得る。
【０１５６】
１５１０において示されているように、温度が、融点を上回る温度まで上昇する場合、溶媒１５０８は、融解する場合があり、溶質、たとえば、有機酸塩１５０６は、流動性になり得、解離酸１５０６Ａに移行し得る。流動性の解離酸１５０６Ａにより、ｐＨは、下がる場合があり、それにより、図１５の右側におけるマイクロカプセル１５００の中のロイコ染料１５０２に含まれているハッチパターンによって示されるように、無色から紫色にロイコ染料１５０２における色変化を生じさせるロイコ染料１５０２の構造上の変化、たとえば、ロイコ染料１５０２のプロトン化が生み出され得る。１５１２において示されているように、溶媒１５０８の融点を下回るように温度を下げると、溶媒１５０８を凝固させることによって工程が反転して、解離酸１５０６Ａを有機酸塩１５０６に移行させ、ｐＨを上昇させ、それによって、ロイコ染料１５０２を脱プロトン化させることができる。
【０１５７】
図１５および他の実施形態における封入は、３〜５マイクロメータ（μｍ）程度のポリエステルもしくはポリスチレンの球内で、または他の好適な不活性ポリマーマイクロカプセル内で行われ得る。
【０１５８】
上に記載の（たとえば、ロイコ染料を有機酸塩および溶媒とともに封入した）インテリジェントインクの化学的性質は、可逆的変化をもたらすことができる。不可逆的色変化を受けることができ、かつ温度スパイクの恒久的な記録を行うことができるいくつかのロイコ染料が入手可能である。広範なこれらのロイコ染料は、既製品としてすぐに入手可能である。
【０１５９】
可逆的または不可逆的な色変化を受けるロイコ染料を含むインテリジェントインクは、肉眼で見ることができ得、かつ／または図１Ａ〜図１Ｂの入れ墨リーダ１０６などの入れ墨リーダによって測定可能であり得る。変化は、無色および／または自然な明るい皮膚の色調から黒ずんだ強いすみれ色への変化を含むことができる。
【０１６０】
皮膚１平方ｃｍ当たりの濃度が１〜２５０ｍｇ、または１００〜２５０ｍｇ、または２００〜２５０ｍｇのマイクロカプセルが、注入されて、高可視性マーカを生み出すことができる。マイクロカプセルは、ミリスチン酸イソプロピルなどの経皮吸収型キャリアの中に浮遊して送達され得る。入れ墨されるエリアのサイズ、および入れ墨されるエリアの中のインテリジェントインクの濃度は、必要に応じて、調整され得る。
【０１６１】
この例においては、マクロカプセルの中の活性成分（たとえば、ロイコ染料）は、安定し、長寿命であり、セルロース誘導体などの不活性ポリマー内に封入され、それにより、外部薬剤のアクセスを防止することができる。したがって、このインテリジェントインクは、２〜３年間、または何らかの他の時間期間にわたって、動物の皮膚内の関連する温度変化を感知することができ得る。
【０１６２】
インテリジェントインクは、封入された溶媒の構成バランスを改変することによって、所望の場所における関連の温度に応答するように合わせられ得る。動物の、皮膚の中の好適な深さおよび体における配置において、インクは、体熱にアクセスすることができ、そのため、その温度応答性範囲が較正可能である。体における入れ墨の場所に応じて、中核体温は、皮膚温度と中核温度との間の以前に確立された関係から推測され得る。
【０１６３】
いくつかの実施形態においては、インテリジェントインクは、皮膚温度を検出するために、皮膚の中の相対的に浅い深さまで注入され得、それは、周囲温度によって影響を受ける場合がある。他の実施形態においては、インテリジェントインクは、中核温度を検出するために、および／またはインテリジェントインクに対する周囲温度の影響を低減させるために、相対的により深い深さに、たとえば、皮下組織の中の脂肪層内に、またはその下に注入され得る。
【０１６４】
マイクロカプセル内に入れられているロイコ染料は、約６０℃を下回って有色から無色へと循環させることによって損傷を受けることなく可逆的変化を受けることができる。
【０１６５】
このインテリジェントインクは、動物の品種および種に応じて、０．１ｍｍから４ｍｍの間の深さを含み得る、真皮内のいずれかの場所に配置され得る。深さは、相異なる動物、またはある動物における相異なる部位において使用される場合、変動する場合がある。注入部位の温度がインテリジェントインクの移行点を超えるときの著しく黒ずむ色変化は、皮膚を通じてこのインテリジェントインクが強く見えるようにさせることができる。
【０１６６】
温度変化がすべてのマイクロカプセルに個々に影響を与える可能性があるとき、インテリジェントインクの変化を（たとえば、肉眼によって、または入れ墨リーダを使用して）知覚するためのさらなる増幅は必要とされない場合がある。
【０１６７】
カプセルは、不活性とすることができ、有毒成分を全く含まないことができ、皮膚にのみ送達され得る。これらのタイプのマイクロカプセルは、衣類、ならびに食品および飲料の容器におけるインジケータにおいて採用されている。それらは、動物または人間に対して健康リスクを示すことがなく、いずれの消耗量または摂取量も、マイクロカプセルの配置および大きいサイズに起因して極めて低くすることができる。
【０１６８】
このインテリジェントインクの保存寿命は、正しい貯蔵条件、たとえば、標準的な室温約２５℃および直射日光なしの下で、５年より長いとすることができる。
【０１６９】
上に記載のもの以外のインテリジェントインクは、動物の温度または他の生理学的標的に応答することができる。たとえば、インテリジェントインクは、水和すると同時に、色を得る、または変化させる吸湿無水塩を含むことができる。吸湿無水塩は、移行点と称される、主鎖のものと異なる温度において、結晶化する側鎖を伴ってポリマーのマクロカプセル内に封入され得る。移行点は、精密に調節することができ得る。側鎖が結晶化するとき（たとえば、移行点を下回る温度において）、ポリマーの透水性は、極めて低くすることができる。移行点を上回る温度においては、側鎖は、弛緩し、水蒸気の通過を可能にすることができる。水分に曝されていないときは無色とすることができる吸湿無水塩は、側鎖が弛緩し、水蒸気の通過を可能にするとき、水分に曝されて、それによって、有色になることができる。吸湿無水塩は、塩化コバルト、硫酸銅、または他の吸湿無水塩を含むことができる。このインテリジェントインクにおける色変化は、不可逆的とすることができる。
【０１７０】
別のインテリジェントインクは、真皮の中に送達される封入済みのサーモクロミックコレステリックまたはキラルネマチック液晶オイルを含むことができる。液晶オイルは、相溶性ポリマーを用いたコアセルベーションを含むいくつかの技法によって封入され得る。コレステリック液晶は、固有の移行温度、および移行範囲に正確に調節することができ得、３７℃から４０℃の間、または何らかの他の温度範囲の赤色から青色に、目に見えるように厳密に移行するように調節され得る。このインテリジェントインクは、材料単体が、温度範囲についての色範囲を生み出すことができ得るとき、動物の継続的な温度モニタリングのために使用可能であり、低、中、ならびに高の温度および中間体の識別が可能になる。
【０１７１】
別のインテリジェントインクは、２３℃から１３０℃の間の上昇温度の下、青色から赤色への色変化を受けるＰＤＡポリマーを含むことができる。この範囲の固有の領域は、ポリマー化に向けて最初のモノマーを改変することによって選択可能である。このインテリジェントインクは、可逆的または不可逆的な変化を生み出すために使用され得る。
【０１７２】
別のインテリジェントインクは、別のタンパク質に結合されたアスタキサンチンを含むことができる。アスタキサンチンは、自由状態にあるとき（たとえば、アスタキサンチンが別のタンパク質に結合されていないとき）、鮮やかなオレンジ色／赤色のカロチノイドである。アスタキサンチンの色は、自由状態にないとき（たとえば、それが別のタンパク質に結合されているとき）、抑制され得る。色は、結合されたタンパク質が変性した後、戻ることができる。アスタキサンチンは、動物の体内で達成可能なものをはるかに上回る高い変性温度を有することができ、したがって、動物の体内で熱的に変性し得ない。しかしながら、アスタキサンチンは、多くの細胞内タンパク質の特性である約４０℃において変性を開始するタンパク質に結合可能であり、したがって、生物学的に関連するサーモクロミックインジケータとして働く。このインテリジェントインクにおける色変化は、不可逆的とすることができる。
【０１７３】
別のインテリジェントインクは、３５℃において緑色から紫色に変わる銅基化合物である銅（Ｃｕ）二酸化窒素（ＮＯ２）２アンモニア（ＮＨ３）２の化合物を含むことができる。インテリジェントインクはまた、４３℃において赤色から深い青紫色に可逆的に色を変化させるビス（Ｎ，Ｎ−ジエチルエチレンジアミン）銅（ＩＩ）過塩素酸塩を含むことができる。ＣＵ（ＮＯ２）２（ＮＨ３）２と、ビス（Ｎ，Ｎ−ジエチルエチレンジアミン）銅（ＩＩ）過塩素酸塩との組合せは、３５℃から４３℃までの温度ウィンドウを確立し、それからの逸脱は、劇的な色変化によって視認でき得る。これらの化合物は、ポリマーミクロスフェアの中に堅牢に封入されて、動物内環境との化学的相互作用を回避することができる。
【０１７４】
グルコースに応答性であるインテリジェントインクは、動物の皮膚内に注入可能なグルコースについての色変化マーカを含むことができる。グルコースについての色変化マーカは、グルコメータを使用して行われた血中グルコース測定結果との優れた相関関係を有することができる。
【０１７５】
動物入れ墨における１つのそのようなマーカまたはインテリジェントインクは、以下のように機能することができる。入れ墨のインテリジェントインクは、共有結合しているフェニルボロン酸誘導体ならびに合成されている２つの付着した蛍光体を含有するナノスフェアを含有することができる。ナノスフェアは、糖濃度に依存して、サイズが変動し得る。グルコースの非存在下においては、ナノスフェアは、小さくすることができ、それによって、相対的に高密度または高濃度の色を入れ墨に提供することができる。グルコース濃度が増加するにつれて、グルコースは、酸と結合することができ、蛍光体のサイズを増大させることができ、ひいては、インテリジェントインクを含む入れ墨、もしくは入れ墨の少なくとも一部の色密度または色濃度が低下し得る。
【０１７６】
別のそのようなマーカまたはインテリジェントインクは、血中の電解質に応答することによって、動物の血液の水和レベルを標的にすることができる。たとえば、インテリジェントインクにおいて使用される応答性染料は、１２０ミクロンのミクロスフェアなどのミクロスフェア内に封入され得る。ミクロスフェアは、生体適合性材料によりコーティングされ得、入れ墨のすべてまたは一部を構成するインテリジェントインクとして動物の皮下組織に移植され得る。ミクロスフェアは、小さいカチオンに対して多孔質であるように構成され得る。間質腔からのカチオンは、ミクロスフェア内と間質腔内との濃度が同じになるように、ミクロスフェア中に移動することができる。染料の近くにカチオンが存在することにより、染料は、電子を損失し、蛍光性になることができる。これらのミクロスフェアから構成されたインテリジェントインクを含む入れ墨の部分の相対蛍光性は、間質腔内のナトリウム濃度を決定するために使用可能であり、それにより水和レベルが推測可能になる。
【０１７７】
他のインテリジェントインクは、代わりにまたは加えて、本明細書に説明される動物生活環モニタリングのために実装され得る。
【０１７８】
図４は、本明細書に記載の少なくともいくつかの実施形態により配置構成された、動物をモニタリングするための例示的な方法４００のフローチャートである。方法４００は、図１Ａのシステム１００Ａ、図１Ｂのシステム１００Ｂ、または別の好適なシステムによって、全体においてまたは一部において実装され得る。本明細書に開示されるこのならびに他の工程および方法の場合、工程および方法において行われる動作は、異なる順序で実装され得る。さらには、要約された動作のみが例として与えられ、動作のうちのいくつかは、本開示の実施形態の基本から逸脱することなく、任選選択であっても、より少ない動作に組合せられても、他の動作により補完されても、または追加の動作に拡大されてもよい。方法４００は、ブロック４０２、４０４、４０６、４０８、４１０および／もしくは４１２のうちの１つまたは複数によって例示されるさまざまな動作、機能、あるいはアクションを含む。方法４００は、ブロック４０２から開始することができる。
【０１７９】
ブロック４０２［「動物の皮膚にインテリジェントインクを含む入れ墨を形成する」］においては、インテリジェントインクを含む入れ墨が、動物の皮膚に形成され得る。入れ墨は、たとえば、図１Ａ〜図１Ｂの入れ墨アプリケータ１１０、および／または図３Ａの入れ墨アプリケータ３０４を使用して、動物の皮膚内にインテリジェントインクを注入することによって形成され得る。代替として、入れ墨は、皮膚の表面に直接、インテリジェントインクを塗布し、皮膚内にインテリジェントインクを溶媒和することによって形成され得る。インテリジェントインクは、動物の皮膚の任意の所望の層内に注入され、または溶媒和され得る。ブロック４０２の後には、ブロック４０４が続くことができる。
【０１８０】
ブロック４０４［「入れ墨に基づいて動物の生理的状況を決定する」］においては、動物の生理的状況が、入れ墨に基づいて決定され得る。生理的状況は、たとえば、図１Ａ〜図１Ｂの健康モニタアプリケーション１１２および／または入れ墨リーダ１０６によって決定され得る。インテリジェントインクを含む入れ墨に基づいて動物の生理的状況を決定することは、インテリジェントインクに反射し、インテリジェントインクを透過し、インテリジェントインクによって放射され、かつ／またはインテリジェントインクによって干渉される光を受け取ることと、受け取った光に基づいてインテリジェントインクの光学特性の現在値を決定することと、光学特性の現在値をベースライン値と比較することとを含むことができる。ベースライン値は、ベースラインおよび／または静的基準として使用される非インテリジェントインクの光学特性の現在値を含むことができる。代替としてまたは加えて、ベースライン値は、インテリジェントインクの光学特性の以前の値、インテリジェントインクと関連付けられた１つまたは複数の可能な値、あるいはインテリジェントインクと関連付けられた値のスペクトルを含むことができる。これらおよび他の実施形態においては、インテリジェントインクを含む入れ墨に基づいて動物の生理的状況を決定することは、ＵＶ光によりインテリジェントインクを照らすことをさらに含むことができる。受け取った光に基づいてインテリジェントインクの光学特性の現在値を決定することは、ＵＶ光の少なくとも一部のインテリジェントインクによる吸収に応答して、インテリジェントインクによって放射される蛍光性と関連付けられた光学特性を決定することを含むことができる。
【０１８１】
光学特性の現在値、以前の値、ベースライン値、および／または他の値は、たとえば、図１Ａおよび図１Ｂの入れ墨リーダ１０６を使用して、ならびに／または肉眼観察によって、決定され得る。光学特性の現在値、以前の値、ベースライン値、および／または他の値は、波長または波長範囲（たとえば、４５０ｎｍから４９５ｎｍ、もしくは６２０ｎｍから７５０ｎｍ）などの定量的値、および／または色説明（たとえば、青色、もしくは赤色）などの定性的値を含むことができる。
【０１８２】
あるいはまたは加えて、インテリジェントインクを含む入れ墨に基づいて動物の生理的状況を決定することは、インテリジェントインクが応答するように構成されている特定の生理学的標的に関して動物の生理的状況が、正常である、または特定の生理的事象もしくは状態を示すことを決定することを含むことができる。そのような決定は、たとえば、ベースライン値の特定の範囲の中にある光学特性の現在値に応答して、行われ得る。あるいは、インテリジェントインクを含む入れ墨に基づいて動物の生理的状況を決定することは、特定の標的に関して動物の生理的状況が、異常である、または特定の生理的事象もしくは状態を示すことを決定することを含むことができる。そのような決定は、たとえば、ベースライン値の特定の範囲の外にある光学特性の現在値に応答して、行われ得る。ブロック４０４の後には、ブロック４０６が続くことができる。
【０１８３】
ブロック４０６［「生理的状況を記録する」］においては、動物の生理的状況は、記録され得る。生理的状況は、たとえば、図１Ａ〜図１Ｂの健康モニタアプリケーション１１２によって、および／または人によって手動で記録され得る。生理的状況は、図１Ａ〜図１Ｂの動物レコード１１４に記録され得る。生理的状況を記録することは、測定された光学特性の数値的／定量的値、または定性的値など、インテリジェントインクの光学特性の測定結果を記録することを含むことができる。あるいはまたは加えて、生理的状況を記録することは、光学特性の測定結果の解釈を記録すること、いつ測定結果が入れ墨リーダから受信され、かつ／もしくは動物レコードに入力されたかについてのタイムスタンプまたは別のインジケータを記録すること、あるいは何らかの他の情報を記録することを含むことができる。いかに動物が管理され、かつ／または世話を受けているかについて伝えるために、生理的状況は、概して、それがブロック４０４において決定された後、および／またはそれがブロック４０６において記録された後、いつでも使用され得る。ブロック４０６の後には、ブロック４０８が続くことができる。
【０１８４】
ブロック４０８［「生理的事象または状態か？」］においては、生理的状況が、生理的事象または状態を示すかどうかが決定される。生理的状況が、生理的事象または状態を示すかどうかの決定は、たとえば、図１Ａ〜図１Ｂの健康モニタアプリケーション１１２によって行われ得る。生理的事象または状態は、ストレス、妊娠、発熱、低血糖症、高血糖症、脱水症、１つまたは複数の病原菌による感染症、前述のいずれもがないこと、または他の生理的事象もしくは状態を含み得る。ブロック４０８の後には、ブロック４０４（ブロック４０８で「いいえ（Ｎｏ）」）、またはブロック４１０（ブロック４０８で「はい（Ｙｅｓ）」）が続くことができる。
【０１８５】
ブロック４１０においては、生理的事象または状態を示す生理的状況に応答して、生理的事象または状態に対処するために、警告がトリガされ得る。生理的事象または状態に対処するための警告をトリガすることは、動物、および生理的事象もしくは状態を識別する電子メッセージを生成すること、ならびに／または電子メッセージを、農場主、農場作業者、獣医、医療提供者、もしくは他の人など、人に送信することを含むことができる。あるいはまたは加えて、電子メッセージは、生理的事象または状態に対処するために、推奨された処置を含むことができる。警告は、たとえば、図１Ａ〜図１Ｂの健康モニタアプリケーション１１２によってトリガされ得る。電子メッセージは、テキストメッセージ（たとえば、ＳＭＳ、すなわちショートメッセージサービス）、マルチメディアメッセージサービス（ＭＭＳ）メッセージ、電子メール、インスタントメッセージ（ＩＭ）、チャット、または他の好適な電子メッセージを含むことができる。ブロック４１０の後には、ブロック４１２が続くことができる。
【０１８６】
ブロック４１２においては、生理的事象または状態が、対処され得る。たとえば、動物が食肉処理用に飼育されており、その動物には、黒ずんだ切り口になる恐れがあるような動物の血中グルコースレベルであることを生理的状況が示す場合、生理的事象または状態は、動物の食事を変えること、そのグリコーゲンレベルが正常に戻るまでその動物を農場で飼うこと、または何らかの他の方式で対処され得る。別の例としては、動物が、繁殖動物であり、生理的状況が、動物が妊娠していることを示す場合、生理的事象または状態は、妊娠に照らして、動物を適正に管理することによって対処され得る。さらなる別の例としては、動物が、乳牛であり、生理的状況が、動物が病原菌または他の生理的事象もしくは状態を有することを示す場合、獣医は、病原菌または他の生理的事象もしくは状態について動物を処置することができ、かつ／あるいは他のアクションが、生理的事象もしくは状態に対処するために取られ得る。ブロック４１２の後には、ブロック４０４が続くことができる。
【０１８７】
方法４００は、単一のインテリジェントインクの文脈で論じられてきた。代わりにまたは加えて、入れ墨は、動物の皮膚内に注入された複数のインテリジェントインクを含むことができる。インテリジェントインクのそれぞれは、動物の複数の生理学的標的のうちの異なるものに依存し得る。これらおよび他の実施形態においては、ブロック４０４において、インテリジェントインクを含む入れ墨に基づいて動物の生理的状況を決定することは、動物の生理学的標的のそれぞれに関して、動物の生理的状況を決定することを含むことができる。
【０１８８】
ブロック４０４、４０６、４０８、４１０、および／または４１２は、動物の生理的状況をその生活環のすべてもしくは一部分全体を通じてモニタリングするために、１回行われても、あるいは規則的な、定期的な、および／またはランダムなスケジュールで繰り返されてもよい。
【０１８９】
本明細書に開示のいくつかの実施形態は、上に記憶されるコンピュータ可読命令を含む非一時的コンピュータ可読媒体を含む。プロセッサによる実行に応答して、コンピュータ可読命令は、方法４００および／またはその変形形態の性能をプロセッサに行わせることができ、もしくはプロセッサに制御させることができる。これらおよび他の実施形態においては、プロセッサは、図１Ａ〜図１Ｂのサーバ１０４、入れ墨リーダ１０６、およびコンピューティングデバイス１２０などのサーバ、入れ墨リーダ、またはコンピュータデバイスに含められ得る。
【０１９０】
本明細書に記載の実施形態は、さまざまなエリアにおける用途を見出すことができる。たとえば、インテリジェントインクを含む入れ墨は、食肉処理用に飼育された動物における食肉品質モニタリングに使用され得る。より詳細には、少なくとも１つのインテリジェントインクを含む動物の入れ墨の経時的な複数の測定結果は、動物の代謝プロフィールの徴候を発展させるために使用され得る。より高い血中グルコースレベルは、動物が筋肉また肝臓のグリコーゲンを消耗させていることの有益な、非侵襲的インジケータとすることができ、動物が黒ずんだ切り口である可能性があることが示される。
【０１９１】
農場における複数の動物について実装されるとき、動物は、それぞれが黒ずんだ切り口である可能性を決定するようにスキャニングされ得る。相対的に可能性が低い動物は、食肉処理に搬送され得る。相対的に可能性が高い動物は、食肉処理に搬送される前に、カーボローディング（ｃａｒｂｏｈｙｄｒａｔｅ  ｌｏａｄｉｎｇ）プロトコルに向けて農場に残され得る。したがって、黒ずんだ切り口の動物の数が低減され得る。
【０１９２】
あるいはまたは加えて、インテリジェントインクを含む入れ墨は、乳畜をモニタリングするために使用され得る。モニタリングは、各動物が搾乳されるとき、日常的に行われ得る。入れ墨は、動物の乳房、または動物の他の場所に適用され得る。図１Ａ〜図１Ｂの入れ墨リーダ１０６など、入れ墨リーダが、各乳舎の中に統合され、または各乳舎と極めて近接して配置され得る。各動物が、搾乳のために準備されると、入れ墨は、入れ墨リーダによって自動的に、および／または人が入れ墨を横切るように入れ墨リーダをスキャニングすることによって、読取り可能である。動物の生理的状況は、動物の生活環にわたって日々の（または他の期間）生理的状況を提供するために、対応する動物レコードに記録され得る。
【０１９３】
別の例としては、代わりにまたは加えて、インテリジェントインクを含む入れ墨は、繁殖動物をモニタリングするために使用され得る。繁殖プログラムにおける各動物の健康状況は、繁殖プログラムに、および繁殖プログラム全体を通じて入力されると、本明細書に説明されるようにモニタリングされ得る。入れ墨は、生理的状況が非侵襲的にモニタリングされることを可能にし得る。
【０１９４】
本明細書の他の箇所で説明される他の例は、絶滅危惧種、ペット、および人間におけるインテリジェントインクを含む入れ墨の使用を含む。
【０１９５】
図５は、本明細書に記載の少なくともいくつかの実施形態により配置構成された、例示的な入れ墨アプリケータ５００のブロック略図である。入れ墨アプリケータ５００は、人間、動物、または他の入れ墨の受け手の皮膚に入れ墨を適用するように構成され得る。入れ墨アプリケータ５００は、インク送達機構５０２、および複数の針５０６を含むことができる。いくつかの実施形態においては、入れ墨アプリケータ５００は、消毒機構５０８、洗浄機構５１０、および／またはパターン選択機構５１２を含むことができる。
【０１９６】
針５０６は、皮膚の中にまたは皮膚の上に、インク、薬剤、または他のインク要素を注入して入れ墨を形成するように構成され得る任意の好適なシステム、装置、またはデバイスを含むことができる。いくつかの実施形態においては、針５０６は、任意の好適なまたは既存の入れ墨もしくは医療用の針製造技法を使用して、製造され得る。針５０６は、複数回の使用を可能にする耐久性を有するように選択され、かつ／または製造され得る。たとえば、針５０６は、針５０６を約２５回と１５０回との間で使用することを可能にする耐久性を有することができる。他の例においては、針５０６は、一度使用され、皮膚に残されて、溶解され、吸収される自己溶解式で経皮吸収性の材料を含むことができる。
【０１９７】
針５０６は、たとえば、入れ墨を適用する際に一般に行われる、皮膚の真皮内にインクを注入するように構成され得る。あるいはまたは加えて、針５０６は、皮膚の皮下組織または他の層内にインクを注入するように構成され得る。いくつかの実施形態においては、針５０６は、皮膚の中の相異なる層に相異なるインク要素を送達するために、相異なる長さの針を含むことができる。
【０１９８】
いくつかの実施形態においては、インクはインテリジェントインクを含むことができ、針５０６は、動物の皮膚の皮下組織内にインテリジェントインクを注入するように構成され得る。インテリジェントインクは、動物の特定の生理学的標的に応答するインクを含むことができ、皮下組織内へのインテリジェントインクの注入により、インテリジェントインクが、動物の血液と相互作用することを可能にし得る。インテリジェントインクは、特定の生理学的標的に依存して、色または別の光学特性を変えるように構成され得る。特定の生理学的標的は、動物の生理的状況を示すことができる。したがって、インテリジェントインクの光学特性は、動物の生理的状況を決定するために測定され得る。いくつかの実施形態においては、生理的状況が特定の生理的事象または状態を示す場合、生理的事象または状態に対処するために、警告がトリガされ得る。さまざまなインテリジェントインクおよびその使用の例については、本明細書における他の箇所で説明する。
【０１９９】
代替としてまたは加えて、インクは、インテリジェントインク、脱色素剤、および／または脱毛剤を含むことができる。針５０６のうちの一部は、ある長さとすることができ、皮膚内のある層または深さにインテリジェントインクを送達するように構成され得る。針５０６のうちのその他は、別の長さとすることができ、皮膚内の別の層または深さに脱色素剤を送達するように構成され得る。針５０６のうちのさらなるその他は、さらなる別の長さとすることができ、皮膚内のさらなる別の層または深さに脱毛剤を送達するように構成され得る。
【０２００】
いくつかの実施形態においては、針５０６の少なくとも１つのサブセットが、入れ墨のかなりの部分が、またはいくつかの実施形態においては、全入れ墨が、実質的に同時に適用され得るように、実質的に同時にインクを注入するように構成され得る。以下でさらに説明するように、いくつかの実施形態においては、インク送達機構５０２および針５０６は、針５０６が、入れ墨の所望の特性を達成するために、入れ墨される皮膚のエリアの相異なる部分の中におよび／または皮膚の相異なる層もしくは構造体まで、相異なるタイプのインクまたはインクの相異なる要素（たとえば、相異なるインテリジェントインクおよび／もしくは相異なる薬剤）を注入するように構成され得る。たとえば、インク送達機構５０２および針５０６は、相異なるタイプのインテリジェントインクが、動物の皮膚の相異なる部分に入れ墨され得るように構成され得る。異なるタイプのインテリジェントインクは、相異なる血液特性または動物特性に関係する情報を提供することができる。そのため、相異なる血液特性または動物の他の特性は、相異なるタイプのインテリジェントインクを含む、皮膚の相異なる部分をモニタリングすることによってモニタリングされ得る。
【０２０１】
いくつかの実施形態においては、針５０６は、相対的に高密度のパターン（たとえば、１平方センチメートル当たり針が１０〜６００本の間）で構成され得る。針５０６のこの密度により、より低い密度が使用されるときと比較すると、インクが、より綿密で、平らに分散することを可能にすることができる。分散の向上は、インテリジェントインクを含む入れ墨などの入れ墨のいくつかの用途の有用性を向上させることができる。
【０２０２】
針５０６のそれぞれのサイズは、針５０６の密度を相対的に高くできるほど小さいように、しかし、針５０６の繰返し使用を可能にするのに十分な耐久性をもたらすように選択され得る。たとえば、針５０６は、入れ墨針用に一般的に使用される材料を使用して作製され得る。この具体的な例においては、所望の密度および耐久性を可能にすることができる針５０６のサイズは、できるだけ一緒に近くにまとめられるとき、針５０６は、１平方センチメートル当たり約１０〜６００本の間の針の密度を有するようにすることができる。針５０６の上記サイズおよび対応する密度範囲は、ほんの例にすぎない。針５０６に使用される材料およびそれらの関連した耐久性に応じて、針５０６のサイズは減少する場合があり、針５０６の対応する密度範囲は増加する場合がある。代替としてまたは加えて、針５０６のうちの１本または複数本は、デキストリン、コンドロイチン硫酸、アルブミン、塩化ナトリウム、ポリマー、または他の物質などの自己溶解式で経皮吸収性の材料を使用して作製され得る。
【０２０３】
針５０６は、パターンに従って構成され得、それにより、入れ墨は、針５０６が皮膚内にインクを注入するとき、所望のパターンにより形成され得る。パターンは、単純な形状、複雑な形状、数字、文字、絵柄、バーコード、または任意の他の好適なパターンを含むことができる。いくつかの実施形態においては、パターンは、入れ墨の所望の目的に基づいていることができる。たとえば、入れ墨が動物の識別に使用されるとき、パターンは、動物を識別するために使用可能な数字、文字、および／またはバーコードを含むことができる。別の例としては、インクが、インテリジェントインクを含むとき、所望のパターンは、インテリジェントインクが、皮膚に高密度に埋め込まれている形状を含むことができる。これらまたは他の実施形態においては、入れ墨は、複数の使途を有することができる。たとえば、識別入れ墨はまた、インテリジェントインクを含むことができ、それにより、その入れ墨は、動物を識別し、その生理的状況をモニタリングするために使用され得る。
【０２０４】
これらまたは他の実施形態においては、針５０６のパターンは、パターン選択機構５１２を使用して変更可能である。パターン選択機構５１２は、皮膚内にインクを注入することができる針５０６のパターンを変更するように構成され得る任意の好適なシステム、装置、またはデバイスを含むことができる。したがって、パターン選択機構５１２は、対応する入れ墨のパターンを変更することができる。例示的なパターン選択機構５１２については、図９Ａに関して後述する。
【０２０５】
いくつかの実施形態においては、針５０６のうちの１本または複数本は、有孔とすることができ、「有孔針（ｐｅｒｆｏｒａｔｅｄ  ｎｅｅｄｌｅ）」と称すことができる。有孔針は、有孔針の柄の少なくとも一部分が、中空とすることができるように、有孔針のそれぞれの柄の少なくとも一部分に沿って有孔とすることができる。有孔部は、有孔針のそれぞれの先端部分まで延びていることができ、有孔針の先端部分にインクおよび／または消毒剤を運ぶことができるように構成され得る。
【０２０６】
インク送達機構５０２は、針５０６が、皮膚の任意の層または構造体の中にインクを注入することができる、かつ／または皮膚の表面にインクを送達することができるように、針５０６にインクを送達するように構成された任意の好適なシステム、装置、またはデバイスを含むことができる。たとえば、いくつかの実施形態においては、インク送達機構５０２は、皮膚の表皮層において皮膚のエリア上にインクをロール付けするように構成されている１つまたは複数のローラを含むことができる。入れ墨アプリケータ５００は、針５０６が、皮膚の表皮から真皮および／または皮下組織にインクを注入するように、インクが皮膚のエリア上に送達された後、針５０６を活動状態にするように構成され得る。ローラを含む例示的な入れ墨アプリケータについては、図６Ａ〜図６Ｃに関して後述する。別の例としては、インク送達機構５０２は、針５０６が、皮膚の穿刺に先立ってその中を通過することができるように構成されたインクパッドを含むことができる。針５０６は、インクパッドの中を通過することにより、それらの先端に何らかのインクを保持するように構成され得、それにより、保持されたインクは、皮膚内に注入され得る。インクパッドを含む例示的な入れ墨アプリケータについては、図７Ａ〜図７Ｃに関して後述する。別の例としては、針５０６が、有孔針を含むとき、インク送達機構５０２は、有孔針の中空部分を通じて、有孔針の先端にインクを迂回させるように構成され得る。有孔針の中空部分を通じてインクを送達する例示的な入れ墨アプリケータについては、図８Ａおよび図８Ｂに関して後述する。
【０２０７】
いくつかの実施形態においては、入れ墨アプリケータ５００は、インクを保持するように構成されたインクリザーバ５０４を含むことができる。インクリザーバ５０４は、インク送達機構５０２によって送達され得るインクを提供するように構成され得る。たとえば、インク送達機構５０２がローラを含むとき、インクリザーバ５０４は、ローラにインクを供給するように構成され得る。別の例としては、インク送達機構５０２がインクパッドを含むとき、インクリザーバ５０４は、インクパッドにインクを提供するように構成され得る。さらには、インク送達機構５０２が有孔針の中空部分にインクを送達するように構成されているとき、インクリザーバ５０４は、中空部分に送達され得るインクを保持するように構成され得る。これらまたは他の実施形態においては、インクリザーバ５０４は、相異なるタイプのインクが、インク送達機構５０２の相異なる部分に、したがって、相異なる針に、入れ墨される皮膚の相異なる部分に、および／または入れ墨される皮膚の相異なる層もしくは皮膚構造体に、送達され得るように区分けされ得る。
【０２０８】
上に示したように、入れ墨アプリケータ５００はまた、消毒機構５０８を含むことができる。消毒機構５０８は、入れ墨の適用間の針５０６に消毒剤を塗布するように構成され得る。たとえば、いくつかの実施形態においては、消毒機構５０８は、消毒剤に浸すことができるスポンジを含むことができる。さらには、針５０６は、皮膚を穿孔し、次いで、入れ墨アプリケータ５００内に格納するように構成され得る。これらまたは他の実施形態においては、針５０６が格納されているとき、針５０６は、スポンジの消毒剤が針５０６と接触していることができるように、スポンジ内に位置するように構成され得る。そのような構成の例については、図６Ａ〜６Ｂ、図７Ａ〜図７Ｂ、および図８Ａ〜図８Ｂに関して与えられる。これらまたは他の実施形態においては、たとえば、針５０６が有孔であるとき、消毒機構は、有孔針の先端まで有孔針の中空部分を通じて消毒剤を経路付けるように構成され得る。消毒剤は、針５０６上にある可能性があるかなり多くの細菌を殺菌するように構成され得る任意の好適な薬剤を含むことができる。たとえば、エタノールが、消毒剤として使用されてよい。
【０２０９】
加えて、いくつかの実施形態においては、入れ墨アプリケータ５００は、洗浄機構５１０を含むことができる。洗浄機構５１０は、入れ墨が、入れ墨アプリケータ５００によって適用され得る皮膚のエリアを洗浄するように構成された任意の好適なシステム、装置、またはデバイスを含むことができる。たとえば、いくつかの実施形態においては、洗浄機構５１０は、洗浄剤に浸されているスポンジを含むことができる。いくつかの実施形態においては、洗浄剤は、消毒剤を含むことができ、この消毒剤は、消毒機構５０８とともに使用され得る消毒剤と同じであっても、または異なっていてもよい。
【０２１０】
本開示の範囲から逸脱することなく、入れ墨アプリケータ５００に対する修正形態、追加形態、または省略形態が、作成され得る。たとえば、入れ墨アプリケータ５００は、具体的に説明されている要素以外の要素を含むことができる。さらには、入れ墨アプリケータの要素間の関係は、固有の構成に応じて変動し得る。加えて、構成は、所望の用途に応じて変動し得る。たとえば、いくつかの実施形態においては、入れ墨アプリケータ５００は、入れ墨アプリケータ５００の１つまたは複数の要素が、入れ墨が適用されることになる動物の耳の両側と相互作用することができるように、プライヤのような構成で構成され得る。
【０２１１】
図６Ａおよび図６Ｂは、本明細書に記載の少なくともいくつかの実施形態により配置構成された、入れ墨アプリケータ６００のいくつかの要素の例示的な構成を示している。入れ墨アプリケータ６００は、皮膚６０５に入れ墨を適用するように構成され得る。
【０２１２】
入れ墨アプリケータ６００は、インクローラ６０２およびインクリザーバ６０４を含むことができ、インクローラ６０２およびインクリザーバ６０４は、図５のそれぞれ、インク送達機構５０２およびインクリザーバ５０４の例とすることができる。インクローラ６０２は、ローリング運動で皮膚６０５にインクを塗布するように構成され得る。インクリザーバ６０４は、インクローラ６０２にインクを供給するように構成され得る。いくつかの実施形態においては、インクローラ６０２およびインクリザーバ６０４は、相異なるタイプのインクが、入れ墨されることになる皮膚６０５のエリアの相異なる部分に塗布され得るように構成され得る。
【０２１３】
たとえば、図６Ｃは、本明細書に記載の少なくともいくつかの実施形態により、インクローラ６０２およびインクリザーバ６０４が、皮膚６０５の相異なる部分に相異なるタイプのインクを塗布するように構成されている一例を示している。図６Ｃの示されている実施形態においては、インクリザーバ６０４（図６Ｃには示されていない）は、あるインク、別のインク、およびさらなる別のインクが、インクローラ６０２のそれぞれ、ある部分６０１ａ、別の部分６０１ｂ、およびさらなる別の部分６０１ｃに塗布されるように区分けされ得る。したがって、インクローラ６０２が、皮膚６０５を横切ってローリングするとき、インクローラ６０２の部分６０１ａは、あるインクを皮膚６０５の一部分６０３ａに塗布することができ、インクローラ６０２の部分６０１ｂは、別のインクを皮膚６０５の一部分６０３ｂに塗布することができ、インクローラ６０２の部分６０１ｃは、さらなる別のインクを皮膚６０５の一部分６０３ｃに塗布することができる。相異なるインクはそれぞれ、それらが相異なるインクタイプ、および／または相異なるインク要素となることができるように、相異なる特性を有することができる。たとえば、相異なるインクは、相異なる生理学的標的に関係する情報を提供することができる相異なるタイプのインテリジェントインクを含むことができ、または相異なるインクは、相異なる色のインクを単に含むことができる。そのため、相異なるインクタイプは、皮膚６０５の相異なる部分に塗布され得、それにより、インクが、（後述されるように）皮膚６０５内に注入されるとき、相異なるタイプのインクが、皮膚６０５の一部分６０３ａ、一部分６０３ｂ、および一部分６０３ｃ内に注入可能になる。
【０２１４】
入れ墨アプリケータ６００は、図５に関して説明した針５０６の例とすることができる複数の針６０６を含むことができる。図６Ａは、格納されている状態にある針６０６を示し、図６Ｂは、格納されていない状態にある針６０６を示し、ここでは、針６０６は、皮膚６０５を穿刺している。針６０６は、インクローラ６０２が通過している皮膚６０５のエリアにわたって、格納されている状態から格納されていない状態に移行するように構成され得る。そのため、針６０６は、格納されている状態から格納されていない状態に移行するとき、皮膚６０５の表皮の表面から皮膚６０５の真皮または皮下組織にインクを注入するように構成され得る。加えて、針６０６が皮膚内にインクを注入することを可能にする方式で、皮膚６０５にインクを塗布することによって、針６０６およびインクローラ６０２は、インクローラ６０２が針６０６にインクを送達する方式で相互作用することができる。
【０２１５】
針６０６は、任意の好適なシステム、装置、またはデバイスを使用して、格納および格納解除するように構成され得る。たとえば、いくつかの実施形態においては、針６０６は、針６０６が格納されている状態にあるとき、針６０６がばね付勢されているように構成され得る。これらの実施形態のうちのいくつかにおいては、入れ墨アプリケータ６００は、針６０６を格納されていない状態に移行させる方式でユーザ入力に応じて、ばね（図示せず）を解放することができるトリガリング機構（図示せず）を含むことができる。これらまたは他の実施形態においては、針６０６は、ばね付勢された格納されている状態へと針６０６を再付勢することが可能なコック運動／機構により、格納されている状態に再設定され得る。
【０２１６】
さらには、いくつかの実施形態においては、針６０６は、インクローラ６０２が、針６０６から離れて移動する方向に特定の距離をローリングした後、針６０６が、格納されている状態から格納されていない状態に移行することができるように、インクローラ６０２とともに構成され得る。たとえば、ギア機構は、インクローラ６０２が針６０６からインクローラ６０２に向かう方向にローリングするにつれて、針６０６を格納されている状態と格納されていない状態との間で動かすように、インクローラ６０２と針６０６との間に構成され得る。別の例としては、インクローラ６０２は、インクローラ６０２が、針６０６がばね付勢されているときの構成で特定の距離をローリングした後、ばねを解放するように構成され得る。
【０２１７】
いくつかの実施形態においては、入れ墨アプリケータ６００は、消毒剤に浸漬され得る消毒スポンジ６０８を含むことができる。消毒スポンジ６０８は、図５の消毒機構５０８の一例とすることができる。図６Ａに示されているように、針６０６が格納されている状態にあるとき、針６０６の先端は、消毒スポンジ６０８の実質的に内部にあることができる。そのため、針６０６の先端は、消毒剤に曝され得る。図６Ｂに示されているように、針６０６の少なくとも一部分は、針６０６が、格納されている状態から格納されていない状態に移行するとき、消毒スポンジ６０８の中を通過するように構成され得る。
【０２１８】
入れ墨アプリケータ６００はまた、洗浄機構６１０を含むことができ、この洗浄機構６１０は、洗浄ローラ６１３および洗浄剤リザーバ６１１を含むことができる。洗浄機構６１０は、図５の洗浄機構５１０の一例とすることができる。洗浄ローラ６１３は、皮膚６０５が入れ墨されるのに先立って皮膚６０５に洗浄剤を塗布するように構成され得る。たとえば、入れ墨アプリケータ６００は、入れ墨アプリケータ６００が、針６０６からインクローラ６０２および洗浄ローラ６１３へと移動する方向に、皮膚６０５を横切って移動し得るように構成され得る。そのため、洗浄ローラ６１３は、インクローラ６０２の前に、および針６０６がインクを皮膚６０５内に注入する前に、皮膚６０５の上を通過することができる。洗浄剤は、洗浄剤リザーバ６１１によって洗浄ローラ６１３に提供され得る。上に示したように、洗浄剤は、消毒剤を含むことができ、この消毒剤は、消毒スポンジ６０８が浸漬され得る消毒剤と同じであっても、または異なっていてもよい。
【０２１９】
図６Ａ〜図６Ｂにおいては、針６０６は、長さが同じであり、皮膚６０５の同じ層もしくは深さまで穿通しているように示されている。他の実施形態においては、針６０６は、長さが異なる場合があり、かつ／または皮膚６０５の相異なる層もしくは深さまで穿通する場合がある。たとえば、針６０６のうちの一部は、ある長さとすることができ、ある層または深さまで穿通することができ、一方、針６０６のうちの他は、別の長さとすることができ、異なる層または深さまで穿通することができる。あるいはまたは加えて、ある層または深さまで穿通する針６０６は、あるインテリジェントインクまたは薬剤を送達することができ、一方、別の層または深さまで穿通する針６０６は、異なるインテリジェントインクまたは薬剤を送達することができる。あるいはまたは加えて、針６０６は、３つ以上の相異なる長さとすることができ、それらは、３つ以上の相異なるインテリジェントインクもしくは薬剤を皮膚６０５の３つ以上の相異なる層または深さまで送達することができる。
【０２２０】
本開示の範囲から逸脱することなく、入れ墨アプリケータ６００に対する修正形態、追加形態、または省略形態が、作成され得る。たとえば、示されている実施形態は、単に、入れ墨アプリケータ６００の相異なる構成要素が、いかに互いと相互作用するかについての概念的例示を提供するためにすぎない。実際の構成および相異なる構成要素との相互作用は、変動し得る。加えて、任意の数の他の構成要素が、本明細書に記載の機能を容易にする助けとなるように存在し得る。
【０２２１】
図７Ａおよび図７Ｂは、本明細書に記載の少なくともいくつかの実施形態により配置構成された、入れ墨アプリケータ７００のいくつかの要素の例示的な構成を示している。入れ墨アプリケータ７００は、後述されるように皮膚７０５のエリアに入れ墨を適用するように構成され得る。
【０２２２】
入れ墨アプリケータ７００は、インクパッド７０２を含むことができ、このインクパッド７０２は、図５のインク送達機構５０２の一例とすることができる。いくつかの実施形態においては、入れ墨アプリケータ７００はまた、インクパッド７０２にインクを提供するように構成され得るインクリザーバ（図示せず）を含むことができる。いくつかの実施形態においては、インクパッド７０２は、相異なるタイプのインクを含むことができ、それにより、相異なるタイプのインクは、入れ墨され得る皮膚７０５のエリアの相異なる部分に入れ墨可能になる。
【０２２３】
たとえば、図７Ｃは、本明細書に記載の少なくともいくつかの実施形態により配置構成された、部分７０１ａ、部分７０１ｂ、および部分７０１ｃを含むインクパッド７０２の一例を示している。部分７０１ａは、あるインクを浸して含むことができ、部分７０１ｂは、別のインクを浸して含むことができ、部分７０１ｃは、さらなる別のインクを浸して含むことができる。相異なるインクは、それらが相異なるタイプとなることができるように、１つまたは複数の相異なる特性を有することができる。したがって、インクパッド７０２からのインクが、（後述されるように）皮膚７０５内に注入されるとき、入れ墨され得る皮膚７０５のエリアの相異なる部分は、相異なるタイプのインクが注入され得る。
【０２２４】
入れ墨アプリケータ７００は、図５に関して説明した針５０６の例とすることができる複数の針７０６を含むことができる。図７Ａは、格納されている状態にある針７０６を示し、図７Ｂは、格納されていない状態にある針７０６を示し、ここでは、針７０６は、皮膚７０５を穿刺している。図７Ａおよび図７Ｂに示されているように、針７０６は、針７０６が、格納されている状態から格納されていない状態に移行するとき、インクパッド７０２の中を通過するように構成され得る。加えて、針７０６は、針７０６がインクパッド７０２の中を通過するとき、針７０６が、針７０６の先端に何らかのインクを保持することができるように構成され得る。そのため、針７０６が皮膚７０５を穿刺するとき、針は、格納されている状態から格納されていない状態に移行するときに皮膚７０５の真皮または皮下組織内にインクを注入することができる。
【０２２５】
針７０６は、任意の好適なシステム、装置、またはデバイスを使用して、格納および格納解除するように構成され得る。たとえば、いくつかの実施形態においては、針７０６は、針７０６が格納されている状態にあるとき、針７０６がばね付勢されているように構成され得る。これらの実施形態のうちのいくつかにおいては、入れ墨アプリケータ７００は、針７０６を格納されていない状態に移行させる方式でユーザ入力に応じて、ばね（図示せず）を解放することができるトリガリング機構（図示せず）を含むことができる。これらまたは他の実施形態においては、針７０６は、ばね付勢された格納されている状態へと針７０６を再付勢することが可能なコック運動／機構により、格納されている状態に再設定され得る。
【０２２６】
いくつかの実施形態においては、入れ墨アプリケータ７００は、消毒剤に浸漬され得る消毒スポンジ７０８を含むことができる。消毒スポンジ７０８は、図５の消毒機構５０８の一例とすることができる。図７Ａに示されているように、針７０６が格納されている状態にあるとき、針７０６の先端は、消毒スポンジ７０８の実質的に内部にあることができる。そのため、針７０６の先端は、消毒剤に曝され得る。図７Ｂに示されているように、針７０６の少なくとも一部分は、針７０６が、格納されている状態から格納されていない状態に移行するとき、消毒スポンジ７０８の中を通過するように構成され得る。
【０２２７】
入れ墨アプリケータ７００はまた、洗浄機構７１０を含むことができ、この洗浄機構７１０は、洗浄スポンジ７１３および洗浄剤リザーバ７１１を含むことができる。洗浄機構７１０は、図５の洗浄機構５１０の一例とすることができる。洗浄スポンジ７１３は、皮膚７０５が入れ墨されるのに先立って皮膚７０５に洗浄剤を塗布するように構成され得る。たとえば、入れ墨アプリケータ７００は、針７０６が皮膚７０５に対して格納されていない状態に移行する前の格納された状態にある間、入れ墨アプリケータ７００が皮膚７０５を横切って移動し得るように構成され得る。そのため、洗浄剤は、針７０６がインクを皮膚７０５内に注入する前に、皮膚７０５に塗布され得る。洗浄剤は、洗浄剤リザーバ７１１によって洗浄スポンジ７１３に提供され得る。上に示したように、洗浄剤は、消毒剤を含むことができ、この消毒剤は、消毒スポンジ７０８が浸漬され得る消毒剤と同じであっても、または異なっていてもよい。
【０２２８】
図７Ａ〜図７Ｂにおいては、針７０６は、長さが同じであり、皮膚７０５の同じ層もしくは深さまで穿通しているように示されている。他の実施形態においては、針７０６は、長さが異なる場合があり、かつ／または皮膚７０５の相異なる層もしくは深さまで穿通する場合がある。たとえば、針７０６のうちの一部は、ある長さとすることができ、ある層または深さまで穿通することができ、一方、針７０６のうちの他は、別の長さとすることができ、異なる層または深さまで穿通することができる。あるいはまたは加えて、ある層または深さまで穿通する針７０６は、あるインテリジェントインクまたは薬剤を送達することができ、一方、別の層または深さまで穿通する針７０６は、異なるインテリジェントインクまたは薬剤を送達することができる。あるいはまたは加えて、針７０６は、３つ以上の相異なる長さとすることができ、それらは、３つ以上の相異なるインテリジェントインクもしくは薬剤を皮膚７０５の３つ以上の相異なる層または深さまで送達することができる。
【０２２９】
本開示の範囲から逸脱することなく、入れ墨アプリケータ７００に対する修正形態、追加形態、または省略形態が、作成され得る。たとえば、示されている実施形態は、単に、入れ墨アプリケータ７００の相異なる構成要素が、いかに互いと相互作用するかについての概念的例示を提供するためにすぎない。実際の構成および相異なる構成要素との相互作用は、変動し得る。加えて、任意の数の他の構成要素が、本明細書に記載の機能を容易にする助けとなるように存在し得る。
【０２３０】
図８Ａおよび図８Ｂは、本明細書に記載の少なくともいくつかの実施形態により配置構成された、入れ墨アプリケータ８００のいくつかの要素の例示的な構成を示している。入れ墨アプリケータ８００は、皮膚８０５に入れ墨を適用するように構成され得る。
【０２３１】
入れ墨アプリケータ８００は、図５に関して説明した針５０６の例とすることができる複数の針８０６を含むことができる。図８Ａは、格納されている状態にある針８０６を示し、図８Ｂは、格納されていない状態にある針８０６を示し、ここでは、針８０６は、皮膚８０５のエリアを穿刺している。針８０６は、任意の好適なシステム、装置、またはデバイスを使用して、格納および格納解除するように構成され得る。たとえば、いくつかの実施形態においては、針８０６は、針８０６が格納されている状態にあるとき、針８０６がばね付勢されているように構成され得る。これらの実施形態のうちのいくつかにおいては、入れ墨アプリケータ８００は、針８０６を格納されていない状態に移行させる方式でユーザ入力に応答して、ばね（図示せず）を解放することができるトリガリング機構（図示せず）を含むことができる。これらまたは他の実施形態においては、針８０６は、ばね付勢された格納されている状態へと針８０６を再付勢することが可能なコック運動／機構により、格納されている状態に再設定され得る。さらには、針８０６は、針８０６が、針８０６のそれぞれの先端まで延びていることができる中空部分を含むことができるように有孔とすることができる。
【０２３２】
入れ墨アプリケータ８００は、インクダイバータ８０２およびインクリザーバ８０４を含むことができ、このインクダイバータ８０２およびインクリザーバ８０４は、図５のそれぞれ、インク送達機構５０２およびインクリザーバ５０４の例とすることができる。インクダイバータ８０２は、インクが、針８０６の先端に送達され得るように、針８０６の中空部分内にインクを迂回させるように構成され得る。そのため、針８０６が皮膚８０５を穿刺するとき、針８０６は、皮膚８０５の真皮層または皮下層内にインクを注入することができる。インクリザーバ８０４は、インクダイバータ８０２によって迂回し得るインクを保存し、供給するように構成され得る。
【０２３３】
いくつかの実施形態においては、インクダイバータ８０２およびインクリザーバ８０４は、皮膚８０５のエリアの相異なる部分が、相異なるタイプのインクもしくは薬剤を含む針８０６によって入れ墨され得るように、かつ／または相異なるタイプのインクもしくは薬剤が、皮膚８０５の相異なる層もしくは構造体に送達され得るように、相異なるタイプのインクならびに／あるいは薬剤が、針８０６のうちの相異なる針に迂回し得るように構成され得る。たとえば、図８Ａおよび図８Ｂに示されているように、インクダイバータ８０２およびインクリザーバ８０４は、部分８０１ａ、部分８０１ｂ、および部分８０１ｃに従って区分けされ得る。インクリザーバ８０４は、部分８０１ａに、あるインクを保持するように構成され得、それにより、インクは、部分８０１ａ内のインクダイバータ８０２に送達され得る。次いで、部分８０１ａ内のインクダイバータ８０２は、針８０６のあるサブセットにインクを迂回させることができる。インクリザーバ８０４は、部分８０１ｂに、別のインクを保持するように構成され得、それにより、インクは、部分８０１ｂ内のインクダイバータ８０２に送達され得る。次いで、部分８０１ｂ内のインクダイバータ８０２は、針８０６の、先に述べたサブセットとは異なっていてよい針８０６の別のサブセットにインクを迂回させることができる。加えて、インクリザーバ８０４は、部分８０１ｃに、さらなる別のインクを保持するように構成され得、それにより、インクは、部分８０１ｃ内のインクダイバータ８０２に送達され得る。次いで、部分８０１ｃ内のインクダイバータ８０２は、針８０６の先に述べた２つのサブセットとは異なっていてよい針８０６のさらなる別のサブセットにインクを迂回させることができる。したがって、針８０６が皮膚８０５を穿刺するとき、針８０６のあるサブセットが、あるインクを注入することができ、針８０６の別のサブセットが、別のインクを注入することができ、針８０６のさらなる別のサブセットが、さらなる別のインクを注入することができる。相異なるインクは、それらが相異なるタイプになることができるように、１つまたは複数の相異なる特性を有することができる。そのため、入れ墨され得る皮膚８０５のエリアの相異なる部分は、相異なるタイプのインクが注入され得る。
【０２３４】
いくつかの実施形態においては、入れ墨アプリケータ８００は、図６Ａ、図６Ｂ、図７Ａ、および図７Ｂに関して上に説明した消毒スポンジ６０８および消毒スポンジ７０８に類似している消毒スポンジ８０８を含むことができる。さらには、入れ墨アプリケータ８００はまた、洗浄機構８１０を含むことができ、この洗浄機構８１０は、洗浄スポンジ８１３および洗浄剤リザーバ８１１を含むことができる。洗浄機構８１０、洗浄スポンジ８１３、および洗浄剤リザーバ８１１は、図７Ａおよび図７Ｂのそれぞれ、洗浄機構７１０、洗浄スポンジ７１３、および洗浄剤リザーバ７１１に類似していてよい。
【０２３５】
図８Ａ〜図８Ｂにおいては、針８０６は、長さが同じであり、皮膚８０５の同じ層もしくは深さまで穿通しているように示されている。他の実施形態においては、針８０６は、長さが異なる場合があり、かつ／または皮膚８０５の異なる層もしくは深さまで穿通する場合がある。たとえば、針８０６のうちの一部は、ある長さとすることができ、ある層または深さまで穿通することができ、一方、針８０６のうちの他は、別の長さとすることができ、異なる層または深さまで穿通することができる。あるいはまたは加えて、ある層または深さまで穿通する針８０６は、あるインテリジェントインクまたは薬剤を送達することができ、一方、別の層または深さまで穿通する針８０６は、異なるインテリジェントインクまたは薬剤を送達することができる。あるいはまたは加えて、針８０６は、３つ以上の相異なる長さとすることができ、それらは、３つ以上の相異なるインテリジェントインクもしくは薬剤を皮膚８０５の３つ以上の相異なる層または深さまで送達することができる。
【０２３６】
本開示の範囲から逸脱することなく、入れ墨アプリケータ８００に対する修正形態、追加形態、または省略形態が、作成され得る。たとえば、示されている実施形態は、単に、入れ墨アプリケータ８００の相異なる構成要素が、いかに互いと相互作用するかについての概念的例示を提供するためにすぎない。実際の構成および相異なる構成要素との相互作用は、変動し得る。加えて、任意の数の他の構成要素が、本明細書に記載の機能を容易にする助けとなるように存在し得る。
【０２３７】
図９Ａは、本明細書に記載の少なくともいくつかの実施形態により配置構成された、入れ墨アプリケータの例示的なパターン選択機構９１２を示している。パターン選択機構９１２は、図５のパターン選択機構５１２の一例である。図６Ａ〜図８Ｂに関しては明確に説明もまたは例示もしていないが、パターン選択機構９１２は、入れ墨アプリケータ６００、入れ墨アプリケータ７００、および入れ墨アプリケータ８００のうちの１つまたは複数とともに含められ得る。
【０２３８】
示されている実施形態においては、パターン選択機構９１２は、３桁の数の選択を可能にすることができる。たとえば、パターン選択機構９１２は、セレクタ９１４ａ、セレクタ９１４ｂ、およびセレクタ９１４ｃを含むことができる。セレクタ９１４ａは、３桁の数字のうちのある桁の選択を可能にするように構成され得、セレクタ９１４ｂは、３桁の数字のうちの別の桁の選択を可能にするように構成され得、セレクタ９１４ｃは、３桁の数字のうちのさらなる別の桁の選択を可能にするように構成され得る。
【０２３９】
セレクタ９１４は、選択された数字が皮膚内に入れ墨され得るように、対応する入れ墨アプリケータの針と相互作用するように構成され得る。たとえば、ある数字が、セレクタ９１４のうちの１つについて選択されるとき、針の対応するサブセットは、皮膚を穿刺する対応するサブセットの針が、選択された数を形成するように構成され得る。例として、図９Ａは、数字「５０３」が選択されていることを示し、図９Ｂは、パターン選択機構９１２を含む入れ墨アプリケータ９００の底面図を示している。図９Ｂに示されているように、入れ墨アプリケータ９００の針は、パターン選択機構９１２上の数字「５０３」の選択に従って、皮膚内に数字「５０３」を入れ墨するように構成され得る。
【０２４０】
本開示の範囲から逸脱することなく、パターン選択機構９１２に対する修正形態、追加形態、または省略形態が、作成され得る。たとえば、パターン選択機構９１２は、パターン選択機構９１２は、入れ墨アプリケータ９００の筐体と一体化され得るように修正可能である。加えて、数字の選択と対応する針の選択との間の相互作用を可能にする他の構成要素が含められ得る。
【０２４１】
さらには、示されている実施形態は、単なる例示的な構成にすぎず、任意の数の他の構成が、パターンを選択するために使用され得る。たとえば、いくつかの実施形態においては、針は、相異なるパターンのダイ内にまとめることができ、ダイは、取外し式とすることができる。したがって、所望のパターンを有する１つまたは複数のダイが、選択され、対応する入れ墨アプリケータ内に配置され得る。
【０２４２】
図１０Ａおよび図１０Ｂは、本明細書に記載の少なくともいくつかの実施形態により配置構成された、別の入れ墨アプリケータ１０００のいくつかの要素の例示的な構成を示している。入れ墨アプリケータは、皮膚１００５（図１０Ｂ）に入れ墨を適用するように構成され得る。
【０２４３】
入れ墨アプリケータ１０００は、図５に関して説明した極微針５０６の例とすることができる複数の極微針１００６を含むことができる。図１０Ａは、極微針１００６のうちの１本の詳細図１００７を含む。詳細図１００７の中の極微針１００６は、極微針１００６の構造体を形成する自己溶解式かつ経皮吸収型の材料を含む。たとえば、材料は、デキストリン、コンドロイチン硫酸、アルブミン、塩化ナトリウム、１つまたは複数のポリマー、あるいは他の自己溶解式かつ経皮吸収性の材料を含むことができる。加えて、詳細図１００７の中の極微針１００６は、インテリジェントインクおよび／またはインテリジェントインクの可視化を助けるための薬剤が染み込んだ先端１００６Ａを含む。極微針１００６のそれぞれは、概して、詳細図１００７に示されている類似の構成を含むことができる。
【０２４４】
いくつかの実施形態においては、入れ墨アプリケータ１０００の極微針１００６のうちの一部は、インテリジェントインクを含む先端１００６Ａを含む場合があり、一方、他は、薬剤を含む先端１００６Ａを含む場合がある。代替としてまたは加えて、複数のインテリジェントインクおよび／または複数の薬剤がある場合、極微針１００６の相異なるセットは、相異なるインテリジェントインクおよび／または相異なる薬剤を含む先端１００６Ａを含むことができる。
【０２４５】
加えて、極微針１００６の長さ、先端１００６Ａおよび／またはその上に染み込んだインテリジェントインクもしくは薬剤の容量、あるいは極微針１００６の他の態様は、インテリジェントインクまたは薬剤に応じて変動し得る。たとえば、図１０Ａは、長さが異なる極微針１００６Ｂ〜１００６Ｅを示す詳細図１００９を含む。極微針１００６Ｂは、ある長さ、あるインテリジェントインクまたは薬剤を含むことができ、極微針１００６Ｃは、別の長さ、および別のインテリジェントインクまたは薬剤を含むことができ、極微針１００６Ｄは、別の長さ、および別のインテリジェントインクまたは薬剤を含むことができ、極微針１００６Ｅは、別の長さ、および別のインテリジェントインクまたは薬剤を含むことができる。たとえば、極微針１００６Ｂは、５〜１００μｍの範囲の長さ、およびその先端１００６Ａに染み込んだ脱色素剤を含むことができる。極微針１００６Ｃは、１００〜１０００μｍの範囲の長さ、およびその先端１００６Ａに浸されるインテリジェントインクを含むことができる。極微針１００６Ｄは、極微針１００６Ｃと同じ長さ、たとえば、１００〜１０００μｍの範囲の長さとすることができ、極微針１００６Ｃのインテリジェントインクとは異なる別のインテリジェントインクをその先端１００６Ａに染み込ませることができる。極微針１００６Ｅは、１０００〜３０００μｍの範囲の長さとすることができ、脱毛剤をその先端１００６Ａに染み込ませることができる。極微針１００６Ｂ〜１００６Ｅのそれぞれの長さは、入れ墨アプリケータ１０００が使用されることになる動物（相異なる動物は、皮膚厚さが相異なる場合がある）、動物の注入部位（動物の相異なる注入部位は、皮膚厚さが相異なる場合がある）、動物の皮膚に注入されることになる極微針１００６Ｂ〜１００６Ｅに含まれる特定のインテリジェントインクもしくは薬剤、および／または他の基準によって左右される場合がある。
【０２４６】
あるいはまたは加えて、相異なるインク要素は、同じ極微針の相異なる深さで含められ得る。たとえば、詳細図１０１１は、針１００６Ｆの３つの相異なる深さにおいて３つの相異なるインク要素が染み込んだ状態の極微針１００６Ｆを含む。具体的には、極微針１００６Ｆの先端１００６Ａは、脱毛剤を含むことができ、極微針１００６Ｆの中央部１００６Ｇは、極微針１００６Ｃまたは１００６Ｄに含まれるインテリジェントインクのうちの１つを含むことができ、極微針１００６Ｆの基部１００６Ｈは、脱色素剤を含むことができる。他の実施形態においては、相異なるインク要素は、極微針１００６Ｆの同じまたは重なり合う深さで染み込んでいてよい。より概括的には、複数のインク要素を含む極微針は、極微針の２つ以上の相異なる深さにおいて、または極微針の同じもしくは重なり合う深さにおいて、２つ以上の相異なるインク要素を含むことができる。そのような構成により、各そのような極微針は、皮膚の２つ以上の相異なる層もしくは深さまで、および／あるいは皮膚の同じまたは重なり合う層もしくは深さまで、２つ以上の相異なるインク要素を同時に送達することができ得る。
【０２４７】
図１０Ａの例においては、入れ墨アプリケータ１０００の極微針１００６のあるセットは、極微針１００６Ｂと同じ構成を含む極微針を含むことができ、極微針１００６の別のセットは、極微針１００６Ｃと同じ構成を含む極微針を含むことができ、極微針１００６の別のセットは、極微針１００６Ｄと同じ構成を含む極微針を含むことができ、かつ／または極微針１００６のさらなる別のセットは、極微針１００６Ｅと同じ構成を含む極微針を含むことができる。針１００６の相異なるセットは、互いとは別々に位置付け可能であり、または混ぜ合わせ可能である。さらには、極微針１００６の４つのセットについては、図１０Ａの詳細図１００９の状況で説明しているが、より概括的には、入れ墨アプリケータ１０００は、極微針１００６の１つまたは複数のセットを含んでよく、極微針１００６の各セットは、特定の長さの、および／または特定のインテリジェントインクもしくは薬剤を含む極微針１００６を有する。
【０２４８】
加えて、入れ墨アプリケータ１０００は、極微針１００６が取り付けられる基板１００８を含むことができる。基板１００８は、剛性とすることも、または可撓性とすることもできる。剛性基板１００８は、たとえば、注入部位が相対的に平坦であるとき、許容可能とすることができる。可撓性基板は、剛性基板と比較すると、たとえば、注入部位が、起伏の付いた注入部位をより均一にカバーするように起伏付けされるとき、使用され得る。基板１００８は、パッチの形態とすることができる。
【０２４９】
あるいはまたは加えて、基板１００８は、剛性であるか、それとも可撓性であるかにかかわらず、極微針１００６から取外し可能とすることができる。たとえば、動物の皮膚１００５内に極微針１００６を挿入後、その中に含まれているインテリジェントインクおよび／または薬剤を溶解もしくは放出するように、極微針１００６を皮膚１００５に埋め込んだまま、基板は、極微針１００６から剥離可能、または別の形で極微針１００６から取外し可能である。
【０２５０】
次に、入れ墨アプリケータ１０００を使用して入れ墨を適用する例示的な工程について、図１０Ｂに関して説明することとする。
【０２５１】
段階１０１０においては、入れ墨アプリケータ１０００は、所望の注入部位にわたって手動または自動的に位置付けられ得る。極微針１００６の長さおよびインク要素は、注入部位における皮膚の層の厚さ、および極微針１００６によって送達されることになるインク要素または複数のインク要素に基づいて、皮膚１００５の特定の深さまたは複数の特定の深さまで、極微針１００６ごとに単一のインク要素または極微針１００６ごとに複数のインク要素を送達するように構成され得る。たとえば、脱色素剤を含む短い極微針１００６Ｂは、段階１０１０においてはそのうちの１本のみがラベル付けされているが、皮膚１００５の表皮１００５ａに脱色素剤を送達するように構成され得る。インテリジェントインクを含む中間極微針１００６Ｃは、段階１０１０においてはそのうちの１本のみがラベル付けされているが、皮膚１００５の真皮１００５ｂにインテリジェントインクを送達するように構成され得る。脱毛剤を含む長い極微針１００６Ｅは、段階１０１０においてはそのうちの１本のみがラベル付けされているが、皮膚１００５の真皮１００５ｂのより下側レベルに、および／または皮下組織１００５ｃに脱毛剤を送達するように構成され得る。代替としてまたは加えて、図１０Ｂにおいては示されていないが、図１０Ａの極微針１００６Ｆなど、複数のインク要素を含む極微針１００６が、脱色素剤を表皮１００５ａに、インテリジェントインクを真皮１００５ｂに、ならびに脱毛剤を真皮のより下側レベルに、および／または皮下組織１００５ｃに送達するように構成され得る。
【０２５２】
段階１０２０においては、極微針１００６は、皮膚１００５内に注入される。
【０２５３】
段階１０３０においては、基板１００８（段階１０１０および１０２０を参照されたい）は、極微針１００６から取り外される。たとえば、基板１００８は、極微針１００６が、基板１００８から離脱し、皮膚１００５に打ち込まれたままの状態で、皮膚１００５から剥離可能である。皮膚１００５においては、極微針１００６は、皮膚１００５内に溶解し、かつ／または吸収され得る。
【０２５４】
段階１０４０においては、極微針１００６が、部分的にまたは完全に溶解した後、極微針１００６の先端１００６Ａ（図１０Ａ）において送達されたインテリジェントインクおよび／または薬剤は、それらが、概して、極微針１００６によって注入された深さで皮膚１００５の中で消散し得る。たとえば、短い極微針１００６Ｂによって送達された脱色素剤の消散は、１０４２において大まかに示されている。中間極微針１００６Ｃによって送達されたインテリジェントインクの消散は、１０４４において大まかに示されている。長い極微針１００６Ｅによって送達された脱毛剤の消散は、１０４６において大まかに示されている。
【０２５５】
図１０Ａおよび図１０Ｂの入れ墨アプリケータ１０００は、他の要素および／または構成を含むことができる。たとえば、図１０Ｃは、本明細書に記載の少なくともいくつかの実施形態により配置構成された、入れ墨アプリケータ１０００の別の例示的な構成を示している。図１０Ｃにおいては、入れ墨アプリケータ１０００は、焼きごて構成を含む。具体的には、入れ墨アプリケータ１０００は、極微針１００６および基板１００８を含む。加えて、図１０Ｃの入れ墨アプリケータ１０００は、ハンドル１０５０、およびハンドル１０５０の端部に連結されたプレート１０５２を含む。基板１００８は、接着剤、テープ、ストラップ、吸着カップ、または他の好適な材料もしくはデバイスを用いてプレート１０５２に連結され得る。
【０２５６】
使用に際して、牧場主、牧場作業者、または他の人は、極微針１００６備えた基板１００８をプレート１０５２に取り付けることができる。いくつかの実施形態においては、基板１００８は、基板１００８の前側とは反対の基板１００８の裏側に剥離粘着裏当てを含む。基板１００８の前側は、極微針１００６を含む。剥離粘着裏当ては、粘着しない可剥離性の層によってカバーされる基板１００８の裏側に接着剤を含むことができる。基板１００８をプレート１０５２に取り付けるために、人は、粘着しない可剥離性の層を剥離して、接着剤をむき出しにし、接着剤を使用して基板１００８をプレート１０５２に取り付けることができる。代替として、他の材料またはデバイスが、基板１００８をプレート１０５２に取り付けるために使用され得る。
【０２５７】
極微針１００６を備えた基板１００８がプレート１０５２に取り付けられた後、極微針１００６を備えた基板１００８は、動物の注入部位において位置付けられ得る。極微針１００６を備えた基板１００８は、ハンドル１０５０を把持し、プレート１０５２および極微針１００６を備えた取付け済み基板１００８を注入部位に移動させることによって、極微針を備えた基板１００８に触れることなく、注入部位において位置付けられ得る。注入部位において位置付けられると、極微針１００６を備えた基板を、人は、ハンドル１０５０を使用して、注入部位に対して押し付けることができる。人は、極微針１００６から離脱するように注入部位から基板１００８を剥離し、注入部位における動物の皮膚内に極微針１００６を残すような好適な方式で、ハンドル１０５０を回転させる、または別の形で移動させることができる。次いで、人は、残っている基板１００８をプレート１０５２から引き剥がす、または別の形で残っている基板１００８をプレート１０５２から取り外し、それを廃棄することができる。工程は、必要に応じて、他の動物に入れ墨を適用するのに繰り返され得る。
【０２５８】
図１１は、本明細書に記載の少なくともいくつかの実施形態により配置構成された、動物をモニタリングし、かつ／または動物に入れ墨するように構成されている例示的なコンピューティングデバイス１１００を示すブロック略図である。非常に基本的な構成１１０２においては、コンピューティングデバイス１１００は、典型的には、１つまたは複数のプロセッサ１１０４と、システムメモリ１１０６とを含む。メモリバス１１０８が、プロセッサ１１０４とシステムメモリ１１０６との間の通信に使用され得る。
【０２５９】
所望の構成に応じて、プロセッサ１１０４は、マイクロプロセッサ（μＰ）、マイクロコントローラ（μＣ）、デジタル信号プロセッサ（ＤＳＰ）、またはそれらの任意の組合せを含む任意のタイプとすることができる。プロセッサ１１０４は、レベル１キャッシュ１１１０およびレベル２キャッシュ１１１２などの１つまたは複数のレベルのキャッシング、プロセッサコア１１１４、およびレジスタ１１１６を含むことができる。例示的なプロセッサコア１１１４は、算術論理ユニット（ａｒｉｔｈｍｅｔｉｃ  ｌｏｇｉｃ  ｕｎｉｔ：ＡＬＵ）、浮動小数点ユニット（ｆｌｏａｔｉｎｇ  ｐｏｉｎｔ  ｕｎｉｔ：ＦＰＵ）、デジタル信号処理コア（ｄｉｇｉｔａｌ  ｓｉｇｎａｌ  ｐｒｏｃｅｓｓｉｎｇ  ｃｏｒｅ：ＤＳＰ  Ｃｏｒｅ）、またはそれらの任意の組合せを含むことができる。例示的なメモリコントローラ１１１８はまた、プロセッサ１１０４とともに使用されてよく、またはいくつかの実装形態においては、メモリコントローラ１１１８は、プロセッサ１１０４の内部の一部であってもよい。
【０２６０】
所望の構成に応じて、システムメモリ１１０６は、揮発性メモリ（ＲＡＭなど）、不揮発性メモリ（ＲＯＭ、フラッシュメモリなど）、またはそれらの任意の組合せを含む任意のタイプとすることができる。システムメモリ１１０６は、オペレーティングシステム１１２０、１つまたは複数のアプリケーション１１２２、およびプログラムデータ１１２４を含むことができる。アプリケーション１１２２は、図１Ａ〜図１Ｂの健康モニタアプリケーション１１２に対応することができる健康モニタアプリケーション１１２６、および／または入れ墨アプリケータによって入れ墨の自動的もしくは半自動的適用を制御するためのアプリケーションを含むことができる。プログラムデータ１１２４は、図１Ａ〜図１Ｂの動物レコード１１４に対応することができる動物レコード１１２８を含むことができる。いくつかの実施形態においては、アプリケーション１１２２は、図４の方法４００など、動物をモニタリングする方法を行い、かつ／または本明細書に説明した他の方法および／もしくは動作を行うように、オペレーティングシステム１１２０上のプログラムデータ１１２４とともに動作するように構成され得る。
【０２６１】
コンピューティングデバイス１１００は、追加の特徴または機能、ならびに基本構成１１０２と任意の所要のデバイスおよびインターフェースとの間の通信を容易にする追加のインターフェースを有することができる。たとえば、バス／インターフェースコントローラ１１３０は、ストレージインターフェースバス１１３４を介して、基本構成１１０２と１つまたは複数のデータストレージデバイス１１３２と間の通信を容易にするために使用され得る。データストレージデバイス１１３２は、取外し式ストレージデバイス１１３６、非取外し式ストレージデバイス１１３８、またはそれらの組合せとすることができる。取外し式ストレージおよび非取外し式ストレージデバイスの例は、いくつか挙げると、フレキシブルディスクドライブ、およびハードディスクドライブ（ＨＤＤ）などの磁気ディスクデバイス、コンパクトディスク（ＣＤ）ドライブまたはデジタル多用途ディスク（ＤＶＤ）ドライブなどの光ディスクドライブ、ソリッドステートドライブ（ＳＳＤ）、およびテープドライブを含む。例示的なコンピュータストレージ媒体は、コンピュータ可読命令、データ構造体、プログラムモジュール、もしくは他のデータなど、情報を記憶するための任意の方法または技術において実装される揮発性および不揮発性、取外し式および非取外し式の媒体を含むことができる。
【０２６２】
システムメモリ１１０６、取外し式ストレージデバイス１１３６、および非取外し式ストレージデバイス１１３８は、コンピュータストレージ媒体の例である。コンピュータストレージ媒体は、ＲＡＭ、ＲＯＭ、ＥＥＰＲＯＭ、フラッシュメモリ、もしくは他のメモリ技術、ＣＤ−ＲＯＭ、デジタル多用途ディスク（ＤＶＤ）、もしくは他の光学ストレージ、磁気カセット、磁気テープ、磁気ディスクストレージもしくは他の磁気ストレージデバイス、または所望の情報を記憶するために使用され得、コンピューティングデバイス１１００によってアクセスされ得る任意の他の媒体を含む。任意のそのようなコンピュータストレージ媒体は、コンピューティングデバイス１１００の一部とすることができる。
【０２６３】
コンピューティングデバイス１１００はまた、バス／インターフェースコントローラ１１３０を介して、さまざまなインターフェースデバイス（たとえば、出力デバイス１１４２、周辺インターフェース１１４４、および通信デバイス１１４６）から基本構成１１０２への通信を容易にするためのインターフェースバス１１４０を含むことができる。例示的な出力デバイス１１４２は、グラフィク処理ユニット１１４８およびオーディオ処理ユニット１１５０を含み、このグラフィク処理ユニット１１４８およびオーディオ処理ユニット１１５０は、１つまたは複数のＡ／Ｖポート１１５２を介して、ディスプレイまたはスピーカなどのさまざまな外部デバイスに通信するように構成され得る。例示的な周辺インターフェース１１４４は、シリアルインターフェースコントローラ１１５４またはパラレルインターフェースコントローラ１１５６を含み、このシリアルインターフェースコントローラ１１５４またはパラレルインターフェースコントローラ１１５６は、１つまたは複数のＩ／Ｏポート１１５８を介して、入力デバイス（たとえば、キーボード、マウス、ペン、音声入力デバイス、タッチ入力デバイスなど）、センサ、または他の周辺デバイスなど（たとえば、プリンタ、スキャナなど）の外部デバイスと通信するように構成され得る。例示的な通信デバイス１１４６は、ネットワークコントローラ１１６０を含み、このネットワークコントローラ１１６０は、１つまたは複数の通信ポート１１６４を介して、ネットワーク通信リンクを経由する１つまたは複数の他のコンピューティングデバイス１１６２との通信を容易にするように構成され得る。
【０２６４】
ネットワーク通信リンクは、通信媒体の１つの例とすることができる。通信媒体は、典型的には、搬送波または他の移送機構などの変調データ信号におけるコンピュータ可読命令、データ構造体、プログラムモジュール、または他のデータによって具現化され得、任意の情報送達媒体を含むことができる。「変調データ信号（ｍｏｄｕｌａｔｅｄ  ｄａｔａ  ｓｉｇｎａｌ）」は、その特性セットのうちの１つまたは複数を有する、あるいは信号の中の情報を符号化するような方式で変更された信号とすることができる。限定ではなく、例として、通信媒体は、ワイヤードのネットワークまたはダイレクトワイヤード接続などのワイヤード媒体、ならびに音響、無線周波数（ＲＦ）、マイクロ波、赤外線（ＩＲ）および他のワイヤレス媒体などのワイヤレス媒体を含むことができる。本明細書に使用される用語「コンピュータ可読媒体（ｃｏｍｐｕｔｅｒ−ｒｅａｄａｂｌｅ  ｍｅｄｉａ）」は、ストレージ媒体と通信媒体とをともに含むことができる。
【０２６５】
コンピューティングデバイス１１００は、セルフォン、パーソナルデータアシスタント、タブレットコンピュータ、パーソナルメディアプレーヤデバイス、ワイヤレスウェブウォッチデバイス、パーソナルヘッドセットデバイス、アプリケーション固有のデバイス、もしくは上記機能のうちのいずれかを含むハイブリッドデバイスなどのスモールフォームファクタポータブル（またはモバイル）電子デバイスの一部分として実装され得る。コンピューティングデバイス１１００はまた、ラップトップコンピュータ構成と非ラップトップコンピュータ構成とをともに含むパーソナルコンピュータとしても実装され得る。図１１のコンピューティングデバイス１１００は、図１Ａ〜図１Ｂのサーバ１０４、入れ墨リーダ１０６、および／またはコンピューティングデバイス１２０の例示的な実装形態である。
【０２６６】
本明細書に記載の多くの実施形態および例は、望ましい任意の形で組合せ可能である。本明細書に記載の技術のさまざまな態様を組み合わせたいくつかの実施形態においては、抗原検出法が、感温検出法と組合せ可能であり、極微針配列を使用して動物皮膚内に注入され得る。組合せの程度は、任意とされ、本開示を検討すると、さまざまな組合せが当業者には明らかになろう。次に、多様な非限定の実施形態を与える：
（実施形態１）
複数のセンサを含むインテリジェントインクを含む入れ墨インクであって、
前記複数のセンサのそれぞれが、
ポリジアセチレン（ＰＤＡ）ベシクルと、
前記ＰＤＡベシクルに共役した複数の抗原受容体と
を含み、
前記複数のセンサのそれぞれの可変光学特性が、前記複数の抗原受容体に固有の複数の抗原の存在または非存在を示す、
入れ墨インク。
（実施形態２）
前記複数の抗原受容体が、前記複数の抗原を結合するように構成された複数の抗体、前記複数の抗原を結合するように構成された複数の抗体模倣薬、または前記複数の抗原を結合するように構成された複数の受容体分子を含む、実施形態１に記載の入れ墨インク。
（実施形態３）
前記複数の抗原受容体が、複数のコルチゾール固有の抗体を含み、前記複数の抗原が、複数のコルチゾール固有の抗原を含む、または
前記複数の抗原受容体が、複数のプロゲステロン固有の抗体を含み、前記複数の抗原が、複数のプロゲステロン固有の抗原を含む、
実施形態１に記載の入れ墨インク。
（実施形態４）
表皮成長因子、
前記入れ墨インクの注入部位において、治癒を促進させ、瘢痕形成を低減させる薬剤、
乳白度増強剤、または
ヒドロゲル骨格
のうちの少なくとも１つをさらに含む、実施形態１に記載の入れ墨インク。
（実施形態５）
前記複数のセンサのそれぞれの前記ＰＤＡベシクルが、前記ＰＤＡベシクルの前記複数の抗原受容体に結合する前記複数の抗原に応答性である配座変化を受けるように構成され、前記配座変化が、前記複数のセンサのうちの対応するセンサの前記可変光学特性に変化をもたらす、実施形態１に記載の入れ墨インク。
（実施形態６）
前記複数のセンサのそれぞれの前記可変光学特性が、前記複数のセンサのそれぞれの色または蛍光のうちの少なくとも１つを含む、実施形態１に記載の入れ墨インク。
（実施形態７）
前記複数のセンサのそれぞれが、前記ＰＤＡベシクル、および前記ＰＤＡベシクルに共役した前記複数の抗原受容体を封入する半透過性アルジネートカプセル材をさらに含む、実施形態１に記載の入れ墨インク。
（実施形態８）
前記半透過性アルジネートカプセル材が、生体適合性である、実施形態７に記載の入れ墨インク。
（実施形態９）
前記半透過性アルジネートカプセル材は、前記複数の抗原が前記複数の抗原受容体付近に入ることを可能にする、および酵素が前記複数の抗原受容体付近に侵入しないようにする分画分子量に調整され、前記酵素が、前記分画分子量を上回る分子量を有する、実施形態７に記載の入れ墨インク。
（実施形態１０）
前記複数のセンサのそれぞれが、前記ＰＤＡベシクル、および前記ＰＤＡベシクルに共役した前記複数の抗原受容体を封入する徐放型カプセル材をさらに含む、実施形態１に記載の入れ墨インク。
（実施形態１１）
脱色素剤、または
脱毛剤
のうちの少なくとも１つをさらに含む、実施形態１に記載の入れ墨インク。
（実施形態１２）
前記脱色素剤が、モノベンゾンを含む、または
前記脱毛剤が、チオグリコール酸を含む、
実施形態１１に記載の入れ墨インク。
（実施形態１３）
複数のセンサを含むインテリジェントインクを含む入れ墨インクであって、
前記複数のセンサのそれぞれが、
ロイコ染料と、
有機酸と、
塩と、
特定の融点を有する溶媒と、
前記ロイコ染料、前記有機酸、前記塩、および前記溶媒を含むカプセル材と
を含み、
前記複数のセンサのそれぞれの可変光学特性が、前記複数のセンサのそれぞれの温度を示す、
入れ墨インク。
（実施形態１４）
前記ロイコ染料が、クリスタルバイオレットラクトンを含む、実施形態１３に記載の入れ墨インク。
（実施形態１５）
前記カプセル材が、ミリスチルアルコールおよびセチルアルコールを含む脂肪アルコール混合物を含む、実施形態１３に記載の入れ墨インク。
（実施形態１６）
前記複数のセンサのそれぞれの前記可変光学特性が、前記融点よりも低い前記複数のセンサのうちの対応するセンサの温度に応答する無色と、前記融点よりも高い前記複数のセンサのうちの前記対応するセンサの温度に応答するすみれ色との間で変動し得る前記複数のセンサのそれぞれの色を含む、実施形態１３に記載の入れ墨インク。
（実施形態１７）
動物をモニタリングするための方法であって、
前記動物の入れ墨を観察することであって、前記入れ墨が、インテリジェントインクを含む、観察することと、
前記入れ墨に基づいて前記動物の生理的状況を決定することと
を含む方法。
（実施形態１８）
前記動物の生理的事象または状態を示す前記動物の前記生理的状況に応じて、前記生理的事象または状態について前記動物を処置することをさらに含む、実施形態１７に記載の方法。
（実施形態１９）
前記動物の生理的事象または状態を示す前記動物の前記生理的状況に応じて、前記動物を、前記生理的事象または状態を有しない他の動物から分離することをさらに含む、実施形態１７に記載の方法。
（実施形態２０）
前記動物の前記入れ墨を観察することが、肉眼で前記動物の前記入れ墨を見ることを含む、実施形態１７に記載の方法。
（実施形態２１）
前記動物の前記入れ墨を観察することが、前記インテリジェントインクによって放射され、前記インテリジェントインクを透過し、かつ／または前記インテリジェントインクに反射する光を光学イメージャにおいて受け取ることを含む、実施形態１７に記載の方法。
（実施形態２２）
前記入れ墨に含まれた前記インテリジェントインクの色が、前記動物の特定の生理学的標的に応答するように構成され、
前記入れ墨に基づいて前記動物の前記生理的状況を決定することが、前記インテリジェントインクの前記色を決定することを含む、
実施形態１７に記載の方法。
（実施形態２３）
基板と、
前記基板に連結された複数の針であって、前記複数の針の第１のセットが、第１の長さを有し、前記複数の針の第２のセットが、前記第１の長さとは異なる第２の長さを有する、複数の針と、
前記第１のセットまたは前記第２のセットのうちの少なくとも一部の中に染み込んだインテリジェントインクと
を備える入れ墨アプリケータ。
（実施形態２４）
前記基板が、可撓性かつ可剥離性の基板を含む、実施形態２３に記載の入れ墨アプリケータ。
（実施形態２５）
前記複数の針のそれぞれが、自己溶解式かつ経皮吸収性の針を含む、実施形態２３に記載の入れ墨アプリケータ。
（実施形態２６）
前記インテリジェントインクが、動物の皮膚内の第１の深さに送達すべき前記複数の針の前記第１のセットのそれぞれの中に染み込み、
前記入れ墨アプリケータが、前記第１の深さとは異なる前記動物の前記皮膚内の第２の深さに送達すべき前記複数の針の前記第２のセットのそれぞれの中に染み込んだ脱色素剤または脱毛剤をさらに含む、
実施形態２３に記載の入れ墨アプリケータ。
（実施形態２７）
前記複数の針のうちの少なくとも一部のそれぞれが、
前記複数の針のうちの前記少なくとも一部のそれぞれの第１の部分内に染み込んだ前記インテリジェントインクと、
前記複数の針のうちの前記少なくとも一部のそれぞれの第２の部分内に染み込んだ別のインテリジェントインク、脱色素剤、または脱毛剤と
を含む、実施形態２３に記載の入れ墨アプリケータ。
（実施形態２８）
前記複数の針の前記少なくとも一部のそれぞれが、
動物の皮膚内の第１の深さに前記インテリジェントインクを送達し、
前記動物の前記皮膚内の第２の深さに前記別のインテリジェントインク、前記脱色素剤、または前記脱毛剤を送達する
ように構成されている、実施形態２７に記載の入れ墨アプリケータ。
（実施形態２９）
インク送達機構と、
複数の針と
を備える入れ墨アプリケータであって、
前記複数の針は、
前記インク送達機構が前記針にインクを送達するように、前記インク送達機構と相互作用し、
前記インクが前記インク送達機構から前記針に送達された後、前記インクが皮膚のエリアに注入する
ように構成され、前記複数の針が、入れ墨の所望のパターンに従ってパターンで配置構成されている、
入れ墨アプリケータ。
（実施形態３０）
前記インク送達機構が、インクを保持するように構成されたインクパッドを備え、前記複数の針は、
前記インクパッドの中を通過するときインクを保持し、
前記インクパッドの前記インクを保持するために、前記インクパッドの中を通過し、
前記インクパッドの中を通過後、前記インクが前記皮膚の前記エリアに注入する
ように構成されている、実施形態２９に記載の入れ墨アプリケータ。
（実施形態３１）
前記インク送達機構が、前記エリアにおいて、前記皮膚の表皮表面上にインクを送達するように構成されたローラを備え、前記複数の針は、前記ローラが前記エリア上に前記インクを送達した後、前記インクが前記エリアに注入されるように構成されている、実施形態２９に記載の入れ墨アプリケータ。
（実施形態３２）
前記所望のパターンが、数字、文字、形状、絵柄、およびバーコードのうちの１つまたは複数を含む、実施形態２９に記載の入れ墨アプリケータ。
（実施形態３３）
前記インクが、インテリジェントインクを含む、実施形態２９に記載の入れ墨アプリケータ。
（実施形態３４）
前記複数の針が、前記インクを前記皮膚の真皮層にまたは前記皮膚の皮下層に注入するように構成されている、実施形態２９に記載の入れ墨アプリケータ。
（実施形態３５）
消毒剤を保持するように構成された、かつ前記消毒剤が、前記エリア内への前記インクの注入後、前記複数の針と接触するよう前記複数の針と相互作用するように構成された消毒機構をさらに備える、実施形態２９に記載の入れ墨アプリケータ。
（実施形態３６）
前記複数の針が、中空部分を含み、前記消毒機構が、前記中空部分を通じて前記消毒剤を送達するように構成されている、実施形態３５に記載の入れ墨アプリケータ。
（実施形態３７）
前記インクを保持するように、および前記インクを前記インク送達機構に供給するように構成されたインクリザーバをさらに備える、実施形態２９に記載の入れ墨アプリケータ。
（実施形態３８）
前記インクが、相異なる特性を有する少なくとも２つのインクタイプを含み、前記インク送達機構は、相異なるインクタイプが前記エリアの相異なる部分に送達されるように構成されている、実施形態２９に記載の入れ墨アプリケータ。
（実施形態３９）
前記インクの注入前に、前記エリアに洗浄剤を施すように構成された洗浄機構をさらに備える、実施形態２９に記載の入れ墨アプリケータ。
（実施形態４０）
前記複数の針の前記パターンを変更するように構成されたパターン選択機構をさらに備える、実施形態２９に記載の入れ墨アプリケータ。
（実施形態４１）
皮膚の表皮表面のエリア上にインクを送達するように構成されたローラと、
前記ローラが前記エリア上に前記インクを送達後、前記エリアにおいて前記インクが前記皮膚に注入するように構成された複数の針であって、入れ墨の所望のパターンに従ったパターンで配置構成されている複数の針と
を備える入れ墨アプリケータ。
（実施形態４２）
前記所望のパターンが、数字、文字、形状、絵柄、およびバーコードのうちの１つまたは複数を含む、実施形態４１に記載の入れ墨アプリケータ。
（実施形態４３）
前記インクが、インテリジェントインクを含む、実施形態４１に記載の入れ墨アプリケータ。
（実施形態４４）
前記複数の針が、前記インクを前記皮膚の真皮層にまたは前記皮膚の皮下層に注入するように構成されている、実施形態４１に記載の入れ墨アプリケータ。
（実施形態４５）
消毒剤を保持するように構成された、かつ前記消毒剤が、前記エリア上への前記インクの送達後、前記ローラと接触するよう前記ローラと相互作用するように構成された消毒機構をさらに備える、実施形態４１に記載の入れ墨アプリケータ。
（実施形態４６）
消毒剤を保持するように構成された、かつ前記消毒剤が、前記エリアにおける前記インクの注入後、前記複数の針と接触するよう前記複数の針と相互作用するように構成された消毒機構をさらに備える、実施形態４１に記載の入れ墨アプリケータ。
（実施形態４７）
前記複数の針が、中空部分を含み、前記消毒機構が、前記中空部分を通じて前記消毒剤を送達するように構成されている、実施形態４６に記載の入れ墨アプリケータ。
（実施形態４８）
前記インクを保持するように、および前記インクを前記ローラに供給するように構成されたインクリザーバをさらに備える、実施形態４１に記載の入れ墨アプリケータ。
（実施形態４９）
前記インクが、相異なる特性を有する少なくとも２つのインクタイプを含み、前記ローラは、相異なるインクタイプが前記エリアの相異なる部分に送達されるよう前記エリアに前記少なくとも２つのインクタイプを送達するように構成されている、実施形態４１に記載の入れ墨アプリケータ。
（実施形態５０）
前記ローラが前記インクを前記エリアに送達する前に、前記エリアに洗浄剤を施すように構成された洗浄機構をさらに備える、実施形態４１に記載の入れ墨アプリケータ。
（実施形態５１）
前記複数の針の前記パターンを変更するように構成されたパターン選択機構をさらに備える、実施形態４１に記載の入れ墨アプリケータ。
（実施形態５２）
インクを保持するように構成されたインクパッドと、
複数の針と
を備える入れ墨アプリケータであって、前記複数の針は、
前記インクパッドの中を通過するときインクを保持し、
前記インクパッドの前記インクを保持するために、前記インクパッドの中を通過し、
前記インクパッドの中を通過後、前記インクが皮膚のエリアに注入する
ように構成され、前記複数の針が、入れ墨の所望のパターンに従ったパターンで配置構成されている、入れ墨アプリケータ。
（実施形態５３）
前記所望のパターンが、数字、文字、形状、絵柄、およびバーコードのうちの１つまたは複数を含む、実施形態５２に記載の入れ墨アプリケータ。
（実施形態５４）
前記インクが、インテリジェントインクを含む、実施形態５２に記載の入れ墨アプリケータ。
（実施形態５５）
前記複数の針が、前記インクを前記皮膚の真皮層にまたは前記皮膚の皮下層に注入するように構成されている、実施形態５２に記載の入れ墨アプリケータ。
（実施形態５６）
消毒剤を保持するように構成された、かつ前記消毒剤が、前記エリア内への前記インクの注入後、前記複数の針と接触するよう前記複数の針と相互作用するように構成された消毒機構をさらに備える、実施形態５２に記載の入れ墨アプリケータ。
（実施形態５７）
前記複数の針が、中空部分を含み、前記消毒機構が、前記中空部分を通じて前記消毒剤を送達するように構成されている、実施形態５６に記載の入れ墨アプリケータ。
（実施形態５８）
前記インクを保持するように、および前記インクを前記インクパッドに供給するように構成されたインクリザーバをさらに備える、実施形態５２に記載の入れ墨アプリケータ。
（実施形態５９）
前記インクが、相異なる特性を有する少なくとも２つのインクタイプを含み、前記インクパッドは、相異なるインクタイプが前記エリアの相異なる部分に送達されるように前記インクパッドの相異なる部分に前記少なくとも２つのインクタイプを保持するように構成されている、実施形態５２に記載の入れ墨アプリケータ。
（実施形態６０）
前記インクの注入前に、前記皮膚の前記エリアに洗浄剤を施すように構成された洗浄機構をさらに備える、実施形態５２に記載の入れ墨アプリケータ。
（実施形態６１）
前記複数の針の前記パターンを変更するように構成されたパターン選択機構をさらに備える、実施形態５２に記載の入れ墨アプリケータ。
【０２６７】
本開示は、さまざまな態様の例示と意図される本明細書に説明した特定の実施形態に関して限定すべきものではない。多くの修正形態および変形形態が、その精神および範囲から逸脱することなく、作成され得る。本明細書に列挙されたものに加えて、本開示の範囲内の機能的に等価な方法および装置は、前述の記載から可能である。そのような修正形態および変形形態は、添付の特許請求の範囲の範囲内に入るように意図されている。本開示は、そのような特許請求の範囲が権利を与えられる等価物の全範囲とともに添付の特許請求の範囲に関してにのみ限定されるものである。本開示が、特定の方法、試薬、化合物組成、または生体系に限定すべきでなく、それらは、もちろん、変動し得ることを理解されたい。また、本明細書に使用される専門用語は、単に特定の実施形態を説明するためにすぎず、限定することを意図するものでないことも理解されたい。
【０２６８】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【０２６９】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【０２７０】
加えて、本開示の特徴または態様が、マーカッシュグループに関して記載されている場合、当業者は、それによって本開示もまた、マーカッシュグループの任意の個々の要素またはサブグループの要素に関して記載されていることを認識するであろう。
【０２７１】
当業者には理解されるように、たとえば記載の説明を提供することに関して、任意のおよびすべての目的のために、本明細書に開示されるすべての範囲は、任意のならびにすべての可能な部分範囲およびそれらの部分範囲の組合せも包含する。 任意の列挙された範囲は、同じ範囲が、少なくとも２分の１、３分の１、４分の１、５分の１、１０分の１などに分解されることを十分に説明し、可能にすると容易に認識することができる。非限定の例として、本明細書に論じられる各範囲は、下側の３分の１、中央の３分の１、および上側の３分の１などに簡単に分解され得る。また、当業者には理解されるように、「最大で（ｕｐ  ｔｏ）」、および「少なくとも（ａｔ  ｌｅａｓｔ）」などのすべての言語は、引用された数字を含み、続いて、上記の部分範囲に分解され得る範囲を示す。最終的には、当業者には理解されるように、範囲は、各個々の数を含む。したがって、たとえば、セルが１〜３つのセルを有する群は、１、２、または３つのセルを有する各群を示す。同様に、１〜５つのセルを有する群は、１、２、３、４、または５つのセルを有する各群を示す、等々である。
【０２７２】
前述から、本開示のさまざまな実施形態は、例示の目的で、本明細書に説明されており、さまざまな修正形態が、本開示の範囲および精神から逸脱することなく、作成され得る。したがって、本明細書に開示のさまざまな実施形態は、限定することを意図しておらず、真の範囲および精神は、添付の特許請求の範囲によって示されている。
【図１Ａ】
2017517254.tif 000003
【図１Ｂ】
2017517254.tif 000004
【図２】
2017517254.tif 000005
【図３Ａ】
2017517254.tif 000006
【図３Ｂ】
2017517254.tif 000007
【図３Ｃ】
2017517254.tif 000008
【図４】
2017517254.tif 000009
【図５】
2017517254.tif 000010
【図６Ａ】
2017517254.tif 000011
【図６Ｂ】
2017517254.tif 000012
【図６Ｃ】
2017517254.tif 000013
【図７Ａ】
2017517254.tif 000014
【図７Ｂ】
2017517254.tif 000015
【図７Ｃ】
2017517254.tif 000016
【図８Ａ】
2017517254.tif 000017
【図８Ｂ】
2017517254.tif 000018
【図９Ａ】
2017517254.tif 000019
【図９Ｂ】
2017517254.tif 000020
【図１０Ａ】
2017517254.tif 000021
【図１０Ｂ】
2017517254.tif 000022
【図１０Ｃ】
2017517254.tif 000023
【図１１】
2017517254.tif 000024
【図１２】
2017517254.tif 000025
【図１３Ａ】
2017517254.tif 000026
【図１３Ｂ】
2017517254.tif 000027
【図１３Ｃ】
2017517254.tif 000028
【図１４Ａ】
2017517254.tif 000029
【図１４Ｂ】
2017517254.tif 000030
【図１５】
2017517254.tif 000031
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
動物をモニタリングするための方法であって、
前記動物の皮膚内に注入されたインテリジェントインクを含む入れ墨に基づいて前記動物の生理的状況を決定することと、
前記入れ墨に基づいて決定された前記動物の前記生理的状況を記録することと、
生理的事象または状態を示す前記生理的状況に応じて、前記生理的事象または状態に対処するための警告をトリガすることと
を含む方法。
【請求項２】
前記動物の前記皮膚内に注入された前記インテリジェントインクを含む前記入れ墨に基づいて前記動物の前記生理的状況を決定することが、
前記インテリジェントインクを透過し、前記インテリジェントインクによって放射され、かつ／または前記インテリジェントインクに反射する光を受け取ることと、
前記受け取った光に基づいて前記インテリジェントインクの光学特性の現在値を決定することと、
前記光学特性の前記現在値をベースライン値と比較することと
を含む、請求項１に記載の方法。
【請求項３】
前記動物の前記皮膚内に注入された前記インテリジェントインクを含む前記入れ墨に基づいて前記動物の前記生理的状況を決定することが、
前記光学特性の前記現在値が前記ベースライン値の特定の範囲内にあることに応じて、前記インテリジェントインクが応答するように構成されている特定の生理学的標的に関する前記動物の前記生理的状況が正常である、と決定すること、または
前記光学特性の前記現在値が前記ベースライン値の前記特定の範囲外にあることに応じて、前記特定の標的に関する前記動物の前記生理的状況が異常である、と決定すること
をさらに含む、請求項２に記載の方法。
【請求項４】
前記動物の前記皮膚内に注入された前記インテリジェントインクを含む前記入れ墨に基づいて前記動物の前記生理的状況を決定することが、紫外線光が前記インテリジェントインクを照らすことをさらに含み、
前記受け取った光に基づいて前記インテリジェントインクの前記光学特性の前記現在値を決定することが、前記紫外線光の少なくとも一部の前記インテリジェントインクによる吸収に応じて、前記インテリジェントインクによって放射される蛍光と関連付けられる光学特性を決定することを含む、
請求項２に記載の方法。
【請求項５】
前記生理的事象または状態に対処するための警告をトリガすることが、前記生理的事象または状態を識別し、および複数の動物の中から、前記複数の動物のうちの対応する動物の皮膚内に注入されたインテリジェントインクを含む入れ墨をそれぞれが有する前記動物を識別する電子メッセージを生成することを含む、請求項１に記載の方法。
【請求項６】
前記インテリジェントインクの光学特性が、前記動物の特定の生理学的標的に依存しており、
前記動物の前記皮膚内に注入された前記インテリジェントインクを含む前記入れ墨に基づいて前記動物の前記生理的状況を決定することが、前記インテリジェントインクの前記光学特性の値を決定することを含み、
前記動物の前記特定の生理学的標的が、前記動物の水和レベル、前記動物の体温、前記動物のｐＨレベル、前記動物の中の特定のホルモンのレベル、または前記動物の中の特定の病原菌を含む、
請求項１に記載の方法。
【請求項７】
前記入れ墨が、前記動物の前記皮膚内に注入された複数のインテリジェントインクを含み、
前記複数のインテリジェントインクのそれぞれが、前記動物の複数の生理学的標的のうちの異なった生理学的標的に依存しており、
前記動物の前記皮膚内に注入された前記インテリジェントインクを含む前記入れ墨に基づいて前記動物の前記生理的状況を決定することが、前記動物の前記複数の生理学的標的のそれぞれに関して、前記動物の前記生理的状況を決定することを含む、
請求項１に記載の方法。
【請求項８】
前記動物に前記入れ墨を適用することをさらに含み、前記動物に前記入れ墨を適用することが、
前記動物の注入部位において複数の針を備えた可撓性基板を位置付けることであって、前記複数の針のそれぞれが、自己溶解式かつ経皮吸収性の針を含み、前記複数の針のうちの少なくとも一部が、前記複数の針のうちの前記少なくとも一部のそれぞれの先端に染み込ませた前記インテリジェントインクを含む、位置付けることと、
前記注入部位において、前記皮膚内に前記複数の針を注入することと、
前記複数の針が前記皮膚内に打ち込まれたまま、前記複数の針から前記基板を取り外すことと、
前記複数の針のうちの前記少なくとも一部のそれぞれの前記先端に染み込ませた前記インテリジェントインクを放出するために、前記複数の針のうちの前記少なくとも一部を溶解することと
を含む、請求項１に記載の方法。
【請求項９】
前記複数の針のうちの別の少なくとも一部が、前記複数の針のうちの前記別の少なくとも一部のそれぞれの先端に染み込ませた脱毛剤または脱色素剤のうちの少なくとも１つを含み、それにより、前記動物に前記入れ墨を適用することが、前記注入部位において、前記皮膚内に前記脱毛剤または前記脱色素剤のうちの少なくとも１つを注入することをさらに含む、請求項８に記載の方法。
【請求項１０】
動物をモニタリングするためのシステムであって、
入れ墨として前記動物の皮膚内に注入されたインテリジェントインクの光学特性を測定するように、および前記測定された光学特性の現在値を生成するように構成された入れ墨リーダと、
前記入れ墨リーダに通信可能なように連結されたプロセッサと、
前記プロセッサに通信可能なように連結されたコンピュータ可読媒体と、
動作を行うための前記プロセッサによって実行可能なコンピュータ命令を含む健康モニタアプリケーションであって、前記動作が、
前記インテリジェントインクの前記測定された光学特性の前記現在値に基づいて前記動物の生理的状況を決定すること、
前記インテリジェントインクの前記測定された光学特性の前記現在値に基づいて決定された前記動物の前記生理的状況を記録すること、および
生理的事象または状態を示す前記生理的状況に応じて、前記生理的事象または状態に対処するための警告をトリガすること
を含む、健康モニタアプリケーションと
を備える、システム。
【請求項１１】
前記入れ墨リーダが、前記光学特性を測定するように、および前記インテリジェントインクを透過する、前記インテリジェントインクによって放射される、かつ／または前記インテリジェントインクに反射する光を受け取り、前記光学特性を表す電気信号を生成することによって、前記現在値を生成するように構成された光学イメージャを含み、
前記入れ墨リーダが、放射線を放射するように構成された放射線源をさらに含み、
前記受け取った光が、前記インテリジェントインクに反射後の前記放射の少なくとも一部を含む、および、前記受け取った光が、前記放射の少なくとも一部の前記インテリジェントインクによる吸収に応じて、前記インテリジェントインクによって放射される蛍光を含む、のうちの少なくとも一方である、
請求項１０に記載のシステム。
【請求項１２】
前記インテリジェントインクの前記光学特性が、少なくとも一度、特定の基準を満たす前記動物の特定の生理学的標的に応じて不可逆的変化を受けるように構成され、前記不可逆的変化は、前記特定の基準が測定時に満たされているか否かにかかわらず、測定可能である、請求項１０に記載のシステム。
【請求項１３】
前記インテリジェントインクの前記光学特性が、特定の基準を満たす前記動物の特定の生理学的標的に応じて可逆的変化を受けるように構成され、前記可逆的変化は、前記特定の基準が測定時に満たされていない限り、測定不能である、請求項１０に記載のシステム。
【請求項１４】
前記コンピュータ可読媒体に記憶された複数の動物レコードをさらに備え、前記複数の動物レコードのそれぞれが、複数の動物のうちの異なった動物に対応し、前記複数の動物レコードのそれぞれが、前記複数の動物のうちの対応する動物について経時的に記録された複数の生理的状況エントリーを含む、請求項１０に記載のシステム。
【請求項１５】
その上に記憶されるコンピュータ可読命令を含むコンピュータ可読媒体であって、前記コンピュータ可読命令が、プロセッサによる実行に応じて、動作を前記プロセッサに行わせ、または前記プロセッサに動作の実行を制御させ、前記動作が、
動物の皮膚内に注入されたインテリジェントインクを含む入れ墨に基づいて前記動物の生理的状況を決定することと、
前記入れ墨に基づいて決定された前記動物の前記生理的状況を記録することと、
生理的事象または状態を示す前記生理的状況に応じて、前記生理的事象または状態に対処するための警告をトリガすることと
を含む、
コンピュータ可読媒体。
【請求項１６】
前記動物の前記皮膚内に注入された前記インテリジェントインクを含む前記入れ墨に基づいて前記動物の生理的状況を決定することが、
前記インテリジェントインクを透過し、前記インテリジェントインクによって放射され、かつ／または前記インテリジェントインクに反射する光を受け取ることと、
前記受け取った光に基づいて前記インテリジェントインクの光学特性の現在値を決定することと、
前記光学特性の前記現在値をベースライン値と比較することと
を含む、請求項１５に記載のコンピュータ可読媒体。
【請求項１７】
前記動物の前記皮膚内に注入された前記インテリジェントインクを含む前記入れ墨に基づいて前記動物の前記生理的状況を決定することが、
前記光学特性の前記現在値が前記ベースライン値の特定の範囲内にあることに応じて、前記インテリジェントインクが応答するように構成されている特定の生理学的標的に関する前記動物の前記生理的状況が正常である、と決定すること、または
前記光学特性の前記現在値が前記ベースライン値の前記特定の範囲外にあることに応じて、前記特定の標的に関する前記動物の前記生理的状況が異常である、と決定すること
をさらに含む、請求項１６に記載のコンピュータ可読媒体。
【請求項１８】
前記動物の前記皮膚内に注入された前記インテリジェントインクを含む前記入れ墨に基づいて前記動物の前記生理的状況を決定することが、紫外線光で前記インテリジェントインクを照らすことをさらに含み、
前記受け取った光に基づいて前記インテリジェントインクの前記光学特性の前記現在値を決定することが、前記紫外線光の少なくとも一部の前記インテリジェントインクによる吸収に応じて、前記インテリジェントインクによって放射される蛍光と関連付けられる光学特性を決定することを含む、
請求項１６に記載のコンピュータ可読媒体。
【請求項１９】
前記生理的事象または状態に対処するための警告をトリガすることが、前記動物および前記生理的事象または状態を識別する電子メッセージを生成することを含む、請求項１５に記載のコンピュータ可読媒体。
【請求項２０】
前記インテリジェントインクの光学特性が、前記動物の特定の生理学的標的に依存しており、
前記動物の前記皮膚内に注入された前記インテリジェントインクを含む前記入れ墨に基づいて前記動物の前記生理的状況を決定することが、前記インテリジェントインクの前記光学特性の値を決定することを含み、
前記動物の前記特定の生理学的標的が、前記動物の水和レベル、前記動物の体温、前記動物のｐＨレベル、前記動物の中の特定のホルモンのレベル、または前記動物の中の特定の病原菌を含む、
請求項１５に記載のコンピュータ可読媒体。
【請求項２１】
前記入れ墨が、前記動物の前記皮膚内に注入された複数のインテリジェントインクを含み、
前記複数のインテリジェントインクのそれぞれが、前記動物の複数の生理学的標的のうちの異なった生理学的標的に依存しており、
前記動物の前記皮膚内に注入された前記インテリジェントインクを含む前記入れ墨に基づいて前記動物の前記生理的状況を決定することが、前記動物の前記複数の生理学的標的のそれぞれに関して、前記動物の前記生理的状況を決定することを含む、
請求項１５に記載のコンピュータ可読媒体。
【請求項２２】
前記インテリジェントインクが、複数のセンサを含み、
前記複数のセンサのそれぞれが、ポリジアセチレン（ＰＤＡ）ベシクル、および前記ＰＤＡベシクルに共役した複数の抗原受容体を含み、
前記複数のセンサのそれぞれの可変光学特性が、前記複数の抗原受容体に固有の複数の抗原の存在または非存在を示す、
請求項１に記載の方法。
【請求項２３】
前記インテリジェントインクが、複数のセンサを含み、
前記複数のセンサのそれぞれが、
ロイコ染料と、
有機酸と、
塩と、
特定の融点を有する溶媒と、
前記ロイコ染料、前記有機酸、前記塩、および前記溶媒を含むカプセル材と
を含み、
前記複数のセンサのそれぞれの可変光学特性が、前記複数のセンサのそれぞれの温度を示す、
請求項１に記載の方法。
【請求項２４】
前記インテリジェントインクが、特定の基準を少なくとも１つ満たす前記動物の特定の生理学的標的に応答して不可逆的変化を受けるように構成された光学特性を含み、
前記入れ墨に基づいて前記動物の前記生理的状況を決定することが、前記特定の基準が満たされていない時に測定される前記インテリジェントインクの前記光学特性の現在値に基づいて、前記特定の基準が少なくとも一度満たされている、と決定することを含む、
請求項１に記載の方法。
【国際調査報告】
2017517254.tif 000032